(57)【要約】画像を眼に送達するように構成される、拡張現実頭部搭載型ディスプレイ接眼レンズのための光学システムであって、光学システムは、光学系を含む。光学系は、光源から出力された光を受け取るように配置される。光学系はさらに、光源から受け取られた光が、光学系を通して通過し、空間光変調器を照明するように、空間光変調器に対して配列される。空間光変調器を照明する光は、光学系を通して戻るように再指向され、少なくとも１つの内部結合光学要素を通して、少なくとも１つの導波管の中に結合される。結合された光の少なくとも一部は、少なくとも１つの外部結合光学要素によって、少なくとも１つの導波管から射出され、ユーザの眼に指向される。
2021505935.tif 000002
【特許請求の範囲】
【請求項１】
頭部搭載型ディスプレイシステムであって、前記頭部搭載型ディスプレイシステムは、光をユーザの眼に投影し、拡張現実画像コンテンツを前記ユーザの視野内に表示するように構成され、前記頭部搭載型ディスプレイシステムは、
前記ユーザの頭部上に支持されるように構成されるフレームと、
光を出力するように構成される少なくとも１つの光源と、
前記少なくとも１つの光源からの光を受け取るように配置される空間光変調器と、
前記フレーム上に配置される接眼レンズであって、前記接眼レンズは、前記空間光変調器からの光を前記ユーザの眼の中に指向し、拡張現実画像コンテンツを前記ユーザの視野に表示するように構成され、前記接眼レンズの少なくとも一部は、透明であり、前記ユーザが前記頭部搭載型ディスプレイシステムを装着すると、前記ユーザの眼の正面の場所に配置され、前記透明部分は、前記ユーザの正面の物理的環境の一部からの光を前記ユーザの眼に透過させ、前記ユーザの正面の物理的環境の一部のビューを提供し、前記接眼レンズは、
（ａ）少なくとも１つの導波管と、
（ｂ）前記空間光変調器からの光を前記少なくとも１つの導波管の中に内部結合するように構成される少なくとも１つの内部結合光学要素と、
（ｃ）前記導波管内で誘導される光を前記導波管から外に結合し、前記光を前記ユーザの眼に指向するように構成される少なくとも１つの外部結合光学要素と
を備える、接眼レンズと、
屈折力を有する光学系であって、前記光学系は、前記光源から出力された光を受け取るように配置され、前記光学系は、前記光源から受け取られた光が、前記光学系を通して通過し、前記空間光変調器を照明するように、前記空間光変調器に対して配列される、光学系と
を備え、
前記頭部搭載型ディスプレイシステムは、前記空間光変調器を照明する光が、前記光学系を通して戻るように再指向され、前記少なくとも１つの内部結合光学要素を通して、前記少なくとも１つの導波管の中に結合され、前記結合された光の少なくとも一部が、前記少なくとも１つの外部結合光学要素によって、前記少なくとも１つの導波管から射出され、前記ユーザの眼に指向されるように構成される、頭部搭載型ディスプレイシステム。
【請求項２】
前記少なくとも１つの光源は、異なる色の光を異なる時間に放出するように構成されるマルチカラー光源を備える、請求項１に記載の頭部搭載型ディスプレイシステム。
【請求項３】
前記少なくとも１つの光源は、赤色、緑色、および青色光を異なる時間に放出するように構成される赤色、緑色、青色（ＲＧＢ）光源を備える、前記請求項のいずれかに記載の頭部搭載型ディスプレイシステム。
【請求項４】
前記少なくとも１つの光源は、シアン色、マゼンタ色、および黄色光を異なる時間に放出するように構成されるシアン色、マゼンタ色、黄色（ＣＭＹ）光源を備える、前記請求項のいずれかに記載の頭部搭載型ディスプレイシステム。
【請求項５】
光を出力するように構成される複数の側方に変位された光エミッタと、
前記複数の光エミッタからの光を集光するように構成される集光光学系と、
拡散器と、
前記拡散器の近位の複数の開口と
を備える、前記請求項のいずれかに記載の頭部搭載型ディスプレイシステム。
【請求項６】
前記光エミッタに対して配置され、前記光源から出力された光を集光する結合光学系をさらに備える、前記請求項のいずれかに記載の頭部搭載型ディスプレイシステム。
【請求項７】
前記結合光学系は、複合放物面集光器（ＣＰＣ）を備える、請求項６に記載の頭部搭載型ディスプレイシステム。
【請求項８】
前記空間光変調器は、反射型空間光変調器を備える、前記請求項のいずれかに記載の頭部搭載型ディスプレイシステム。
【請求項９】
前記空間光変調器は、液晶空間光変調器を備える、前記請求項のいずれかに記載の頭部搭載型ディスプレイシステム。
【請求項１０】
前記空間光変調器は、垂直に整合された液晶空間光変調器を備える、前記請求項のいずれかに記載の頭部搭載型ディスプレイシステム。
【請求項１１】
前記空間光変調器は、偏向ベースの空間光変調器を備える、前記請求項のいずれかに記載の頭部搭載型ディスプレイシステム。
【請求項１２】
前記空間光変調器は、可動ミラーのアレイを備える、前記請求項のいずれかに記載の頭部搭載型ディスプレイシステム。
【請求項１３】
光ダンプであって、オフ状態では、光が、前記可動ミラーのアレイによって、光ダンプに指向され、オン状態では、光が、対応する内部結合光学要素に指向されるような、光ダンプ
をさらに備える、前記請求項のいずれかに記載の頭部搭載型ディスプレイシステム。
【請求項１４】
前記少なくとも１つの導波管は、全内部反射によって光を前記導波管内で誘導するために十分な屈折率を有する可視光に対して透過性である材料を含む、前記請求項のいずれかに記載の頭部搭載型ディスプレイシステム。
【請求項１５】
前記少なくとも１つの導波管は、導波管のスタックを備える、前記請求項のいずれかに記載の頭部搭載型ディスプレイシステム。
【請求項１６】
前記導波管のスタックの異なる導波管は、異なる個別の色を伴う光を出力するように構成される、請求項１５に記載の頭部搭載型ディスプレイシステム。
【請求項１７】
前記導波管のスタックの第１、第２、および第３の導波管は、それぞれ、第１、第２、および第３の色の光を出力するように構成され、前記第１、第２、および第３の色の光は、それぞれ、赤色、青色、および緑色光である、請求項１５または１６に記載の頭部搭載型ディスプレイシステム。
【請求項１８】
前記導波管のスタックの異なる導波管は、前記ユーザの眼からの異なる距離から投影されるかのように、異なる量の発散、収束、およびコリメーションのうちの少なくとも１つを有する異なる波面を伴う光を出力するように構成される、請求項１５−１６のいずれかに記載の頭部搭載型ディスプレイシステム。
【請求項１９】
前記少なくとも１つの導波管は、ある偏光の光を内部結合するように構成される、前記請求項のいずれかに記載の頭部搭載型ディスプレイシステム。
【請求項２０】
前記内部結合光学要素は、回折光学要素および反射体のうちの少なくとも１つを備える、前記請求項のいずれかに記載の頭部搭載型ディスプレイシステム。
【請求項２１】
前記少なくとも１つの内部結合光学要素は、異なる個別の色を内部結合するように構成される複数の色選択的内部結合光学要素を備える、前記請求項のいずれかに記載の頭部搭載型ディスプレイシステム。
【請求項２２】
前記複数の内部結合光学要素は、第１の内部結合光学要素と、第２の内部結合光学要素とを備え、前記第２の内部結合光学要素は、第１の色の光が、前記第１の内部結合光学要素によって、第１の導波管の中に結合されて、その中で誘導され得、前記第１の色と異なる第２の色の光が、前記第１の内部結合光学要素を通して、前記第２の内部結合光学要素に通過し得、前記第２の内部結合光学要素によって、第２の導波管の中に結合されて、その中で誘導され得るように、前記第１の内部結合光学要素にわたって配置される、請求項２１に記載の頭部搭載型ディスプレイシステム。
【請求項２３】
前記複数の内部結合光学要素は、第３の内部結合光学要素を備え、前記第３の内部結合光学要素は、前記第１の色および前記第２の色と異なる第３の色の光が、前記第１の内部結合光学要素および前記第２の内部結合光学要素を通して前記第３の内部結合光学要素に通過し得、第３の導波管の中に結合されて、その中で誘導され得るように、前記第１の内部結合光学要素および第２の内部結合光学要素にわたって配置される、請求項２２に記載の頭部搭載型ディスプレイシステム。
【請求項２４】
前記第１の色は、赤色、緑色、および青色のうちの１つを含み、前記第２の色は、前記第１の色と異なる赤色、緑色、および青色のうちの１つを含み、前記第３の色は、前記第１および第２の色と異なる赤色、緑色、および青色のうちの１つを含む、請求項２３に記載の頭部搭載型ディスプレイシステム。
【請求項２５】
前記少なくとも１つの内部結合光学要素は、複数の色の光を前記少なくとも１つの導波管の導波管の中に結合し、前記光をその中で誘導するように構成される内部結合光学要素を備える、前記請求項のいずれかに記載の頭部搭載型ディスプレイシステム。
【請求項２６】
前記少なくとも１つの光源は、前記光学系および前記空間光変調器に対して配置され、複数の色の光を前記少なくとも１つの導波管の導波管の中に結合するように構成される前記内部結合光学要素に光を指向する光源を備え、前記光源は、異なる色の光を異なる時間に放出するように構成される、前記請求項のいずれかに記載の頭部搭載型ディスプレイシステム。
【請求項２７】
前記少なくとも１つの内部結合光学要素は、赤色光、緑色光、および青色光を前記少なくとも１つの導波管の導波管の中に結合し、前記光をその中で誘導するように構成される内部結合光学要素を備える、前記請求項のいずれかに記載の頭部搭載型ディスプレイシステム。
【請求項２８】
前記少なくとも１つの内部結合光学要素は、所定の偏光の光を内部結合するように構成される、前記請求項のいずれかに記載の頭部搭載型ディスプレイシステム。
【請求項２９】
前記少なくとも１つの内部結合光学要素は、相互に対して側方に変位された複数の内部結合光学要素を備える、前記請求項のいずれかに記載の頭部搭載型ディスプレイシステム。
【請求項３０】
前記複数の内部結合光学要素は、複数の色の光を前記少なくとも１つの導波管の第１の導波管の中に結合し、前記光をその中で誘導するように構成される第１の内部結合光学要素と、複数の色の光を前記少なくとも１つの導波管の第２の導波管の中に結合し、前記光をその中で誘導するように構成される第２の内部結合光学要素とを備え、前記第１の内部結合光学要素および前記第２の内部結合光学要素は、相互に対して側方に変位される、請求項２９に記載の頭部搭載型ディスプレイシステム。
【請求項３１】
前記少なくとも１つの光源は、前記光学系および前記空間光変調器に対して配置され、光を前記第１の内部結合光学要素に指向する第１の光源と、前記光学系および前記空間光変調器に対して配置され、光を前記第２の内部結合光学要素に指向する第２の光源とを備える、請求項２９または３０に記載の頭部搭載型ディスプレイシステム。
【請求項３２】
前記少なくとも１つの光源は、前記光学系および前記空間光変調器に対して配置され、光を前記第１の内部結合光学要素の中に指向する第１の光源を備え、前記第１の光源は、異なる色の光を異なる時間に放出するように構成される、請求項３０に記載の頭部搭載型ディスプレイシステム。
【請求項３３】
前記少なくとも１つの光源は、前記光学系および前記空間光変調器に対して配置され、光を前記第２の内部結合光学要素の中に指向する第２の光源を備え、前記第２の光源は、異なる色の光を異なる時間に放出するように構成される、請求項３２に記載の頭部搭載型ディスプレイシステム。
【請求項３４】
前記接眼レンズは、前記第１の導波管から外部結合される光および前記第２の導波管から外部結合される光が、異なる量の収束、発散、およびコリメーションのうちの少なくとも１つを有し、したがって、異なる深度から生じるように現れるように構成される、請求項３３に記載の頭部搭載型ディスプレイシステム。
【請求項３５】
前記接眼レンズは、前記第１の導波管から外部結合される光が、コリメートされ、前記第２の導波管から出力された光が、発散するように構成される、請求項３１−３４に記載の頭部搭載型ディスプレイシステム。
【請求項３６】
前記接眼レンズは、前記第１の導波管から外部結合される光が、第１の量を発散させ、前記第２の導波管から外部結合される光が、第２の量を発散させるように構成され、前記第２の量は、前記第１の量と異なる、請求項３１−３４に記載の頭部搭載型ディスプレイシステム。
【請求項３７】
前記少なくとも１つの内部結合光学要素は、赤色光、緑色光、および青色光を導波管の中に結合し、前記光をその中で誘導するように構成される内部結合光学要素を備える、前記請求項のいずれかに記載の頭部搭載型ディスプレイシステム。
【請求項３８】
前記少なくとも１つの光源は、前記光学系および前記空間光変調器に対して配置され、赤色光、緑色光、および青色光を前記少なくとも１つの導波管の導波管の中に結合するように構成される前記少なくとも１つの内部結合光学要素の中に光を指向する光源を備え、前記少なくとも１つの光源は、異なる赤色、緑色、および青色光を異なる時間に放出するように構成される、前記請求項のいずれかに記載の頭部搭載型ディスプレイシステム。
【請求項３９】
前記第１の光源は、第１の色の光源であり、前記第２の光源は、前記第１の色と異なる色を有する第２の色の光源である、請求項３１に記載の頭部搭載型ディスプレイシステム。
【請求項４０】
前記第１の光源は、赤色光源であり、前記第２の色の光源は、緑色の光源および青色の光源のうちの１つである、請求項３９に記載の頭部搭載型ディスプレイシステム。
【請求項４１】
前記少なくとも１つの内部結合光学要素は、複数の群の内部結合光学要素を備え、各群は、異なる個別の色を内部結合するように構成される複数の色選択的内部結合光学要素を備え、前記複数の群の各群は、相互に対して側方に変位される、前記請求項のいずれかに記載の頭部搭載型ディスプレイシステム。
【請求項４２】
前記複数の内部結合光学要素は、第１の内部結合光学要素と、第２の内部結合光学要素とを備え、前記第２の内部結合光学要素は、第１の色の光が、前記第１の内部結合光学要素によって、第１の導波管の中に結合されて、その中で誘導され得、前記第１の色と異なる第２の色の光が、前記第１の内部結合光学要素を通して、前記第２の内部結合光学要素に通過し得、前記第２の内部結合光学要素によって、第２の導波管の中に結合されて、その中で誘導され得るように、前記第１の内部結合光学要素にわたって配置される、請求項４１に記載の頭部搭載型ディスプレイシステム。
【請求項４３】
前記複数の内部結合光学要素は、第３の内部結合光学要素を備え、前記第３の内部結合光学要素は、前記第１の色および前記第２の色と異なる第３の色が、前記第１の内部結合光学要素および第２の内部結合光学要素を通して、前記第３の内部結合光学要素に通過し得、第３の導波管の中に結合されて、その中で誘導され得るように、前記第２の内部結合光学要素にわたって配置される、請求項４２に記載のシステム。
【請求項４４】
前記第１の色は、赤色、緑色、および青色のうちの１つを含み、前記第２の色は、前記第１の色と異なる赤色、緑色、および青色のうちの１つを含み、前記第３の色は、前記第１および第２の色と異なる赤色、緑色、および青色のうちの１つを含む、請求項４３に記載の頭部搭載型ディスプレイシステム。
【請求項４５】
前記少なくとも１つの内部結合光学要素は、第１の群の内部結合光学要素と、第２の群の内部結合光学要素とを備え、前記第１の群の内部結合光学要素は、異なる個別の色を内部結合するように構成される複数の色選択的内部結合光学要素を備え、前記第２の群の内部結合光学要素は、異なる個別の色を内部結合するように構成される複数の色選択的内部結合光学要素を備え、前記第１の群および前記第２の群は、相互に対して側方に変位される、前記請求項のいずれかに記載の頭部搭載型ディスプレイシステム。
【請求項４６】
前記第１の複数の内部結合光学要素は、第１の内部結合光学要素と、第２の内部結合光学要素とを備え、前記第２の内部結合光学要素は、第１の色の光が、前記第１の内部結合光学要素によって、第１の導波管の中に結合されて、その中で誘導され得、前記第１の色と異なる第２の色が、前記第１の内部結合光学要素を通して、前記第２の内部結合光学要素に通過し得、前記第２の内部結合光学要素によって、第２の導波管の中に結合されて、その中で誘導され得るように、前記第１の内部結合光学要素にわたって配置される、請求項４５に記載の頭部搭載型ディスプレイシステム。
【請求項４７】
前記第１の複数の内部結合光学要素は、第３の内部結合光学要素を備え、前記第３の内部結合光学要素は、前記第１の色および前記第２の色と異なる第３の色が、前記第１の内部結合光学要素および前記第２の内部結合光学要素を通して、前記第３の内部結合光学要素に通過し得、第３の導波管の中に結合されて、その中で誘導され得るように、前記第１の内部結合光学要素および前記第２の内部結合光学要素にわたって配置される、請求項４６に記載の頭部搭載型ディスプレイシステム。
【請求項４８】
前記第１の色は、赤色、緑色、および青色のうちの１つを含み、前記第２の色は、前記第１の色と異なる赤色、緑色、および青色のうちの１つを含み、前記第３の色は、前記第１および第２の色と異なる、赤色、緑色、および青色のうちの１つを含む、請求項４７に記載の頭部搭載型ディスプレイシステム。
【請求項４９】
第２の複数の内部結合光学要素は、第４の内部結合光学要素と、第５の内部結合光学要素とを備え、前記第５の内部結合光学要素は、第４の色の光が、前記第４の内部結合光学要素によって、第４の導波管の中に結合されて、その中で誘導され得、前記第１の色と異なる第５の色が、前記第４の内部結合光学要素を通して、前記第５の内部結合光学要素に通過し得、前記第２の内部結合光学要素によって、第５の導波管の中に結合されて、その中で誘導され得るように、前記第４の内部結合光学要素にわたって配置される、請求項４８に記載の頭部搭載型ディスプレイシステム。
【請求項５０】
前記第２の複数の内部結合光学要素は、第６の内部結合光学要素を備え、前記第６の内部結合光学要素は、前記第１の色および前記第２の色と異なる第６の色が、前記第４の内部結合光学要素および前記第５の内部結合光学要素を通して、前記第６の内部結合光学要素に通過し得、第６の導波管の中に結合されて、その中で誘導され得るように、前記第４の内部結合光学要素および第５の内部結合光学要素にわたって配置される、請求項４９に記載の頭部搭載型ディスプレイシステム。
【請求項５１】
前記接眼レンズは、前記第１の導波管、前記第２の導波管、および前記第３の導波管から外部結合される光が、前記第４の導波管、前記第５の導波管、および前記第６の導波管から外部結合される光と異なる量の収束、発散、およびコリメーションのうちの少なくとも１つを有し、したがって、前記第４の導波管、前記第５の導波管、および前記第６の導波管から出力された光と異なる深度から生じるように現れるように構成される、請求項５０に記載の頭部搭載型ディスプレイシステム。
【請求項５２】
前記接眼レンズは、前記第１の導波管、前記第２の導波管、および前記第３の導波管から外部結合される光が、コリメートされ、前記第４の導波管、第５の導波管、および前記第６の導波管から出力された光が、発散するように構成される、請求項５１に記載の頭部搭載型ディスプレイシステム。
【請求項５３】
前記接眼レンズは、前記第１の導波管、前記第２の導波管、および前記第３の導波管から外部結合された光が、発散し、前記第４の導波管、前記第５の導波管、および前記第６の導波管から出力された光が、異なる量で発散するように構成される、請求項５２に記載の頭部搭載型ディスプレイシステム。
【請求項５４】
前記少なくとも１つの光源は、前記光学系および前記空間光変調器に対して配置され、光を前記第１の群の内部結合光学要素の中に指向する第１の源を備え、前記第１の光源は、異なる色の光を異なる時間に放出するように構成される、請求項４５−５３のいずれかに記載の頭部搭載型ディスプレイシステム。
【請求項５５】
前記少なくとも１つの光源は、前記光学系および前記空間光変調器に対して配置され、光を前記第２の群の内部結合光学要素の中に指向する第２の光源を備え、前記第２の光源もまた、異なる色の光を異なる時間に放出するように構成される、請求項４５−５４のいずれかに記載の頭部搭載型ディスプレイシステム。
【請求項５６】
前記少なくとも１つの外部結合光学要素は、回折光学要素を備える、前記請求項のいずれかに記載の頭部搭載型ディスプレイシステム。
【請求項５７】
前記少なくとも１つの外部結合要素は、アイボックスの寸法を少なくとも１つの第１の軸に沿って増加させるように構成される、前記請求項のいずれかに記載の頭部搭載型ディスプレイシステム。
【請求項５８】
前記少なくとも１つの導波管内または前記少なくとも１つの導波管上に、前記アイボックスの寸法を前記少なくとも１つの第１の軸に直交する第２の軸に沿って増加させるように構成される少なくとも１つの光再指向要素を備える直交瞳エクスパンダをさらに備える、請求項５７に記載の頭部搭載型ディスプレイシステム。
【請求項５９】
前記少なくとも１つの光再指向要素は、回折光学要素を備える、請求項５８に記載の頭部搭載型ディスプレイシステム。
【請求項６０】
前記少なくとも１つの導波管の少なくとも一部は、前記少なくとも１つの光源と前記光学系との間に延在し、前記光学系を通して指向される前記少なくとも１つの光源からの光は、前記少なくとも１つの導波管の一部を通して、前記光学系に通過する、前記請求項のいずれかに記載の頭部搭載型ディスプレイシステム。
【請求項６１】
前記少なくとも１つの導波管は、第１の側と、前記第１の側と反対の第２の側とを有し、前記光学系および前記空間光変調器は、前記空間光変調器からの光が、前記第１の側上に指向されるように、前記第１の側上に配置される、前記請求項のいずれかに記載の頭部搭載型ディスプレイシステム。
【請求項６２】
前記少なくとも１つの光源は、前記少なくとも１つの光源からの光が、前記光学系を通して前記空間光変調器に通過することに先立って、前記第１の側上に入射するように、前記第１の側上に配置される、請求項６１に記載の頭部搭載型ディスプレイシステム。
【請求項６３】
前記少なくとも１つの光源は、前記少なくとも１つの光源からの光が、前記光学系を通して前記空間光変調器に通過することに先立って、前記第２の側上に入射するように、前記第２の側上に配置される、請求項６１に記載の頭部搭載型ディスプレイシステム。
【請求項６４】
前記少なくとも１つの導波管は、前記少なくとも１つの光源と前記光学系との間に配置される、請求項６３に記載の頭部搭載型ディスプレイシステム。
【請求項６５】
光源内部結合光学要素であって、前記少なくとも１つの光源からの光を受け取り、前記少なくとも１つの光源からの光を前記少なくとも１つの導波管の一部の中に結合し、その中で誘導されるようにするように、前記少なくとも１つの光源の近位の前記少なくとも１つの導波管の一部に対して配置される、光源内部結合光学要素
をさらに備える、前記請求項のいずれかに記載の頭部搭載型ディスプレイシステム。
【請求項６６】
前記少なくとも１つの導波管の一部内で誘導される光を前記少なくとも１つの導波管の一部から外に、前記光学系を通して、前記空間光変調器に指向するように構成される前記光源の近位の前記少なくとも１つの導波管の一部に対する外部結合光学要素をさらに備える、請求項６５に記載のシステム。
【請求項６７】
前記頭部搭載型ディスプレイシステムは、前記少なくとも１つの光源の近位の前記少なくとも１つの導波管の一部から前記光学系の中に結合される前記光の少なくとも一部が、前記空間光変調器上に入射し、再び、前記光学系を通して通過し、前記少なくとも１つの導波管の第２の部分上に入射し、再び、その中で誘導され、そこから外部結合され、前記ユーザの眼に指向されるように構成される、請求項６６に記載の頭部搭載型ディスプレイシステム。
【請求項６８】
前記光源の近位の前記少なくとも１つの導波管の一部から前記少なくとも１つの導波管の第２の部分の中へのクロストークを低減させるためのアイソレータをさらに備える、請求項６５−６７のいずれかに記載の頭部搭載型ディスプレイシステム。
【請求項６９】
前記アイソレータは、不透明表面および反射性表面のうちの１つを備える、請求項６８に記載の頭部搭載型ディスプレイシステム。
【請求項７０】
前記アイソレータは、前記少なくとも１つの導波管内に配置される、請求項５８に記載のシステム。
【請求項７１】
前記少なくとも１つの導波管は、第１の側と、前記第１の側と反対の第２の側とを有し、前記光学系および前記空間光変調器は、前記少なくとも１つの導波管の第１の側上に配置される、請求項６５−７０のいずれかに記載の頭部搭載型ディスプレイシステム。
【請求項７２】
前記少なくとも１つの光源は、前記少なくとも１つの光源からの光が、前記少なくとも１つの導波管の第１の側上に入射し、その中で誘導され、前記少なくとも１つの導波管の一部内で誘導される光が、前記少なくとも１つの導波管の第１の側から外に、前記第１の側上の前記光学系および前記空間光変調器に結合されるように、前記少なくとも１つの導波管の第１の側上に配置される、請求項７１に記載の頭部搭載型ディスプレイシステム。
【請求項７３】
前記少なくとも光源は、前記少なくとも１つの光源からの光が、前記光学系を通して前記空間光変調器に通過することに先立って、前記少なくとも１つの導波管の第２の側上に入射するように、前記少なくとも１つの導波管の第２の側上に配置される、請求項７１に記載の頭部搭載型ディスプレイシステム。
【請求項７４】
前記少なくとも１つの導波管は、前記少なくとも１つの光源と前記光学系との間に配置される、請求項７１または７３に記載の頭部搭載型ディスプレイシステム。
【請求項７５】
前記少なくとも１つの光源に光学的に結合された少なくとも１つの導波管であって、前記少なくとも１つの導波管から前記光学系の中に結合される前記光の少なくとも一部が、前記空間光変調器上に入射し、再び、前記光学系を通して通過し、前記少なくとも１つの導波管上に入射し、その中で誘導され、そこから外部結合され、前記ユーザの眼に指向されるように、前記少なくとも１つの光源からの光を受け取り、前記少なくとも１つの光源からの光をその中で誘導し、その中で誘導される光を前記光学系の中に結合する、少なくとも１つの導波管
をさらに備える、前記請求項のいずれかに記載の頭部搭載型ディスプレイシステム。
【請求項７６】
前記少なくとも１つの導波管上に配置された内部結合要素であって、前記光源からの光を受け取り、前記光源からの光を前記少なくとも１つの導波管の中に結合し、その中で誘導されるようにする、内部結合要素
をさらに備える、請求項７５に記載の頭部搭載型ディスプレイシステム。
【請求項７７】
前記少なくとも１つの導波管上に配置された外部結合要素であって、前記光源からの前記少なくとも１つの導波管内で誘導される光を受け取り、前記少なくとも１つの導波管内で誘導される光を、前記少なくとも１つの導波管から外に、前記光学系を通して、前記空間光変調器に結合する、外部結合要素
をさらに備える、請求項７６に記載の頭部搭載型ディスプレイシステム。
【請求項７８】
前記少なくとも１つの導波管と前記少なくとも１つの導波管との間のクロストークを低減させるためのアイソレータをさらに備える、請求項７５−７７のいずれかに記載の頭部搭載型ディスプレイシステム。
【請求項７９】
前記アイソレータは、不透明および反射性表面のうちの少なくとも１つを備える、請求項７８に記載の頭部搭載型ディスプレイシステム。
【請求項８０】
前記アイソレータは、前記少なくとも１つの導波管内または前記少なくとも１つの導波管上に配置される、請求項７８または７９に記載の頭部搭載型ディスプレイシステム。
【請求項８１】
前記少なくとも１つの導波管は、第１の側と、前記第１の側と反対の第２の側とを有し、前記光学系および前記空間光変調器は、前記少なくとも１つの導波管の第１の側上に配置される、請求項７５−８０のいずれかに記載の頭部搭載型ディスプレイシステム。
【請求項８２】
前記少なくとも１つの光源は、前記少なくとも１つの光源からの光が、前記少なくとも１つの導波管の第１の側上に入射し、その中で誘導され、前記少なくとも１つの導波管内で誘導される光が、前記少なくとも１つの導波管の第１の側から外に、前記第１の側上の前記光学系および前記空間光変調器に結合されるように、前記少なくとも１つの導波管の第１の側上に配置される、請求項８１に記載の頭部搭載型ディスプレイシステム。
【請求項８３】
前記少なくとも１つの光源は、前記少なくとも１つの光源からの光が、前記少なくとも１つの導波管の第２の側上に入射し、その中で誘導され、前記少なくとも１つの光導波路内で誘導される光が、前記少なくとも１つの導波管の第１の側から外に、前記第１の側上の前記光学系および前記空間光変調器に結合されるように、少なくとも１つの導波管の第２の側上に配置される、請求項８１に記載の頭部搭載型ディスプレイシステム。
【請求項８４】
前記少なくとも１つの導波管は、前記少なくとも１つの光源と前記光学系との間に配置される、請求項８１または８３に記載の頭部搭載型ディスプレイシステム。
【請求項８５】
前記光学系は、１つ以上のレンズを備える、前記請求項のいずれかに記載の頭部搭載型ディスプレイシステム。
【請求項８６】
前記光学系は、複数のレンズを備える、前記請求項のいずれかに記載の頭部搭載型ディスプレイシステム。
【請求項８７】
前記光学系は、正の屈折力を有する、前記請求項のいずれかに記載の頭部搭載型ディスプレイシステム。
【請求項８８】
前記光学系は、１つ以上の屈折光学要素を備える、前記請求項のいずれかに記載の頭部搭載型ディスプレイシステム。
【請求項８９】
前記空間光変調器は、偏光を変調させるように構成される、前記請求項のいずれかに記載の頭部搭載型ディスプレイシステム。
【請求項９０】
前記空間光変調器と前記ユーザの眼との間の光学経路内の分析器をさらに備える、前記請求項のいずれかに記載の頭部搭載型ディスプレイシステム。
【請求項９１】
前記分析器は、前記光学系と前記少なくとも１つの内部結合光学要素との間の光学経路内に配置される、請求項９０に記載の頭部搭載型ディスプレイシステム。
【請求項９２】
前記少なくとも１つの光源と前記空間光変調器との間に配置される偏光器をさらに備える、前記請求項のいずれかに記載の頭部搭載型ディスプレイシステム。
【請求項９３】
前記少なくとも１つの光源は、偏光源を備える、前記請求項のいずれかに記載の頭部搭載型ディスプレイシステム。
【請求項９４】
偏光器が、前記光学系と前記空間光変調器との間に配置される、前記請求項のいずれかに記載の頭部搭載型ディスプレイシステム。
【請求項９５】
前記偏光器は、前記空間光変調器の直上に配置される、請求項９４に記載の頭部搭載型ディスプレイシステム。
【請求項９６】
前記偏光器は、ワイヤグリッド偏光器を備える、前記請求項のいずれかに記載の頭部搭載型ディスプレイシステム。
【請求項９７】
前記分析器は、円偏光器である、請求項９０に記載の頭部搭載型ディスプレイシステム。
【請求項９８】
調節可能屈折力を伴う可変光学要素をさらに備える、前記請求項のいずれかに記載の頭部搭載型ディスプレイシステム。
【請求項９９】
前記可変光学要素は、レンズまたはミラーを備える、請求項９８に記載の頭部搭載型ディスプレイシステム。
【請求項１００】
前記可変光学要素は、第１の状態と、第２の状態とを有するように構成され、前記第１の状態では、前記可変光学要素は、前記第２の状態にあるときと異なる屈折力を有する、請求項９８または９９に記載の頭部搭載型ディスプレイシステム。
【請求項１０１】
前記可変光学要素は、前記第１の状態では、負の屈折力を有し、前記第２の状態では、ゼロ屈折力を有する、請求項１００に記載の頭部搭載型ディスプレイシステム。
【請求項１０２】
前記可変光学要素は、前記第１の状態では、正の屈折力を有し、前記第２の状態では、ゼロ屈折力を有する、請求項１００に記載の頭部搭載型ディスプレイシステム。
【請求項１０３】
前記可変光学要素は、前記第１の状態では、第１の負の屈折力を有し、前記第２の状態では、第２の異なる負の屈折力を有する、請求項１００に記載の頭部搭載型ディスプレイシステム。
【請求項１０４】
前記可変光学要素は、前記第１の状態では、第１の正の屈折力を有し、前記第２の状態では、第２の異なる正の屈折力を有する、請求項１００に記載の頭部搭載型ディスプレイシステム。
【請求項１０５】
前記可変光学要素は、前記第１の状態では、第１の負の屈折力を有し、前記第２の状態では、第２の正の屈折力を有する、請求項１００に記載の頭部搭載型ディスプレイシステム。
【請求項１０６】
前記可変光学要素は、液体レンズを備える、請求項９８に記載の頭部搭載型ディスプレイシステム。
【請求項１０７】
光学要素を備える調節可能調光器をさらに備え、前記光学要素は、それを通して透過される光の可変減衰を提供する、前記請求項のいずれかに記載の頭部搭載型ディスプレイシステム。
【請求項１０８】
前記ユーザの眼の屈折補正を提供するように構成される処方箋レンズをさらに備える、前記請求項のいずれかに記載の頭部搭載型ディスプレイシステム。
【請求項１０９】
前記少なくとも１つの導波管と前記ユーザの眼との間の経路内に配置される静的レンズをさらに備える、前記請求項のいずれかに記載の頭部搭載型ディスプレイシステム。
【請求項１１０】
前記分析器はまた、光を前記光源から前記光学系に伝搬させるための偏光器としての役割を果たすように構成される、請求項９１に記載の頭部搭載型ディスプレイシステム。
【請求項１１１】
前記導波管の前記ユーザに近接する側上に配置されるカラーフィルタアレイをさらに備え、前記カラーフィルタアレイは、複数の異なるカラーフィルタを備える、前記請求項のいずれかに記載の頭部搭載型ディスプレイシステム。
【請求項１１２】
前記カラーフィルタアレイは、迷光の伝搬および反射を低減させるように構成される前記カラーフィルタ間に配置される吸光材料を含む、請求項１１１に記載の頭部搭載型ディスプレイシステム。
【請求項１１３】
偏光器が、前記光源の光学経路内に配置され、第１の偏光の光を透過させ、第２の偏光の光を反射させるように構成され得、前記光源に向かって指向される前記第２の偏光の反射された光の一部は、前記第１の偏光を取得する、前記請求項のいずれかに記載の頭部搭載型ディスプレイシステム。
【請求項１１４】
前記光源に向かって指向される前記第２の偏光の反射された光の一部は、前記光源からの光を集光するように配置される結合光学系から反射することによって、前記第１の偏光を取得する、請求項１１３に記載の頭部搭載型ディスプレイシステム。
【請求項１１５】
４分の１波長板をさらに備える、前記請求項のいずれかに記載の頭部搭載型ディスプレイシステム。
【請求項１１６】
前記光のより一貫した直交回転を提供するように構成される補償器をさらに備える、前記請求項のいずれかに記載の頭部搭載型ディスプレイシステム。
【請求項１１７】
前記光学系および空間光変調器は、相互に対して傾斜される、前記請求項のいずれかに記載の頭部搭載型ディスプレイシステム。
【請求項１１８】
前記結合光学系、光学系、および空間光変調器は、前記接眼レンズに対して傾斜される、前記請求項のいずれかに記載の頭部搭載型ディスプレイシステム。
【請求項１１９】
前記結合光学系、光学系、および空間光変調器は、前記接眼レンズに対して傾斜される、前記請求項のいずれかに記載の頭部搭載型ディスプレイシステム。
【請求項１２０】
前記光源からの光は、再利用または回収されるように構成される、前記請求項のいずれかに記載の頭部搭載型ディスプレイシステム。
【請求項１２１】
第１の偏光を有する前記光源からの光を前記光学系に透過させ、第２の異なる偏光を有する光を前記光源に向かって戻るように反射させるように構成される偏光器をさらに備える、前記請求項のいずれかに記載の頭部搭載型ディスプレイシステム。
【請求項１２２】
前記偏光器によって反射された前記第２の偏光の光の少なくとも一部を前記第１の偏光の光に変換する前記光源と前記偏光器との間の結合要素をさらに備える、前記請求項のいずれかに記載の頭部搭載型ディスプレイシステム。
【請求項１２３】
前記光源は、光を出力するように構成される複数の側方に変位された光エミッタを備える、前記請求項のいずれかに記載の頭部搭載型ディスプレイシステム。
【請求項１２４】
前記複数の光エミッタからの光を集光するように構成される集光光学系または結合要素をさらに備える、前記請求項のいずれかに記載の頭部搭載型ディスプレイシステム。
【請求項１２５】
前記光源と前記光学系との間の光学経路内の拡散器をさらに備える、前記請求項のいずれかに記載の頭部搭載型ディスプレイシステム。
【請求項１２６】
前記光源と前記光学系との間の１つ以上の開口をさらに備える、前記請求項のいずれかに記載の頭部搭載型ディスプレイシステム。
【請求項１２７】
前記光源と前記光学系との間の複数の開口をさらに備える、前記請求項のいずれかに記載の頭部搭載型ディスプレイシステム。
【請求項１２８】
拡散器と、前記光源と前記光学系との間の複数の開口とをさらに備え、前記拡散器は、前記開口の近位にある、前記請求項のいずれかに記載の頭部搭載型ディスプレイシステム。
【請求項１２９】
前記光源は、１つ以上のレーザダイオードを備える、前記請求項のいずれかに記載の頭部搭載型ディスプレイシステム。
【請求項１３０】
前記光源に対して配置され、前記光源から出力された光を集光する結合光学系をさらに備える、前記請求項のいずれかに記載の頭部搭載型ディスプレイシステム。
【請求項１３１】
前記結合光学系は、複合放物面集光器（ＣＰＣ）を備える、請求項１３０に記載の頭部搭載型ディスプレイシステム。
【請求項１３２】
前記光源に対して配置され、前記光源から出力された光を集光する集光光学系をさらに備える、前記請求項のいずれかに記載の頭部搭載型ディスプレイシステム。
【請求項１３３】
前記集光光学系は、１つ以上のレンズから成る、前記請求項のいずれかに記載の頭部搭載型ディスプレイシステム。
【請求項１３４】
前記集光光学系は、複数のレンズから成る、前記請求項のいずれかに記載の頭部搭載型ディスプレイシステム。
【請求項１３５】
前記光源と前記光学系との間の４分の１波リターダをさらに備える、前記請求項のいずれかに記載の頭部搭載型ディスプレイシステム。
【請求項１３６】
偏光器が、前記空間光変調器に添着される、前記請求項のいずれかに記載の頭部搭載型ディスプレイシステム。
【請求項１３７】
偏光器が、接着剤を用いて、前記空間光変調器に接着される、前記請求項のいずれかに記載の頭部搭載型ディスプレイシステム。
【請求項１３８】
偏光器が、機械的固定具を使用して、前記空間光変調器に接着される、前記請求項のいずれかに記載の頭部搭載型ディスプレイシステム。
【請求項１３９】
補償器が、前記空間光変調器に添着される、前記請求項のいずれかに記載の頭部搭載型ディスプレイシステム。
【請求項１４０】
補償器が、接着剤を用いて、前記空間光変調器に接着される、前記請求項のいずれかに記載の頭部搭載型ディスプレイシステム。
【請求項１４１】
補償器が、機械的固定具を使用して、前記空間光変調器に接着される、前記請求項のいずれかに記載の頭部搭載型ディスプレイシステム。
【請求項１４２】
リターダが、前記空間光変調器に添着される、前記請求項のいずれかに記載の頭部搭載型ディスプレイシステム。
【請求項１４３】
リターダが、接着剤を用いて、前記空間光変調器に接着される、前記請求項のいずれかに記載の頭部搭載型ディスプレイシステム。
【請求項１４４】
リターダが、機械的固定具を使用して、前記空間光変調器に接着される、前記請求項のいずれかに記載の頭部搭載型ディスプレイシステム。
【請求項１４５】
４分の１波リターダが、前記空間光変調器に添着される、前記請求項のいずれかに記載の頭部搭載型ディスプレイシステム。
【請求項１４６】
４分の１波リターダが、接着剤を用いて、前記空間光変調器に接着される、前記請求項のいずれかに記載の頭部搭載型ディスプレイシステム。
【請求項１４７】
４分の１波リターダが、機械的固定具を使用して、前記空間光変調器に接着される、前記請求項のいずれかに記載の頭部搭載型ディスプレイシステム。
【請求項１４８】
前記偏光器は、ワイヤグリッド偏光器を備える、前記請求項のいずれかに記載の頭部搭載型ディスプレイシステム。
【請求項１４９】
前記空間光変調器と前記内部結合光学要素との間の円偏光器をさらに備える、前記請求項のいずれかに記載の頭部搭載型ディスプレイシステム。
【請求項１５０】
前記円偏光器は、線形分析器と、４分の１波リターダとを備える、請求項１４９に記載の頭部搭載型ディスプレイシステム。
【請求項１５１】
前記光学系と前記少なくとも１つの導波管との間および前記光源と前記光学系との間の単一偏光器をさらに備える、前記請求項のいずれかに記載の頭部搭載型ディスプレイシステム。
【請求項１５２】
前記光ダンプは、吸光材料を含む、前記請求項のいずれかに記載の頭部搭載型ディスプレイシステム。
【請求項１５３】
前記光ダンプは、フィルタアレイのフィルタを囲繞する吸光材料を含む、前記請求項のいずれかに記載の頭部搭載型ディスプレイシステム。
【請求項１５４】
前記光源は、前記光源からの光が、前記少なくとも１つの導波管を通して通過せずに、前記光学系の中に指向されるように、前記少なくとも１つの導波管に対して側方に配置される、前記請求項のいずれかに記載の頭部搭載型ディスプレイシステム。
【請求項１５５】
前記光源は、前記光源からの光が、前記少なくとも１つの導波管を通して通過せずに、前記光学系の中に指向されるように、前記少なくとも１つの導波管に対して側方に延在する透明層上に配置される、前記請求項のいずれかに記載の頭部搭載型ディスプレイシステム。
【請求項１５６】
前記光源は、前記少なくとも１つの導波管の前記ユーザの眼により近い側より前記少なくとも１つの導波管の前記ユーザの正面の環境により近い側に近い透明層上に配置され、前記透明層は、前記光源からの光が、前記少なくとも１つの導波管を通して通過せずに、前記光学系の中に指向されるように、前記少なくとも１つの導波管に対して側方に延在する、前記請求項のいずれかに記載の頭部搭載型ディスプレイシステム。
【請求項１５７】
前記光源は、前記少なくとも１つの導波管の前記ユーザの正面の環境により近い側より前記少なくとも１つの導波管の前記ユーザの眼により近い側に近い透明層上に配置され、前記透明層は、前記光源からの光が、前記少なくとも１つの導波管を通して通過せずに、前記光学系の中に指向されるように、前記少なくとも１つの導波管に対して側方に延在する、前記請求項のいずれかに記載の頭部搭載型ディスプレイシステム。
【請求項１５８】
透明層は、カバーガラスを備える、前記請求項のいずれかに記載の頭部搭載型ディスプレイシステム。
【請求項１５９】
相互に対して側方に変位される複数のカラーフィルタをさらに備え、前記カラーフィルタは、個別のカラーフィルタを通して通過する光が個別の内部結合光学要素上に入射するように、相互に対して側方に変位される複数の内部結合光学要素に対して側方に整合される、前記請求項のいずれかに記載の頭部搭載型ディスプレイシステム。
【請求項１６０】
前記複数のカラーフィルタは、カラーフィルタアレイを備える、前記請求項のいずれかに記載の頭部搭載型ディスプレイシステム。
【請求項１６１】
前記空間光変調器と前記光学系との間の光学経路内に配置される偏光器をさらに備える、前記請求項のいずれかに記載の頭部搭載型ディスプレイシステム。
【請求項１６２】
前記空間光変調器と前記光学系との間の光学経路内に配置される分析器をさらに備える、前記請求項のいずれかに記載の頭部搭載型ディスプレイシステム。
【請求項１６３】
前記空間光変調器と前記光学系との間の光学経路内に配置される補償器をさらに備える、前記請求項のいずれかに記載の頭部搭載型ディスプレイシステム。
【請求項１６４】
前記空間光変調器と前記光学系との間の光学経路内に配置されるリターダをさらに備える、前記請求項のいずれかに記載の頭部搭載型ディスプレイシステム。
【請求項１６５】
前記空間光変調器と前記光学系との間の光学経路内に配置される４分の１波リターダをさらに備える、前記請求項のいずれかに記載の頭部搭載型ディスプレイシステム。
【請求項１６６】
前記少なくとも１つの導波管と屈折力を有する前記光学系との間の第１の円偏光器をさらに備える、前記請求項のいずれかに記載の頭部搭載型ディスプレイシステム。
【請求項１６７】
前記第１の円偏光器は、前記光源と屈折力を有する前記光学系との間にある、請求項１６６に記載の頭部搭載型ディスプレイシステム。
【請求項１６８】
屈折力を有する前記光学系と前記空間光変調器との間の第２の円偏光器をさらに備える、前記請求項のいずれかに記載の頭部搭載型ディスプレイシステム。
【請求項１６９】
前記第２の円偏光器と前記空間光変調器との間のリターダをさらに備える、請求項１６８に記載の頭部搭載型ディスプレイシステム。
【請求項１７０】
前記第２の円偏光器と前記空間光変調器との間の第３の円偏光器をさらに備える、請求項１６８または１６９に記載の頭部搭載型ディスプレイシステム。
【請求項１７１】
前記第２の円偏光器と第３の円偏光器との間のリターダをさらに備える、請求項１７０に記載の頭部搭載型ディスプレイシステム。
【請求項１７２】
屈折力を有する前記光学系と前記空間光変調器との間の補償器をさらに備える、前記請求項のいずれかに記載の頭部搭載型ディスプレイシステム。
【請求項１７３】
前記第２の円偏光器と前記空間光変調器との間の補償器をさらに備える、請求項１６８−１７１のいずれかに記載の頭部搭載型ディスプレイシステム。
【請求項１７４】
前記第３の円偏光器と前記空間光変調器との間の補償器をさらに備える、請求項１７０−１７１のいずれかに記載の頭部搭載型ディスプレイシステム。
【請求項１７５】
屈折力を有する前記光学系と前記空間光変調器との間のカバーガラスをさらに備える、前記請求項のいずれかに記載の頭部搭載型ディスプレイシステム。
【請求項１７６】
前記第２の円偏光器と前記空間光変調器との間のカバーガラスをさらに備える、請求項１６８−１７４のいずれかに記載の頭部搭載型ディスプレイシステム。
【請求項１７７】
前記第３の円偏光器と前記空間光変調器との間のカバーガラスをさらに備える、請求項１７０−１７４のいずれかに記載の頭部搭載型ディスプレイシステム。
【請求項１７８】
前記補償器と前記空間光変調器との間のカバーガラスをさらに備える、請求項１７２−１７４のいずれかに記載の頭部搭載型ディスプレイシステム。
【請求項１７９】
前記少なくとも１つの導波管に対して傾斜され、前記光学表面から反射された光を再指向する少なくとも１つの光学表面をさらに備える、前記請求項のいずれかに記載の頭部搭載型ディスプレイシステム。
【請求項１８０】
前記空間光変調器に対して傾斜され、前記光学表面から反射された光を再指向する少なくとも１つの光学表面をさらに備える、前記請求項のいずれかに記載の頭部搭載型ディスプレイシステム。
【請求項１８１】
少なくとも１つの偏光器またはリターダに対して傾斜され、前記光学表面から反射された光を再指向する少なくとも１つの光学表面をさらに備える、前記請求項のいずれかに記載の頭部搭載型ディスプレイシステム。
【請求項１８２】
屈折力を有する前記光学系の光学軸に対して傾斜され、前記光学表面から反射された光を再指向する法線を有する少なくとも１つの光学表面をさらに備える、前記請求項のいずれかに記載の頭部搭載型ディスプレイシステム。
【請求項１８３】
傾斜された前記少なくとも１つの光学表面は、前記少なくとも１つの導波管の内部結合光学要素から離れるように反射された光を再指向する、請求項１７９−１８２のいずれかに記載の頭部搭載型ディスプレイシステム。
【請求項１８４】
傾斜された前記少なくとも１つの光学表面は、前記反射された光のうちの少ないものが、前記少なくとも１つの導波管の中に結合され、その中で誘導されるように、反射された光を再指向する、請求項１７９−１８３のいずれかに記載の頭部搭載型ディスプレイシステム。
【請求項１８５】
傾斜された前記少なくとも１つの光学表面は、前記反射された光のうちの少ないものが、前記ユーザの眼に指向されるように、反射された光を再指向する、請求項１７９−１８４のいずれかに記載の頭部搭載型ディスプレイシステム。
【請求項１８６】
傾斜された前記少なくとも１つの光学表面は、前記反射された光の少なくとも一部を前記光源に再指向する、請求項１７９−１８５のいずれかに記載の頭部搭載型ディスプレイシステム。
【請求項１８７】
傾斜された前記少なくとも１つの光学表面から反射された光の少なくとも一部を受け取るための光ダンプをさらに備える、請求項１７９−１８６のいずれかに記載の頭部搭載型ディスプレイシステム。
【請求項１８８】
傾斜された前記少なくとも１つの光学表面は、前記カバーガラス上にある、請求項１７９−１８７のいずれかに記載の頭部搭載型ディスプレイシステム。
【請求項１８９】
傾斜された前記少なくとも１つの光学表面は、少なくとも１つのリターダ、少なくとも１つの偏光器、または少なくとも１つの補償器のうちの１つ以上のもの上にある、請求項１７９−１８８のいずれかに記載の頭部搭載型ディスプレイシステム。
【請求項１９０】
前記カバーガラスは、楔形状である、前記請求項のいずれかに記載の頭部搭載型ディスプレイシステム。
【請求項１９１】
少なくとも１つのリターダ、少なくとも１つの偏光器、または少なくとも１つの補償器は、楔形状である、前記請求項のいずれかに記載の頭部搭載型ディスプレイシステム。
【請求項１９２】
前記光源に対して配置され、そこから放出される光の偏光を回転させる偏光回転子をさらに備える、前記請求項のいずれかに記載の頭部搭載型ディスプレイシステム。
【請求項１９３】
前記光源と前記第１の円偏光器との間に配置される、偏光回転子をさらに備える、請求項１６６または１６７に記載の頭部搭載型ディスプレイシステム。
【請求項１９４】
前記少なくとも１つの内部結合光学要素は、第１および第２の内部結合光学要素を備え、前記頭部搭載型ディスプレイシステムはさらに、第１および第２のカラーフィルタを備え、前記第１および第２のカラーフィルタは、それぞれ、前記第１および第２の内部結合光学要素と関連付けられる、前記請求項のいずれかに記載の頭部搭載型ディスプレイシステム。
【請求項１９５】
前記第１のカラーフィルタは、前記第２のカラーフィルタより第１の色の光を透過させ、前記第２のカラーフィルタは、前記第１の色より第２の色の光を透過させる、請求項１９４に記載の頭部搭載型ディスプレイシステム。
【請求項１９６】
前記少なくとも１つの導波管は、第１および第２の導波管を備え、前記第１の内部結合光学要素は、前記第２のカラーフィルタより第１の色の光を前記第１の導波管の中に結合し、前記第２の内部結合光学要素は、前記第１の色より第２の色の光を前記第２の導波管の中に結合する、請求項１９４または１９５に記載の頭部搭載型ディスプレイシステム。
【請求項１９７】
前記第１および第２のカラーフィルタは、前記個別の第１および第２の内部結合光学要素と側方に整合される、請求項１９４−１９６のいずれかに記載の頭部搭載型ディスプレイシステム。
【請求項１９８】
第１および第２の光源をさらに備え、前記第１および第２の光源は、光を、それぞれ、前記第１および第２のカラーフィルタを通して、それぞれ、前記第１および第２の内部結合光学要素に指向するように配置される、請求項１９４−１９７のいずれかに記載の頭部搭載型ディスプレイシステム。
【請求項１９９】
第１および第２の光源をさらに備え、前記第１および第２のカラーフィルタは、それぞれ、前記第１および第２の光源と前記第１および第２の内部結合光学要素との間の第１および第２の光学経路内に配置される、請求項１９４−１９７のいずれかに記載の頭部搭載型ディスプレイシステム。
【請求項２００】
前記第１および第２の光源は、それぞれ、第１および第２の色を放出するように構成される第１および第２の色の光源を備える、請求項１９８または１９９に記載の頭部搭載型ディスプレイシステム。
【請求項２０１】
前記第１および第２の光源は、前記第１および第２の色の両方を放出するように構成される広帯域色光源を備える、請求項１９８または１９９に記載の頭部搭載型ディスプレイシステム。
【発明の詳細な説明】
【技術分野】
【０００１】
（関連出願の相互参照）
本願は、３５Ｕ．Ｓ．Ｃ．§１１９（ｅ）下、そのそれぞれの開示が、参照することによってその全体として本明細書に組み込まれる、２０１７年１２月１１日に出願され、「ＷＡＶＥＧＵＩＤＥ  ＩＬＬＵＭＩＮＡＴＯＲ」と題された、米国仮特許出願第６２／５９７，３５９号、および２０１８年１月３０日に出願され、「ＷＡＶＥＧＵＩＤＥ  ＩＬＬＵＭＩＮＡＴＯＲ」と題された、米国仮特許出願第６２／６２４，１０９号の優先権の利益を主張する。
【０００２】
（参照による引用）
本願は、参照することによって、以下の特許出願、すなわち、２０１４年１１月２７日に出願され、米国特許公開第２０１５／０２０５１２６号として２０１５年７月２３日に公開された、米国特許出願第１４／５５５，５８５号、２０１５年４月１８日に出願され、米国特許公開第２０１５／０３０２６５２号として２０１５年１０月２２日に公開された、米国特許出願第１４／６９０，４０１号、２０１４年３月１４日に出願され、２０１６年８月１６日に発行された、現米国特許第９，４１７，４５２号である、米国特許出願第１４／２１２，９６１号、２０１４年７月１４日に出願され、米国特許公開第２０１５／０３０９２６３として、２０１５年１０月２９日に公開された、米国特許出願第１４／３３１，２１８号、および２０１７年１２月１１日に出願された、米国仮出願第６２／５９７，３５９号のそれぞれの全体を組み込む。
【０００３】
本開示は、空間光変調器照明および画像投影の両方のための共通光学系を有する、ディスプレイシステムに関する。
【背景技術】
【０００４】
現代のコンピューティングおよびディスプレイ技術は、いわゆる「仮想現実」または「拡張現実」体験のためのシステムの開発を促進しており、デジタル的に再現された画像またはその一部が、現実であるように見える、すなわち、そのように知覚され得る様式でユーザに提示される。仮想現実、すなわち、または「ＶＲ」シナリオは、典型的には、他の実際の実世界の視覚的入力に対する透過性を伴わずに、デジタルまたは仮想画像情報の提示を伴い、拡張現実または「ＡＲ」シナリオは、典型的には、ユーザの周囲の実際の世界の可視化に対する拡張としてのデジタルまたは仮想画像情報の提示を伴う。複合現実または「ＭＲ」シナリオは、一種のＡＲシナリオであって、典型的には、自然世界の中に統合され、それに応答する、仮想オブジェクトを伴う。例えば、ＭＲシナリオは、実世界内のオブジェクトによって遮断されて見える、または別様にそれと相互作用するように知覚される、ＡＲ画像コンテンツを含み得る。
【０００５】
図１を参照すると、拡張現実場面１０が、描写される。ＡＲ技術のユーザには、人々、木々、背景における建物、コンクリートプラットフォーム３０を特徴とする、実世界公園状設定２０が見える。ユーザはまた、実世界プラットフォーム３０上に立っているロボット像４０と、マルハナバチの擬人化のように見える、飛んでいる漫画のようなアバタキャラクタ５０等の「仮想コンテンツ」を「見ている」と知覚する。これらの要素５０、４０は、実世界内に存在しないという点において、「仮想」である。ヒトの視知覚系は、複雑であって、他の仮想または実世界画像要素間における仮想画像要素の快適で、自然のような感覚で、かつ豊かな提示を促進する、ＡＲ技術の生成は、困難である。
【０００６】
本明細書に開示されるシステムおよび方法は、ＡＲまたはＶＲ技術に関連する種々の課題に対処する。
【０００７】
偏光ビームスプリッタが、ディスプレイシステム内で使用され、偏光を光変調器に指向し、次いで、本光を視認者に指向してもよい。ディスプレイシステムのサイズを低減させることの継続した需要が存在し、概して、その結果、偏光ビームスプリッタを利用する構成部分を含む、ディスプレイシステムの構成部分のサイズを低減させることの需要もまた存在する。
【発明の概要】
【課題を解決するための手段】
【０００８】
本開示のシステム、方法、およびデバイスはそれぞれ、いくつかの革新的側面を有し、そのうちの単一の１つが、本明細書に開示される望ましい属性に関与するわけではない。
【０００９】
本明細書に説明される主題の１つ以上の実施形態の詳細は、付随の図面および下記の説明に記載される。他の特徴、側面、および利点は、説明、図面、および請求項から明白となるであろう。以下の図の相対的寸法は、正確な縮尺で描かれていない場合があることに留意されたい。
【００１０】
空間光変調器照明および画像投影の両方のための共通光学を有する、頭部搭載型ディスプレイシステムの種々の実施例が、本明細書に説明される。
【００１１】
実施例：
１．光をユーザの眼に投影し、拡張現実画像コンテンツをユーザの視野内に表示するように構成される、頭部搭載型ディスプレイシステムであって、
ユーザの頭部上に支持されるように構成される、フレームと、
光を出力するように構成される、少なくとも１つの光源と、
少なくとも１つの光源からの光を受け取るように配置される、空間光変調器と、
フレーム上に配置される、接眼レンズであって、接眼レンズは、空間光変調器からの光をユーザの眼の中に指向し、拡張現実画像コンテンツをユーザの視野に表示するように構成され、接眼レンズの少なくとも一部は、透明であって、ユーザが頭部搭載型ディスプレイシステムを装着すると、ユーザの眼の正面の場所に配置され、透明部分は、ユーザの正面の物理的環境の一部からの光をユーザの眼に透過させ、ユーザの正面の物理的環境の一部のビューを提供し、
（ａ）少なくとも１つの導波管と、
（ｂ）空間光変調器からの光を少なくとも１つの導波管の中に内部結合するように構成される、少なくとも１つの内部結合光学要素と、
（ｃ）導波管内で誘導される光を導波管から外に結合し、光をユーザの眼に指向するように構成される、少なくとも１つの外部結合光学要素と、
を備える、接眼レンズと、
屈折力を有する、光学系であって、光学系は、光源から出力された光を受け取るように配置され、光源から受け取られた光が、光学系を通して通過し、空間光変調器を照明するように、空間光変調器に対して配列される、光学系と、
を備え、
頭部搭載型ディスプレイシステムは、空間光変調器を照明する光が、光学系を通して戻るように再指向され、少なくとも１つの内部結合光学要素を通して、少なくとも１つの導波管の中に結合され、結合された光の少なくとも一部が、少なくとも１つの外部結合光学要素によって、少なくとも１つの導波管から射出され、ユーザの眼に指向されるように構成される、頭部搭載型ディスプレイシステム。
２．少なくとも１つの光源は、異なる色の光を異なる時間に放出するように構成される、マルチカラー光源を備える、実施例１に記載の頭部搭載型ディスプレイシステム。
３．少なくとも１つの光源は、赤色、緑色、および青色光を異なる時間に放出するように構成される、赤色、緑色、青色（ＲＧＢ）光源を備える、上記実施例のいずれかに記載の頭部搭載型ディスプレイシステム。
４．少なくとも１つの光源は、シアン色、マゼンタ色、および黄色光を異なる時間に放出するように構成される、シアン色、マゼンタ色、黄色（ＣＭＹ）光源を備える、上記実施例のいずれかに記載の頭部搭載型ディスプレイシステム。
５．
光を出力するように構成される、複数の側方に変位された光エミッタと、
複数の光エミッタからの光を集光するように構成される、集光光学系と、
拡散器と、
拡散器の近位の複数の開口と、
を備える、上記実施例のいずれかに記載の頭部搭載型ディスプレイシステム。
６．光エミッタに対して配置され、光源から出力された光を集光する、結合光学系をさらに備える、上記実施例のいずれかに記載の頭部搭載型ディスプレイシステム。
７．結合光学系は、複合放物面集光器（ＣＰＣ）を備える、実施例６に記載の頭部搭載型ディスプレイシステム。
８．空間光変調器は、反射型空間光変調器を備える、上記実施例のいずれかに記載の頭部搭載型ディスプレイシステム。
９．空間光変調器は、液晶空間光変調器を備える、上記実施例のいずれかに記載の頭部搭載型ディスプレイシステム。
１０．空間光変調器は、垂直に整合された液晶空間光変調器を備える、上記実施例のいずれかに記載の頭部搭載型ディスプレイシステム。
１１．空間光変調器は、偏向ベースの空間光変調器を備える、上記実施例のいずれかに記載の頭部搭載型ディスプレイシステム。
１２．空間光変調器は、可動ミラーのアレイを備える、上記実施例のいずれかに記載の頭部搭載型ディスプレイシステム。
１３．オフ状態では、光が、可動ミラーのアレイによって、光ダンプに指向され、オン状態では、光が、対応する内部結合光学要素に指向されるような、光ダンプをさらに備える、上記実施例のいずれかに記載の頭部搭載型ディスプレイシステム。
１４．少なくとも１つの導波管は、全内部反射によって光を導波管内で誘導するために十分な屈折率を有する可視光に対して透過性である、材料を含む、上記実施例のいずれかに記載の頭部搭載型ディスプレイシステム。
１５．少なくとも１つの導波管は、導波管のスタックを備える、上記実施例のいずれかに記載の頭部搭載型ディスプレイシステム。
１６．導波管のスタックの異なる導波管は、異なる個別の色を伴う光を出力するように構成される、実施例１５に記載の頭部搭載型ディスプレイシステム。
１７．導波管のスタックの第１、第２、および第３の導波管は、それぞれ、第１、第２、および第３の色の光を出力するように構成され、第１、第２、および第３の色の光は、それぞれ、赤色、青色、および緑色光である、実施例１５または１６に記載の頭部搭載型ディスプレイシステム。
１８．導波管のスタックの異なる導波管は、ユーザの眼からの異なる距離から投影されるかのように、異なる量の発散、収束、およびコリメーションのうちの少なくとも１つを有する、異なる波面を伴う光を出力するように構成される、実施例１５−１６のいずれかに記載の頭部搭載型ディスプレイシステム。
１９．少なくとも１つの導波管は、ある偏光の光を内部結合するように構成される、上記実施例のいずれかに記載の頭部搭載型ディスプレイシステム。
２０．内部結合光学要素は、回折光学要素および反射体のうちの少なくとも１つを備える、上記実施例のいずれかに記載の頭部搭載型ディスプレイシステム。
２１．少なくとも１つの内部結合光学要素は、異なる個別の色を内部結合するように構成される、複数の色選択的内部結合光学要素を備える、上記実施例のいずれかに記載の頭部搭載型ディスプレイシステム。
２２．複数の内部結合光学要素は、第１の内部結合光学要素と、第２の内部結合光学要素とを備え、第２の内部結合光学要素は、第１の色の光が、第１の内部結合光学要素によって、第１の導波管の中に結合されて、その中で誘導され得、第１の色と異なる第２の色の光が、第１の内部結合光学要素を通して、第２の内部結合光学要素に通過し得、第２の内部結合光学要素によって、第２の導波管の中に結合されて、その中で誘導され得るように、第１の内部結合光学要素にわたって配置される、実施例２１に記載の頭部搭載型ディスプレイシステム。
２３．複数の内部結合光学要素は、第１の色および第２の色と異なる第３の色の光が、第１の内部結合光学要素および第２の内部結合光学要素を通して第３の内部結合光学要素に通過し得、第３の導波管の中に結合されて、その中で誘導され得るように、第１の内部結合光学要素および第２の内部結合光学要素にわたって配置される、第３の内部結合光学要素を備える、実施例２２に記載の頭部搭載型ディスプレイシステム。
２４．第１の色は、赤色、緑色、および青色のうちの１つを含み、第２の色は、該第１の色と異なる、赤色、緑色、および青色のうちの１つを含み、第３の色は、該第１および第２の色と異なる、赤色、緑色、および青色のうちの１つを含む、実施例２３に記載の頭部搭載型ディスプレイシステム。
２５．少なくとも１つの内部結合光学要素は、複数の色の光を少なくとも１つの導波管の導波管の中に結合し、光をその中で誘導するように構成される、内部結合光学要素を備える、上記実施例のいずれかに記載の頭部搭載型ディスプレイシステム。
２６．少なくとも１つの光源は、光学系および空間光変調器に対して配置され、光を、複数の色の光を少なくとも１つの導波管の導波管の中に結合するように構成される、内部結合光学要素に指向する、光源を備え、光源は、異なる色の光を異なる時間に放出するように構成される、上記実施例のいずれかに記載の頭部搭載型ディスプレイシステム。
２７．少なくとも１つの内部結合光学要素は、赤色光、緑色光、および青色光を少なくとも１つの導波管の導波管の中に結合し、光をその中で誘導するように構成される、内部結合光学要素を備える、上記実施例のいずれかに記載の頭部搭載型ディスプレイシステム。
２８．少なくとも１つの内部結合光学要素は、所定の偏光の光を内部結合するように構成される、上記実施例のいずれかに記載の頭部搭載型ディスプレイシステム。
２９．少なくとも１つの内部結合光学要素は、相互に対して側方に変位された複数の内部結合光学要素を備える、上記実施例のいずれかに記載の頭部搭載型ディスプレイシステム。
３０．複数の内部結合光学要素は、複数の色の光を少なくとも１つの導波管の第１の導波管の中に結合し、光をその中で誘導するように構成される、第１の内部結合光学要素と、複数の色の光を少なくとも１つの導波管の第２の導波管の中に結合し、光をその中で誘導するように構成される、第２の内部結合光学要素とを備え、第１の内部結合光学要素および第２の内部結合光学要素は、相互に対して側方に変位される、実施例２９に記載の頭部搭載型ディスプレイシステム。
３１．少なくとも１つの光源は、光学系および空間光変調器に対して配置され、光を第１の内部結合光学要素に指向する、第１の光源と、光学系および空間光変調器に対して配置され、光を第２の内部結合光学要素に指向する、第２の光源とを備える、実施例２９または３０に記載の頭部搭載型ディスプレイシステム。
３２．少なくとも１つの光源は、光学系および空間光変調器に対して配置され、光を第１の内部結合光学要素の中に指向する、第１の光源を備え、第１の光源は、異なる色の光を異なる時間に放出するように構成される、実施例３０に記載の頭部搭載型ディスプレイシステム。
３３．少なくとも１つの光源は、光学系および空間光変調器に対して配置され、光を第２の内部結合光学要素の中に指向する、第２の光源を備え、第２の光源は、異なる色の光を異なる時間に放出するように構成される、実施例３２に記載の頭部搭載型ディスプレイシステム。
３４．接眼レンズは、第１の導波管から外部結合される光および該第２の導波管から外部結合される光が、異なる量の収束、発散、およびコリメーションのうちの少なくとも１つを有し、したがって、異なる深度から生じるように現れるように構成される、実施例３３に記載の頭部搭載型ディスプレイシステム。
３５．接眼レンズは、第１の導波管から外部結合される光が、コリメートされ、第２の導波管から出力された光が、発散するように構成される、実施例３１−３４に記載の頭部搭載型ディスプレイシステム。
３６．接眼レンズは、第１の導波管から外部結合される光が、第１の量を発散させ、第２の導波管から外部結合される光が、第２の量を発散させるように構成され、第２の量は、第１の量と異なる、実施例３１−３４に記載の頭部搭載型ディスプレイシステム。
３７．少なくとも１つの内部結合光学要素は、赤色光、緑色光、および青色光を導波管の中に結合し、光をその中で誘導するように構成される、内部結合光学要素を備える、上記実施例のいずれかに記載の頭部搭載型ディスプレイシステム。
３８．少なくとも１つの光源は、光学系および空間光変調器に対して配置され、光を、赤色光、緑色光、および青色光を少なくとも１つの導波管の導波管の中に結合するように構成される、少なくとも１つの内部結合光学要素の中に指向する、光源を備え、少なくとも１つの光源は、異なる赤色、緑色、および青色光を異なる時間に放出するように構成される、上記実施例のいずれかに記載の頭部搭載型ディスプレイシステム。
３９．第１の光源は、第１の色の光源であって、第２の光源は、第１の色と異なる色を有する、第２の色の光源である、実施例３１に記載の頭部搭載型ディスプレイシステム。
４０．第１の光源は、赤色光源であって、第２の色の光源は、緑色の光源および青色の光源のうちの１つである、実施例３９に記載の頭部搭載型ディスプレイシステム。
４１．少なくとも１つの内部結合光学要素は、複数の群の内部結合光学要素を備え、各群は、異なる個別の色を内部結合するように構成される、複数の色選択的内部結合光学要素を備え、複数の群の各群は、相互に対して側方に変位される、上記実施例のいずれかに記載の頭部搭載型ディスプレイシステム。
４２．複数の内部結合光学要素は、第１の内部結合光学要素と、第２の内部結合光学要素とを備え、第２の内部結合光学要素は、第１の色の光が、第１の内部結合光学要素によって、第１の導波管の中に結合されて、その中で誘導され得、第１の色と異なる第２の色の光が、第１の内部結合光学要素を通して、第２の内部結合光学要素に通過し得、第２の内部結合光学要素によって、第２の導波管の中に結合されて、その中で誘導され得るように、第１の内部結合光学要素にわたって配置される、実施例４１に記載の頭部搭載型ディスプレイシステム。
４３．複数の内部結合光学要素は、第１の色および第２の色と異なる第３の色が、第１の内部結合光学要素および第２の内部結合光学要素を通して、第３の内部結合光学要素に通過し得、第３の導波管の中に結合されて、その中で誘導され得るように、第２の内部結合光学要素にわたって配置される、第３の内部結合光学要素を備える、実施例４２に記載のシステム。
４４．第１の色は、赤色、緑色、および青色のうちの１つを含み、第２の色は、該第１の色と異なる、赤色、緑色、および青色のうちの１つを含み、第３の色は、該第１および第２の色と異なる、赤色、緑色、および青色のうちの１つを含む、実施例４３に記載の頭部搭載型ディスプレイシステム。
４５．少なくとも１つの内部結合光学要素は、第１の群の内部結合光学要素と、第２の群の内部結合光学要素とを備え、第１の群の内部結合光学要素は、異なる個別の色を内部結合するように構成される、複数の色選択的内部結合光学要素を備え、第２の群の内部結合光学要素は、異なる個別の色を内部結合するように構成される、複数の色選択的内部結合光学要素を備え、第１の群および第２の群は、相互に対して側方に変位される、上記実施例のいずれかに記載の頭部搭載型ディスプレイシステム。
４６．第１の複数の内部結合光学要素は、第１の内部結合光学要素と、第２の内部結合光学要素とを備え、第２の内部結合光学要素は、第１の色の光が、第１の内部結合光学要素によって、第１の導波管の中に結合されて、その中で誘導され得、第１の色と異なる第２の色が、第１の内部結合光学要素を通して、第２の内部結合光学要素に通過し得、第２の内部結合光学要素によって、第２の導波管の中に結合されて、その中で誘導され得るように、第１の内部結合光学要素にわたって配置される、実施例４５に記載の頭部搭載型ディスプレイシステム。
４７．第１の複数の内部結合光学要素は、第１の色および第２の色と異なる第３の色が、第１の内部結合光学要素および第２の内部結合光学要素を通して、第３の内部結合光学要素に通過し得、第３の導波管の中に結合されて、その中で誘導され得るように、第１の内部結合光学要素および第２の内部結合光学要素にわたって配置される、第３の内部結合光学要素を備える、実施例４６に記載の頭部搭載型ディスプレイシステム。
４８．第１の色は、赤色、緑色、および青色のうちの１つを含み、第２の色は、該第１の色と異なる、赤色、緑色、および青色のうちの１つを含み、第３の色は、該第１および第２の色と異なる、赤色、緑色、および青色のうちの１つを含む、実施例４７に記載の頭部搭載型ディスプレイシステム。
４９．第２の複数の内部結合光学要素は、第４の内部結合光学要素と、第５の内部結合光学要素とを備え、第５の内部結合光学要素は、第４の色の光が、第４の内部結合光学要素によって、第４の導波管の中に結合されて、その中で誘導され得、第１の色と異なる第５の色が、第４の内部結合光学要素を通して、第５の内部結合光学要素に通過し得、第２の内部結合光学要素によって、第５の導波管の中に結合されて、その中で誘導され得るように、第４の内部結合光学要素にわたって配置される、実施例４８に記載の頭部搭載型ディスプレイシステム。
５０．第２の複数の内部結合光学要素は、第１の色および第２の色と異なる第６の色が、第４の内部結合光学要素および第５の内部結合光学要素を通して、第６の内部結合光学要素に通過し得、第６の導波管の中に結合されて、その中で誘導され得るように、第４の内部結合光学要素および第５の内部結合光学要素にわたって配置される、第６の内部結合光学要素を備える、実施例４９に記載の頭部搭載型ディスプレイシステム。
５１．接眼レンズは、第１の導波管、第２の導波管、および第３の導波管から外部結合される光が、第４の導波管、第５の導波管、および第６の導波管から外部結合される光と異なる量の収束、発散、およびコリメーションのうちの少なくとも１つを有し、したがって、第４の導波管、第５の導波管、および第６の導波管から出力された光と異なる深度から生じるように現れるように構成される、実施例５０に記載の頭部搭載型ディスプレイシステム。
５２．接眼レンズは、第１の導波管、第２の導波管、および第３の導波管から外部結合される光が、コリメートされ、第４の導波管、第５の導波管、および第６の導波管から出力された光が、発散するように構成される、実施例５１に記載の頭部搭載型ディスプレイシステム。
５３．接眼レンズは、第１の導波管、第２の導波管、および第３の導波管から外部結合された光が、発散し、第４の導波管、第５の導波管、および第６の導波管から出力された光が、異なる量で発散するように構成される、実施例５２に記載の頭部搭載型ディスプレイシステム。
５４．少なくとも１つの光源は、光学系および空間光変調器に対して配置され、光を第１の群の内部結合光学要素の中に指向する、第１の源を備え、第１の光源は、異なる色の光を異なる時間に放出するように構成される、実施例４５−５３のいずれかに記載の頭部搭載型ディスプレイシステム。
５５．少なくとも１つの光源は、光学系および空間光変調器に対して配置され、光を第２の群の内部結合光学要素の中に指向する、第２の光源を備え、第２の光源もまた、異なる色の光を異なる時間に放出するように構成される、実施例４５−５４のいずれかに記載の頭部搭載型ディスプレイシステム。
５６．少なくとも１つの外部結合光学要素は、回折光学要素を備える、上記実施例のいずれかに記載の頭部搭載型ディスプレイシステム。
５７．少なくとも１つの外部結合要素は、アイボックスの寸法を少なくとも１つの第１の軸に沿って増加させるように構成される、上記実施例のいずれかに記載の頭部搭載型ディスプレイシステム。
５８．少なくとも１つの導波管内または少なくとも１つの導波管上に、アイボックスの寸法を少なくとも１つの第１の軸に直交する第２の軸に沿って増加させるように構成される、少なくとも１つの光再指向要素を備える、直交瞳エクスパンダをさらに備える、実施例５７に記載の頭部搭載型ディスプレイシステム。
５９．少なくとも１つの光再指向要素は、回折光学要素を備える、実施例５８に記載の頭部搭載型ディスプレイシステム。
６０．少なくとも１つの導波管の少なくとも一部は、少なくとも１つの光源と光学系との間に延在し、光学系を通して指向される、少なくとも１つの光源からの光は、少なくとも１つの導波管の一部を通して、光学系に通過する、上記実施例のいずれかに記載の頭部搭載型ディスプレイシステム。
６１．少なくとも１つの導波管は、第１の側と、第１の側と反対の第２の側とを有し、光学系および空間光変調器は、空間光変調器からの光が、第１の側上に指向されるように、第１の側上に配置される、上記実施例のいずれかに記載の頭部搭載型ディスプレイシステム。
６２．少なくとも１つの光源は、少なくとも１つの光源からの光が、光学系を通して空間光変調器に通過することに先立って、第１の側上に入射するように、第１の側上に配置される、実施例６１に記載の頭部搭載型ディスプレイシステム。
６３．少なくとも１つの光源は、少なくとも１つの光源からの光が、光学系を通して空間光変調器に通過することに先立って、第２の側上に入射するように、第２の側上に配置される、実施例６１に記載の頭部搭載型ディスプレイシステム。
６４．少なくとも１つの導波管は、少なくとも１つの光源と光学系との間に配置される、実施例６３に記載の頭部搭載型ディスプレイシステム。
６５．少なくとも１つの光源からの光を受け取り、少なくとも１つの光源からの光を少なくとも１つの導波管の一部の中に結合し、その中で誘導されるようにするように、少なくとも１つの光源の近位の少なくとも１つの導波管の一部に対して配置される、光源内部結合光学要素をさらに備える、上記実施例のいずれかに記載の頭部搭載型ディスプレイシステム。
６６．少なくとも１つの導波管の一部内で誘導される光を少なくとも１つの導波管の一部から外に、光学系を通して、空間光変調器に指向するように構成される、光源の近位の少なくとも１つの導波管の一部に対する、外部結合光学要素をさらに備える、実施例６５に記載のシステム。
６７．頭部搭載型ディスプレイシステムは、少なくとも１つの光源の近位の少なくとも１つの導波管の一部から光学系の中に結合される、光の少なくとも一部が、空間光変調器上に入射し、再び、光学系を通して通過し、少なくとも１つの導波管の第２の部分上に入射し、再び、その中で誘導され、そこから外部結合され、ユーザの眼に指向されるように構成される、実施例６６に記載の頭部搭載型ディスプレイシステム。
６８．光源の近位の少なくとも１つの導波管の一部から少なくとも１つの導波管の第２の部分の中へのクロストークを低減させるためのアイソレータをさらに備える、実施例６５−６７のいずれかに記載の頭部搭載型ディスプレイシステム。
６９．アイソレータは、不透明表面および反射性表面のうちの１つを備える、実施例６８に記載の頭部搭載型ディスプレイシステム。
７０．アイソレータは、少なくとも１つの導波管内に配置される、実施例５８に記載のシステム。
７１．少なくとも１つの導波管は、第１の側と、第１の側と反対の第２の側とを有し、光学系および空間光変調器は、少なくとも１つの導波管の第１の側上に配置される、実施例６５−７０のいずれかに記載の頭部搭載型ディスプレイシステム。
７２．少なくとも１つの光源は、少なくとも１つの光源からの光が、少なくとも１つの導波管の第１の側上に入射し、その中で誘導され、少なくとも１つの導波管の一部内で誘導される光が、少なくとも１つの導波管の第１の側から外に、第１の側上の光学系および空間光変調器に結合されるように、少なくとも１つの導波管の第１の側上に配置される、実施例７１に記載の頭部搭載型ディスプレイシステム。
７３．少なくとも光源は、少なくとも１つの光源からの光が、光学系を通して空間光変調器に通過することに先立って、少なくとも１つの導波管の第２の側上に入射するように、少なくとも１つの導波管の第２の側上に配置される、実施例７１に記載の頭部搭載型ディスプレイシステム。
７４．少なくとも１つの導波管は、少なくとも１つの光源と光学系との間に配置される、実施例７１または７３に記載の頭部搭載型ディスプレイシステム。
７５．少なくとも１つの導波管から光学系の中に結合される、光の少なくとも一部が、空間光変調器上に入射し、再び、光学系を通して通過し、少なくとも１つの導波管上に入射し、その中で誘導され、そこから外部結合され、ユーザの眼に指向されるように、少なくとも１つの光源に光学的に結合され、少なくとも１つの光源からの光を受け取り、少なくとも１つの光源からの光をその中で誘導し、その中で誘導される光を光学系の中に結合する、少なくとも１つの導波管をさらに備える、上記実施例のいずれかに記載の頭部搭載型ディスプレイシステム。
７６．少なくとも１つの導波管上に配置され、光源から光を受け取り、光源からの光を少なくとも１つの導波管の中に結合し、その中で誘導されるようにする、内部結合要素をさらに備える、実施例７５に記載の頭部搭載型ディスプレイシステム。
７７．少なくとも１つの導波管上に配置され、光源からの少なくとも１つの導波管内で誘導される光を受け取り、少なくとも１つの導波管内で誘導される光を、少なくとも１つの導波管から外に、光学系を通して、空間光変調器に結合する、外部結合要素をさらに備える、実施例７６に記載の頭部搭載型ディスプレイシステム。
７８．少なくとも１つの導波管と少なくとも１つの導波管との間のクロストークを低減させるためのアイソレータをさらに備える、実施例７５−７７のいずれかに記載の頭部搭載型ディスプレイシステム。
７９．アイソレータは、不透明および反射性表面のうちの少なくとも１つを備える、実施例７８に記載の頭部搭載型ディスプレイシステム。
８０．アイソレータは、少なくとも１つの導波管内または少なくとも１つの導波管上に配置される、実施例７８または７９に記載の頭部搭載型ディスプレイシステム。
８１．少なくとも１つの導波管は、第１の側と、該第１の側と反対の第２の側とを有し、光学系および空間光変調器は、少なくとも１つの導波管の第１の側上に配置される、実施例７５−８０のいずれかに記載の頭部搭載型ディスプレイシステム。
８２．少なくとも１つの光源は、少なくとも１つの光源からの光が、少なくとも１つの導波管の第１の側上に入射し、その中で誘導され、少なくとも１つの導波管内で誘導される光が、少なくとも１つの導波管の第１の側から外に、第１の側上の光学系および空間光変調器に結合されるように、少なくとも１つの導波管の第１の側上に配置される、実施例８１に記載の頭部搭載型ディスプレイシステム。
８３．少なくとも１つの光源は、少なくとも１つの光源からの光が、少なくとも１つの導波管の第２の側上に入射し、その中で誘導され、少なくとも１つの光導波路内で誘導される光が、少なくとも１つの導波管の第１の側から外に、第１の側上の光学系および空間光変調器に結合されるように、少なくとも１つの導波管の第２の側上に配置される、実施例８１に記載の頭部搭載型ディスプレイシステム。
８４．少なくとも１つの導波管は、少なくとも１つの光源と光学系との間に配置される、実施例８１または８３に記載の頭部搭載型ディスプレイシステム。
８５．光学系は、１つ以上のレンズを備える、上記実施例のいずれかに記載の頭部搭載型ディスプレイシステム。
８６．光学系は、複数のレンズを備える、上記実施例のいずれかに記載の頭部搭載型ディスプレイシステム。
８７．光学系は、正の屈折力を有する、上記実施例のいずれかに記載の頭部搭載型ディスプレイシステム。
８８．光学系は、１つ以上の屈折光学要素を備える、上記実施例のいずれかに記載の頭部搭載型ディスプレイシステム。
８９．空間光変調器は、偏光を変調させるように構成される、上記実施例のいずれかに記載の頭部搭載型ディスプレイシステム。
９０．空間光変調器とユーザの眼との間の光学経路内の分析器をさらに備える、上記実施例のいずれかに記載の頭部搭載型ディスプレイシステム。
９１．分析器は、光学系と少なくとも１つの内部結合光学要素との間の光学経路内に配置される、実施例９０に記載の頭部搭載型ディスプレイシステム。
９２．少なくとも１つの光源と空間光変調器との間に配置される、偏光器をさらに備える、上記実施例のいずれかに記載の頭部搭載型ディスプレイシステム。
９３．少なくとも１つの光源は、偏光源を備える、上記実施例のいずれかに記載の頭部搭載型ディスプレイシステム。
９４．偏光器が、光学系と空間光変調器との間に配置される、上記実施例のいずれかに記載の頭部搭載型ディスプレイシステム。
９５．偏光器は、空間光変調器の直上に配置される、実施例９４に記載の頭部搭載型ディスプレイシステム。
９６．偏光器は、ワイヤグリッド偏光器を備える、上記実施例のいずれかに記載の頭部搭載型ディスプレイシステム。
９７．分析器は、円偏光器である、実施例９０に記載の頭部搭載型ディスプレイシステム。
９８．調節可能屈折力を伴う可変光学要素をさらに備える、上記実施例のいずれかに記載の頭部搭載型ディスプレイシステム。
９９．可変光学要素は、レンズまたはミラーを備える、実施例９８に記載の頭部搭載型ディスプレイシステム。
１００．可変光学要素は、第１の状態と、第２の状態とを有するように構成され、第１の状態では、可変光学要素は、第２の状態にあるときと異なる屈折力を有する、実施例９８または９９に記載の頭部搭載型ディスプレイシステム。
１０１．可変光学要素は、第１の状態では、負の屈折力を有し、第２の状態では、ゼロ屈折力を有する、実施例１００に記載の頭部搭載型ディスプレイシステム。
１０２．可変光学要素は、第１の状態では、正の屈折力を有し、第２の状態では、ゼロ屈折力を有する、実施例１００に記載の頭部搭載型ディスプレイシステム。
１０３．可変光学要素は、第１の状態では、第１の負の屈折力を有し、第２の状態では、第２の異なる負の屈折力を有する、実施例１００に記載の頭部搭載型ディスプレイシステム。
１０４．可変光学要素は、第１の状態では、第１の正の屈折力を有し、第２の状態では、第２の異なる正の屈折力を有する、実施例１００に記載の頭部搭載型ディスプレイシステム。
１０５．可変光学要素は、第１の状態では、第１の負の屈折力を有し、第２の状態では、第２の正の屈折力を有する、実施例１００に記載の頭部搭載型ディスプレイシステム。
１０６．可変光学要素は、液体レンズを備える、実施例９８に記載の頭部搭載型ディスプレイシステム。
１０７．それを通して透過される光の可変減衰を提供する、光学要素を備える、調節可能調光器をさらに備える、上記実施例のいずれかに記載の頭部搭載型ディスプレイシステム。
１０８．ユーザの眼の屈折補正を提供するように構成される、処方箋レンズをさらに備える、上記実施例のいずれかに記載の頭部搭載型ディスプレイシステム。
１０９．少なくとも１つの導波管とユーザの眼との間の経路内に配置される、静的レンズをさらに備える、上記実施例のいずれかに記載の頭部搭載型ディスプレイシステム。
１１０．分析器はまた、光を光源から光学系に伝搬させるための偏光器としての役割を果たすように構成される、実施例９１に記載の頭部搭載型ディスプレイシステム。
１１１．導波管のユーザに近接する側上に配置される、カラーフィルタアレイをさらに備え、カラーフィルタアレイは、複数の異なるカラーフィルタを備える、上記実施例のいずれかに記載の頭部搭載型ディスプレイシステム。
１１２．カラーフィルタアレイは、迷光の伝搬および反射を低減させるように構成される、カラーフィルタ間に配置される、吸光材料を含む、実施例１１１に記載の頭部搭載型ディスプレイシステム。
１１３．偏光器が、光源の光学経路内に配置され、第１の偏光の光を透過させ、第２の偏光の光を反射させるように構成され得、光源に向かって指向される、第２の偏光の反射された光の一部は、第１の偏光を取得する、上記実施例のいずれかに記載の頭部搭載型ディスプレイシステム。
１１４．光源に向かって指向される、第２の偏光の反射された光の一部は、光源からの光を集光するように配置される結合光学系から反射することによって、第１の偏光を取得する、実施例１１３に記載の頭部搭載型ディスプレイシステム。
１１５．４分の１波長板をさらに備える、上記実施例のいずれかに記載の頭部搭載型ディスプレイシステム。
１１６．光のより一貫した直交回転を提供するように構成される、補償器をさらに備える、上記実施例のいずれかに記載の頭部搭載型ディスプレイシステム。
１１７．光学系および空間光変調器は、相互に対して傾斜される、上記実施例のいずれかに記載の頭部搭載型ディスプレイシステム。
１１８．結合光学系、光学系、および空間光変調器は、接眼レンズに対して傾斜される、上記実施例のいずれかに記載の頭部搭載型ディスプレイシステム。
１１９．結合光学系、光学系、および空間光変調器は、接眼レンズに対して傾斜される、上記実施例のいずれかに記載の頭部搭載型ディスプレイシステム。
１２０．光源からの光は、再利用または回収されるように構成される、上記実施例のいずれかに記載の頭部搭載型ディスプレイシステム。
１２１．第１の偏光を有する該光源からの光を該光学系に透過させ、第２の異なる偏光を有する光を該光源に向かって戻るように反射させるように構成される、偏光器をさらに備える、上記実施例のいずれかに記載の頭部搭載型ディスプレイシステム。
１２２．該偏光器によって反射された該第２の偏光の光の少なくとも一部を該第１の偏光の光に変換する、該光源と該偏光器との間の結合要素をさらに備える、上記実施例のいずれかに記載の頭部搭載型ディスプレイシステム。
１２３．該光源は、光を出力するように構成される、複数の側方に変位された光エミッタを備える、上記実施例のいずれかに記載の頭部搭載型ディスプレイシステム。
１２４．複数の光エミッタからの光を集光するように構成される、集光光学系または結合要素をさらに備える、上記実施例のいずれかに記載の頭部搭載型ディスプレイシステム。
１２５．該光源と該光学系との間の光学経路内の拡散器をさらに備える、上記実施例のいずれかに記載の頭部搭載型ディスプレイシステム。
１２６．該光源と該光学系との間の１つ以上の開口をさらに備える、上記実施例のいずれかに記載の頭部搭載型ディスプレイシステム。
１２７．該光源と該光学系との間の複数の開口をさらに備える、上記実施例のいずれかに記載の頭部搭載型ディスプレイシステム。
１２８．拡散器と、該光源と該光学系との間の複数の開口とをさらに備え、該拡散器は、該開口の近位にある、上記実施例のいずれかに記載の頭部搭載型ディスプレイシステム。
１２９．該光源は、１つ以上のレーザダイオードを備える、上記実施例のいずれかに記載の頭部搭載型ディスプレイシステム。
１３０．光源に対して配置され、光源から出力された光を集光する、結合光学系をさらに備える、上記実施例のいずれかに記載の頭部搭載型ディスプレイシステム。
１３１．結合光学系は、複合放物面集光器（ＣＰＣ）を備える、実施例１３０に記載の頭部搭載型ディスプレイシステム。
１３２．光源に対して配置され、光源から出力された光を集光する、集光光学系をさらに備える、上記実施例のいずれかに記載の頭部搭載型ディスプレイシステム。
１３３．該集光光学系は、１つ以上のレンズから成る、上記実施例のいずれかに記載の頭部搭載型ディスプレイシステム。
１３４．該集光光学系は、複数のレンズから成る、上記実施例のいずれかに記載の頭部搭載型ディスプレイシステム。
１３５．光源と光学系との間の４分の１波リターダをさらに備える、上記実施例のいずれかに記載の頭部搭載型ディスプレイシステム。
１３６．偏光器が、空間光変調器に添着される、上記実施例のいずれかに記載の頭部搭載型ディスプレイシステム。
１３７．偏光器が、接着剤を用いて、空間光変調器に接着される、上記実施例のいずれかに記載の頭部搭載型ディスプレイシステム。
１３８．偏光器が、機械的固定具を使用して、空間光変調器に接着される、上記実施例のいずれかに記載の頭部搭載型ディスプレイシステム。
１３９．補償器が、空間光変調器に添着される、上記実施例のいずれかに記載の頭部搭載型ディスプレイシステム。
１４０．補償器が、接着剤を用いて、空間光変調器に接着される、上記実施例のいずれかに記載の頭部搭載型ディスプレイシステム。
１４１．補償器が、機械的固定具を使用して、空間光変調器に接着される、上記実施例のいずれかに記載の頭部搭載型ディスプレイシステム。
１４２．リターダが、空間光変調器に添着される、上記実施例のいずれかに記載の頭部搭載型ディスプレイシステム。
１４３．リターダが、接着剤を用いて、空間光変調器に接着される、上記実施例のいずれかに記載の頭部搭載型ディスプレイシステム。
１４４．リターダが、機械的固定具を使用して、空間光変調器に接着される、上記実施例のいずれかに記載の頭部搭載型ディスプレイシステム。
１４５．４分の１波リターダが、空間光変調器に添着される、上記実施例のいずれかに記載の頭部搭載型ディスプレイシステム。
１４６．４分の１波リターダが、接着剤を用いて、空間光変調器に接着される、上記実施例のいずれかに記載の頭部搭載型ディスプレイシステム。
１４７．４分の１波リターダが、機械的固定具を使用して、空間光変調器に接着される、上記実施例のいずれかに記載の頭部搭載型ディスプレイシステム。
１４８．偏光器は、ワイヤグリッド偏光器を備える、上記実施例のいずれかに記載の頭部搭載型ディスプレイシステム。
１４９．該空間光変調器と該内部結合光学要素との間の円偏光器をさらに備える、上記実施例のいずれかに記載の頭部搭載型ディスプレイシステム。
１５０．円偏光器は、線形分析器と、４分の１波リターダとを備える、実施例１４９に記載の頭部搭載型ディスプレイシステム。
１５１．光学系と少なくとも１つの導波管との間および光源と光学系との間の単一偏光器をさらに備える、上記実施例のいずれかに記載の頭部搭載型ディスプレイシステム。
１５２．該光ダンプは、吸光材料を含む、上記実施例のいずれかに記載の頭部搭載型ディスプレイシステム。
１５３．該光ダンプは、フィルタアレイのフィルタを囲繞する、吸光材料を含む、上記実施例のいずれかに記載の頭部搭載型ディスプレイシステム。
１５４．該光源は、該光源からの光が、該少なくとも１つの導波管を通して通過せずに、該光学系の中に指向されるように、該少なくとも１つの導波管に対して側方に配置される、上記実施例のいずれかに記載の頭部搭載型ディスプレイシステム。
１５５．該光源は、該光源からの光が、該少なくとも１つの導波管を通して通過せずに、該光学系の中に指向されるように、該少なくとも１つの導波管に対して側方に延在する、透明層上に配置される、上記実施例のいずれかに記載の頭部搭載型ディスプレイシステム。
１５６．該光源は、該少なくとも１つの導波管の該ユーザの眼により近い側より該少なくとも１つの導波管の該ユーザの正面の環境により近い側に近い、透明層上に配置され、該透明層は、該光源からの光が、該少なくとも１つの導波管を通して通過せずに、該光学系の中に指向されるように、該少なくとも１つの導波管に対して側方に延在する、上記実施例のいずれかに記載の頭部搭載型ディスプレイシステム。
１５７．該光源は、該少なくとも１つの導波管の該ユーザの正面の環境により近い側より該少なくとも１つの導波管の該ユーザの眼により近い側に近い、透明層上に配置され、該透明層は、該光源からの光が、該少なくとも１つの導波管を通して通過せずに、該光学系の中に指向されるように、該少なくとも１つの導波管に対して側方に延在する、上記実施例のいずれかに記載の頭部搭載型ディスプレイシステム。
１５８．透明層は、カバーガラスを備える、上記実施例のいずれかに記載の頭部搭載型ディスプレイシステム。
１５９．相互に対して側方に変位される、複数のカラーフィルタをさらに備え、該カラーフィルタは、個別のカラーフィルタを通して通過する光が個別の内部結合光学要素上に入射するように、相互に対して側方に変位される、複数の内部結合光学要素に対して側方に整合される、上記実施例のいずれかに記載の頭部搭載型ディスプレイシステム。
１６０．複数のカラーフィルタは、カラーフィルタアレイを備える、上記実施例のいずれかに記載の頭部搭載型ディスプレイシステム。
１６１．該空間光変調器と該光学系との間の光学経路内に配置される、偏光器をさらに備える、上記実施例のいずれかに記載の頭部搭載型ディスプレイシステム。
１６２．該空間光変調器と該光学系との間の光学経路内に配置される、分析器をさらに備える、上記実施例のいずれかに記載の頭部搭載型ディスプレイシステム。
１６３．該空間光変調器と該光学系との間の光学経路内に配置される、補償器をさらに備える、上記実施例のいずれかに記載の頭部搭載型ディスプレイシステム。
１６４．該空間光変調器と該光学系との間の光学経路内に配置される、リターダをさらに備える、上記実施例のいずれかに記載の頭部搭載型ディスプレイシステム。
１６５．該空間光変調器と該光学系との間の光学経路内に配置される、４分の１波リターダをさらに備える、上記実施例のいずれかに記載の頭部搭載型ディスプレイシステム。
１６６．該少なくとも１つの導波管と屈折力を有する該光学系との間の第１の円偏光器をさらに備える、上記実施例のいずれかに記載の頭部搭載型ディスプレイシステム。
１６７．該第１の円偏光器は、該光源と屈折力を有する該光学系との間にある、実施例１６６に記載の頭部搭載型ディスプレイシステム。
１６８．屈折力を有する該光学系と該空間光変調器との間の第２の円偏光器をさらに備える、上記実施例のいずれかに記載の頭部搭載型ディスプレイシステム。
１６９．該第２の円偏光器と該空間光変調器との間のリターダをさらに備える、実施例１６８に記載の頭部搭載型ディスプレイシステム。
１７０．該第２の円偏光器と該空間光変調器との間の第３の円偏光器をさらに備える、実施例１６８または１６９に記載の頭部搭載型ディスプレイシステム。
１７１．該第２の円偏光器と第３の円偏光器との間のリターダをさらに備える、実施例１７０に記載の頭部搭載型ディスプレイシステム。
１７２．屈折力を有する該光学系と該空間光変調器との間の補償器をさらに備える、上記実施例のいずれかに記載の頭部搭載型ディスプレイシステム。
１７３．該第２の円偏光器と該空間光変調器との間の補償器をさらに備える、実施例１６８−１７１のいずれかに記載の頭部搭載型ディスプレイシステム。
１７４．該第３の円偏光器と該空間光変調器との間の補償器をさらに備える、実施例１７０−１７１のいずれかに記載の頭部搭載型ディスプレイシステム。
１７５．屈折力を有する該光学系と該空間光変調器との間のカバーガラスをさらに備える、上記実施例のいずれかに記載の頭部搭載型ディスプレイシステム。
１７６．該第２の円偏光器と該空間光変調器との間のカバーガラスをさらに備える、実施例１６８−１７４のいずれかに記載の頭部搭載型ディスプレイシステム。
１７７．該第３の円偏光器と該空間光変調器との間のカバーガラスをさらに備える、実施例１７０−１７４のいずれかに記載の頭部搭載型ディスプレイシステム。
１７８．該補償器と該空間光変調器との間のカバーガラスをさらに備える、実施例１７２−１７４のいずれかに記載の頭部搭載型ディスプレイシステム。
１７９．該少なくとも１つの導波管に対して傾斜され、該光学表面から反射された光を再指向する、少なくとも１つの光学表面をさらに備える、上記実施例のいずれかに記載の頭部搭載型ディスプレイシステム。
１８０．該空間光変調器に対して傾斜され、該光学表面から反射された光を再指向する、少なくとも１つの光学表面をさらに備える、上記実施例のいずれかに記載の頭部搭載型ディスプレイシステム。
１８１．少なくとも１つの偏光器またはリターダに対して傾斜され、該光学表面から反射された光を再指向する、少なくとも１つの光学表面をさらに備える、上記実施例のいずれかに記載の頭部搭載型ディスプレイシステム。
１８２．屈折力を有する該光学系の光学軸に対して傾斜され、該光学表面から反射された光を再指向する、法線を有する、少なくとも１つの光学表面をさらに備える、上記実施例のいずれかに記載の頭部搭載型ディスプレイシステム。
１８３．傾斜された該少なくとも１つの光学表面は、該少なくとも１つの導波管の内部結合光学要素から離れるように反射された光を再指向する、実施例１７９−１８２のいずれかに記載の頭部搭載型ディスプレイシステム。
１８４．傾斜された該少なくとも１つの光学表面は、該反射された光のうちの少ないものが、該少なくとも１つの導波管の中に結合され、その中で誘導されるように、反射された光を再指向する、実施例１７９−１８３のいずれかに記載の頭部搭載型ディスプレイシステム。
１８５．傾斜された該少なくとも１つの光学表面は、該反射された光のうちの少ないものが、ユーザの眼に指向されるように、反射された光を再指向する、実施例１７９−１８４のいずれかに記載の頭部搭載型ディスプレイシステム。
１８６．傾斜された該少なくとも１つの光学表面は、該反射された光の少なくとも一部を該光源に再指向する、実施例１７９−１８５のいずれかに記載の頭部搭載型ディスプレイシステム。
１８７．傾斜された該少なくとも１つの光学表面から反射された光の少なくとも一部を受け取るための光ダンプをさらに備える、実施例１７９−１８６のいずれかに記載の頭部搭載型ディスプレイシステム。
１８８．傾斜された該少なくとも１つの光学表面は、該カバーガラス上にある、実施例１７９−１８７のいずれかに記載の頭部搭載型ディスプレイシステム。
１８９．傾斜された該少なくとも１つの光学表面は、以下、すなわち、少なくとも１つのリターダ、少なくとも１つの偏光器、または少なくとも１つの補償器のうちの１つ以上のもの上にある、実施例１７９−１８８のいずれかに記載の頭部搭載型ディスプレイシステム。
１９０．該カバーガラスは、楔形状である、上記実施例のいずれかに記載の頭部搭載型ディスプレイシステム。
１９１．少なくとも１つのリターダ、少なくとも１つの偏光器、または少なくとも１つの補償器は、楔形状である、上記実施例のいずれかに記載の頭部搭載型ディスプレイシステム。
１９２．該光源に対して配置され、そこから放出される光の偏光を回転させる、偏光回転子をさらに備える、上記実施例のいずれかに記載の頭部搭載型ディスプレイシステム。
１９３．該光源と該第１の円偏光器との間に配置される、偏光回転子をさらに備える、実施例１６６または１６７に記載の頭部搭載型ディスプレイシステム。
１９４．該少なくとも１つの内部結合光学要素は、第１および第２の内部結合光学要素を備え、該頭部搭載型ディスプレイシステムはさらに、それぞれ、該第１および第２の内部結合光学要素と関連付けられる、第１および第２のカラーフィルタを備える、上記実施例のいずれかに記載の頭部搭載型ディスプレイシステム。
１９５．第１のカラーフィルタは、第２のカラーフィルタより第１の色の光を透過させ、第２のカラーフィルタは、第１の色より第２の色の光を透過させる、実施例１９４に記載の頭部搭載型ディスプレイシステム。
１９６．該少なくとも１つの導波管は、第１および第２の導波管を備え、第１の内部結合光学要素は、第２のカラーフィルタより第１の色の光を該第１の導波管の中に結合し、第２の内部結合光学要素は、第１の色より第２の色の光を該第２の導波管の中に結合する、実施例１９４または１９５に記載の頭部搭載型ディスプレイシステム。
１９７．第１および第２のカラーフィルタは、個別の第１および第２の内部結合光学要素と側方に整合される、実施例１９４−１９６のいずれかに記載の頭部搭載型ディスプレイシステム。
１９８．第１および第２の光源をさらに備え、第１および第２の光源は、光を、それぞれ、第１および第２のカラーフィルタを通して、それぞれ、第１および第２の内部結合光学要素に指向するように配置される、実施例１９４−１９７のいずれかに記載の頭部搭載型ディスプレイシステム。
１９９．第１および第２の光源をさらに備え、第１および第２のカラーフィルタは、それぞれ、第１および第２の光源と第１および第２の内部結合光学要素との間の第１および第２の光学経路内に配置される、実施例１９４−１９７のいずれかに記載の頭部搭載型ディスプレイシステム。
２００．第１および第２の光源は、それぞれ、第１および第２の色を放出するように構成される、第１および第２の色の光源を備える、実施例１９８または１９９に記載の頭部搭載型ディスプレイシステム。
２０１．第１および第２の光源は、該第１および第２の色の両方を放出するように構成される、広帯域色光源を備える、実施例１９８または１９９に記載の頭部搭載型ディスプレイシステム。
【図面の簡単な説明】
【００１２】
【図１】図１は、ＡＲデバイスを通した拡張現実（ＡＲ）のユーザのビューを図示する。
【００１３】
【図２】図２は、ユーザのための３次元画像をシミュレートするための従来のディスプレイシステムを図示する。
【００１４】
【図３】図３Ａ−３Ｃは、曲率半径と焦点半径との間の関係を図示する。
【００１５】
【図４Ａ】図４Ａは、ヒト視覚系の遠近調節（ａｃｃｏｍｍｏｄａｔｉｏｎ）−輻輳・開散運動（ｖｅｒｇｅｎｃｅ）応答の表現を図示する。
【００１６】
【図４Ｂ】図４Ｂは、一対のユーザの眼の異なる遠近調節状態および輻輳・開散運動状態の実施例を図示する。
【００１７】
【図４Ｃ】図４Ｃは、ディスプレイシステムを介してコンテンツを視認するユーザの上下図の表現の実施例を図示する。
【００１８】
【図４Ｄ】図４Ｄは、ディスプレイシステムを介してコンテンツを視認するユーザの上下図の表現の別の実施例を図示する。
【００１９】
【図５】図５は、波面発散を修正することによって３次元画像をシミュレートするためのアプローチの側面を図示する。
【００２０】
【図６】図６は、画像情報をユーザに出力するための導波管スタックの実施例を図示する。
【００２１】
【図７】図７は、導波管によって出力された出射ビームの実施例を図示する。
【００２２】
【図８】図８は、スタックされた導波管アセンブリの実施例を図示し、各深度平面は、複数の異なる原色を使用して形成される画像を含む。
【００２３】
【図９Ａ】図９Ａは、それぞれ、内部結合光学要素を含む、スタックされた導波管のセットの実施例の断面側面図を図示する。
【００２４】
【図９Ｂ】図９Ｂは、図９Ａの１つ以上のスタックされた導波管の実施例の斜視図を図示する。
【００２５】
【図９Ｃ】図９Ｃは、図９Ａおよび９Ｂの１つ以上のスタックされた導波管の実施例の上下平面図を図示する。
【００２６】
【図９Ｄ】図９Ｄは、ウェアラブルディスプレイシステムの実施例を図示する。
【００２７】
【図１０】図１０は、プロジェクタアセンブリの側面図であって、光をビームスプリッタの片側の中に投入する光源を伴う、偏光ビームスプリッタと、ビームスプリッタの別の側からの光を受け取る、投影光学系とを含む。
【００２８】
【図１１Ａ】図１１Ａは、拡張現実ディスプレイシステムの側面図であって、光源と、空間光変調器と、空間光変調器を照明し、空間光変調器（ＳＬＭ）の画像を投影させるための光学系と、画像情報をユーザに出力するための導波管とを含む。本システムは、光学系からの光を導波管の中に結合するための内部結合光学要素と、光を導波管から外へと眼に結合するための外部結合光学要素とを含む。
【００２９】
【図１１Ｂ】図１１Ｂは、図１１Ａに図示される拡張現実ディスプレイシステムの上面図であって、内部結合光学要素および外部結合光学要素を伴う、導波管と、その上に配置される光源とを示す。上面図はまた、直交瞳エクスパンダを示す。
【００３０】
【図１１Ｃ】図１１Ｃは、図１１Ａの拡張現実ディスプレイシステムの側面図であって、共有偏光器／分析器および偏光ベースの空間光変調器（例えば、シリコン上液晶ＳＬＭ）を伴う。
【００３１】
【図１２Ａ】図１２Ａは、拡張現実ディスプレイシステムの側面図であって、マルチカラー光源（例えば、時間多重化ＲＧＢ  ＬＥＤまたはレーザダイオード）と、空間光変調器と、空間光変調器を照明し、空間光変調器の画像を眼に投影させるための光学系と、導波管のスタックとを含み、異なる導波管は、異なる色選択的内部結合光学要素および外部結合光学要素を含む。
【００３２】
【図１２Ｂ】図１２Ｂは、図１２Ａの拡張現実ディスプレイシステムの側面図であって、可動ミラーのアレイ（例えば、デジタル光処理（ＤＬＰ（ＴＭ）技術）および光ダンプ等のＭＥＭＳ（微小電気機械的）ベースのＳＬＭをさらに含む。
【００３３】
【図１２Ｃ】図１２Ｃは、図１２Ｂの拡張現実ディスプレイシステムの一部の上面図であって、内部結合光学要素および光ダンプおよび光源のうちの１つの側方配列を図式的に図示する。
【００３４】
【図１３Ａ】図１３Ａは、拡張現実ディスプレイシステムの斜視図であって、導波管のスタックを含み、異なる導波管は、異なる内部結合光学要素を含み、内部結合光学要素は、相互に対して側方に変位される。同様に相互に対して側方に変位される、１つ以上の光源は、光を光学系を通して通過させ、光を空間光変調器から反射させ、反射された光を再び光学系を通して通過させることによって、光を個別の内部結合光学要素に指向するように配置される。
【００３５】
【図１３Ｂ】図１３Ｂは、図１３Ａに図示される実施例の側面図であって、側方変位された内部結合光学要素および光源および光学系および空間光変調器を示す。
【００３６】
【図１３Ｃ】図１３Ｃは、図１３Ａおよび１３Ｂに図示される拡張現実ディスプレイシステムの上面図であって、１つ以上の側方に変位された内部結合光学要素と、関連付けられた１つ以上の側方に変位された光源とを示す。
【００３７】
【図１４Ａ】図１４Ａは、拡張現実ディスプレイシステムの側面図であって、導波管スタックを含み、異なる導波管は、異なる内部結合光学要素を含み、内部結合光学要素は、相互に対して側方に変位される（側方変位は、本実施例では、ｚ方向に生じる）。
【００３８】
【図１４Ｂ】図１４Ｂは、図１４Ａに図示されるディスプレイシステムの上面図であって、側方に変位された内部結合光学要素と、光源とを示す。
【００３９】
【図１４Ｃ】図１４Ｃは、図１４Ａおよび１４Ｂに図示されるディスプレイシステムの直交側面図である。
【００４０】
【図１５】図１５は、拡張現実ディスプレイシステムの上面図であって、スタックされた導波管のセットを含み、異なる導波管は、異なる内部結合光学要素を含む。光源および内部結合光学要素は、図１４Ａ−１４Ｃに示されるものの代替構成において配列される。
【００４１】
【図１６Ａ】図１６Ａは、拡張現実ディスプレイシステムの側面図であって、相互に対して側方に変位される、内部結合光学要素の群を含み、各群は、１つ以上の色選択的内部光学結合光学要素を含む。
【００４２】
【図１６Ｂ】図１６Ｂは、図１６Ａにおけるディスプレイシステムの上面図である。
【００４３】
【図１７】図１７は、拡張現実ディスプレイシステムの側面図であって、光源の近位の導波管の一部内で誘導される光を、導波管のその部分から外に、光学系の中へと空間光変調器に向かって結合し得る、反射性表面を用いて分割される、導波管を含む。本実施例では、光学系および光源は、導波管の同一側上に配置されて示される。
【００４４】
【図１８】図１８は、拡張現実ディスプレイシステムの側面図であって、光源からの光を受け取り、導波管内で誘導される光を光学系の中へと空間光変調器に向かって指向するための導波管を含む。本ディスプレイシステムは、加えて、空間光変調器からの光を受け取り、再び、光学系を通して通過させる、導波管を含む。導波管は、光を外部結合するための反射性表面を含む。導波管はまた、光をその中で内部結合するための反射性表面を含む。本実施例では、光学系および光源は、導波管の同一側上に配置されて示される。
【００４５】
【図１９】図１９は、拡張現実ディスプレイシステムの側面図であって、適応光学要素または可変焦点光学要素を含む。導波管のスタックと眼との間の第１の可変光学要素は、導波管から外に結合され、眼に指向される、光の発散およびコリメーションを変動させ、オブジェクトが位置するように現れる深度を変動させ得る。導波管のスタックの反対側の第２の可変光学要素は、拡張現実ディスプレイシステムおよびユーザの正面の環境から受け取られた光に及ぼされる第１の光学要素の影響を補償することができる。拡張現実ディスプレイシステムはさらに、処方箋レンズを含み、近視、遠視、非点収差等を有するユーザのための屈折補正等の眼科補正を提供する。
【００４６】
【図２０Ａ】図２０Ａは、拡張現実ディスプレイシステムの側面図であって、カラーフィルタアレイを含む。１つ以上の側方に変位された内部結合光学要素が、異なる導波管上に位置し、側方に変位されたカラーフィルタは、個別の内部結合光学要素と整合される。
【００４７】
【図２０Ｂ】図２０Ｂは、図２０Ａの拡張現実ディスプレイシステムを示し、光学系と空間光変調器との間に位置する、分析器を伴う。
【００４８】
【図２０Ｃ】図２０Ｃは、図２０Ａおよび２０Ｂに示されるものに類似するが、しかしながら、可動マイクロミラーベースの空間光変調器等の偏向ベースの空間光変調器を使用する、拡張現実ディスプレイシステムを示す。
【００４９】
【図２０Ｄ】図２０Ｄは、図２０Ｃに示されるような拡張現実ディスプレイシステムの一部の上面図であって、カラーフィルタアレイの上方の側方に変位された光源と、対応する側方に変位された内部結合光学要素とを図式的に図示する。
【００５０】
【図２０Ｅ】図２０Ｅは、図２０Ｄの拡張現実ディスプレイシステムのための、偏向ベースの空間光変調器が、光を、対応する内部結合光学要素から離れさせ、フィルタアレイ内のフィルタを囲繞するマスク上に指向する方法を図示する。
【００５１】
【図２０Ｆ】図２０Ｆは、拡張現実ディスプレイシステムの側面図であって、導波管のスタックのユーザ側上に配置される、カバーガラスと、カバーガラスの世界側上に配置される、光源とを含む。
【００５２】
【図２０Ｇ】図２０Ｇは、拡張現実ディスプレイシステムの側面図であって、導波管のスタックの世界側上に配置される、カバーガラスと、カバーガラスの世界側上に配置される、光源とを含む。
【００５３】
【図２１】図２１は、拡張現実ディスプレイシステムの側面図であって、ある偏光の光等の光を再利用するように構成される、光リサイクラを装備されている、光源を含む。
【００５４】
【図２２】図２２は、光を対応する光集光光学系および１つ以上の開口を通して伝搬させる、１つ以上の光源の側面図である。光はまた、１つ以上の開口の近位に位置する、拡散器を通して伝搬し得る。
【００５５】
【図２３Ａ】図２３Ａは、拡張現実ディスプレイシステムの一部の側面図であって、光源と、屈折力を有する光学系と、画像情報を受け取り、ユーザの眼に出力するための、導波管とを含み、本システムはさらに、導波管に残影画像として入力され得る、光学表面からの反射を低減させるように構成される、１つ以上のリターダおよび偏光器を含む。
【００５６】
【図２３Ｂ】図２３Ｂは、図２３Ａに示されるような拡張現実ディスプレイシステムの一部の側面図であって、残影画像を生産し得る、反射を低減させるように構成される、付加的リターダおよび偏光器を伴う。
【００５７】
【図２３Ｃ】図２３Ｃは、図２３Ａおよび２３Ｂに示されるような拡張現実ディスプレイシステムの側面図であって、残影画像を生産し得る反射を低減させるように構成される、低減されたリターダおよび偏光器を伴う。
【００５８】
【図２４】図２４は、拡張現実ディスプレイシステムの側面図であって、カバーガラス上の傾斜された表面等の傾斜された表面を利用して、反射をユーザの眼の中に指向されないように離れるように指向し、潜在的に、残影反射を低減させる。
【００５９】
【図２５】図２５は、図２４のシステムの実施形態であって、カバーガラス上の傾斜された表面は、反射を、光を吸光する、光ダンプに向かって指向するように構成される。
【発明を実施するための形態】
【００６０】
ここで、図を参照するが、同様の参照番号は、全体を通して同様の部分を指す。別様に示されない限り、図面は、概略であって、必ずしも、正確な縮尺で描かれていない。
【００６１】
図２は、ユーザのための３次元画像をシミュレートするための従来のディスプレイシステムを図示する。ユーザの眼は、離間されており、空間内の実オブジェクトを見ているとき、各眼は、オブジェクトの若干異なるビューを有し、オブジェクトの画像を各眼の網膜上の異なる場所に形成し得ることを理解されたい。これは、両眼視差と称され得、ヒト視覚系によって、深度の知覚を提供するために利用され得る。従来のディスプレイシステムは、仮想オブジェクトが所望の深度における実オブジェクトであるように各眼によって見えるであろう仮想オブジェクトのビューに対応する、眼２１０ａ、２１０ｂ毎に１つの同一仮想オブジェクトの若干異なるビューを伴う２つの明確に異なる画像１９０、２００を提示することによって、両眼視差をシミュレートする。これらの画像は、ユーザの視覚系が深度の知覚を導出するために解釈し得る、両眼キューを提供する。
【００６２】
図２を継続して参照すると、画像１９０、２００は、ｚ−軸上で距離２３０だけ眼２１０ａ、２１０ｂから離間される。ｚ−軸は、その眼が視認者の直前の光学無限遠におけるオブジェクトを固視している状態の視認者の光学軸と平行である。画像１９０、２００は、平坦であって、眼２１０ａ、２１０ｂから固定距離にある。それぞれ、眼２１０ａ、２１０ｂに提示される画像内の仮想オブジェクトの若干異なるビューに基づいて、眼は、必然的に、オブジェクトの画像が眼のそれぞれの網膜上の対応する点に来て、単一両眼視を維持するように回転し得る。本回転は、眼２１０ａ、２１０ｂのそれぞれの視線を仮想オブジェクトが存在するように知覚される空間内の点上に収束させ得る。その結果、３次元画像の提供は、従来、ユーザの眼２１０ａ、２１０ｂの輻輳・開散運動を操作し得、ヒト視覚系が深度の知覚を提供するように解釈する、両眼キューを提供することを伴う。
【００６３】
しかしながら、深度の現実的かつ快適な知覚の生成は、困難である。眼からの異なる距離におけるオブジェクトからの光は、異なる発散量を伴う波面を有することを理解されたい。図３Ａ−３Ｃは、距離と光線の発散との間の関係を図示する。オブジェクトと眼２１０との間の距離は、減少距離Ｒ１、Ｒ２、およびＲ３の順序で表される。図３Ａ−３Ｃに示されるように、光線は、オブジェクトまでの距離が減少するにつれてより発散する。逆に言えば、距離が増加するにつれて、光線は、よりコリメートされる。換言すると、点（オブジェクトまたはオブジェクトの一部）によって生成されるライトフィールドは、点がユーザの眼から離れている距離の関数である、球状波面曲率を有すると言え得る。曲率が増加すると、オブジェクトと眼２１０の間の距離が減少する。単眼２１０のみが、例証を明確にするために、図３Ａ−３Ｃおよび本明細書の種々の他の図に図示されるが、眼２１０に関する議論は、両眼２１０ａおよび２１０ｂに適用され得る。
【００６４】
図３Ａ−３Ｃを継続して参照すると、視認者の眼が固視しているオブジェクトからの光は、異なる波面発散度を有し得る。異なる波面発散量に起因して、光は、眼の水晶体によって異なるように集束され得、これは、ひいては、水晶体に、異なる形状をとり、集束された画像を眼の網膜上に形成することを要求し得る。集束された画像が、網膜上に形成されない場合、結果として生じる網膜ぼけは、集束された画像が網膜上に形成されるまで、眼の水晶体の形状に変化を生じさせる、遠近調節のためのキューとして作用する。例えば、遠近調節のためのキューは、眼の水晶体を囲繞する毛様筋の弛緩または収縮を誘起し、それによって、レンズを保持する提靭帯に印加される力を変調し、したがって、固視されているオブジェクトの網膜ぼけが排除または最小限にされるまで、眼の水晶体の形状を変化させ、それによって、固視されているオブジェクトの集束された画像を眼の網膜（例えば、中心窩）上に形成し得る。眼の水晶体が形状を変化させるプロセスは、遠近調節と称され得、固視されているオブジェクトの集束された画像を眼の網膜（例えば、中心窩）上に形成するために要求される眼の水晶体の形状は、遠近調節状態と称され得る。
【００６５】
ここで図４Ａを参照すると、ヒト視覚系の遠近調節−輻輳・開散運動応答の表現が、図示される。オブジェクトを固視するための眼の移動は、眼にオブジェクトからの光を受信させ、光は、画像を眼の網膜のそれぞれ上に形成する。網膜上に形成される画像内の網膜ぼけの存在は、遠近調節のためのキューを提供し得、網膜上の画像の相対的場所は、輻輳・開散運動のためのキューを提供し得る。遠近調節するためのキューは、遠近調節を生じさせ、眼の水晶体がオブジェクトの集束された画像を眼の網膜（例えば、中心窩）上に形成する特定の遠近調節状態をとる結果をもたらす。一方、輻輳・開散運動のためのキューは、各眼の各網膜上に形成される画像が単一両眼視を維持する対応する網膜点にあるように、輻輳・開散運動移動（眼の回転）を生じさせる。これらの位置では、眼は、特定の輻輳・開散運動状態をとっていると言え得る。図４Ａを継続して参照すると、遠近調節は、眼が特定の遠近調節状態を達成するプロセスであると理解され得、輻輳・開散運動は、眼が特定の輻輳・開散運動状態を達成するプロセスであると理解され得る。図４Ａに示されるように、眼の遠近調節および輻輳・開散運動状態は、ユーザが別のオブジェクトを固視する場合、変化し得る。例えば、遠近調節された状態は、ユーザがｚ−軸上の異なる深度における新しいオブジェクトを固視する場合、変化し得る。
【００６６】
理論によって限定されるわけではないが、オブジェクトの視認者は、輻輳・開散運動および遠近調節の組み合わせに起因して、オブジェクトを「３次元」であると知覚し得ると考えられる。前述のように、２つの眼の相互に対する輻輳・開散運動移動（例えば、瞳孔が相互に向かって、またはそこから移動し、眼の視線を収束させ、オブジェクトを固視するような眼の回転）は、眼の水晶体の遠近調節と密接に関連付けられる。通常条件下では、眼の水晶体の形状を変化させ、１つのオブジェクトから異なる距離における別のオブジェクトに焦点を変化させることは、自動的に、「遠近調節−輻輳・開散運動反射」として知られる関係下、同一距離まで輻輳・開散運動における整合する変化を生じさせるであろう。同様に、輻輳・開散運動における変化は、通常条件下、水晶体形状における整合する変化を誘起するであろう。
【００６７】
ここで図４Ｂを参照すると、眼の異なる遠近調節および輻輳・開散運動状態の実施例が、図示される。対の眼２２２ａは、光学無限遠におけるオブジェクトを固視する一方、対の眼２２２ｂは、光学無限遠未満におけるオブジェクト２２１を固視する。着目すべきこととして、各対の眼の輻輳・開散運動状態は、異なり、対の眼２２２ａは、まっすぐ指向される一方、対の眼２２２は、オブジェクト２２１上に収束する。各対の眼２２２ａおよび２２２ｂを形成する眼の遠近調節状態もまた、水晶体２２０ａ、２２０ｂの異なる形状によって表されるように異なる。
【００６８】
望ましくないことに、従来の「３−Ｄ」ディスプレイシステムの多くのユーザは、これらのディスプレイにおける遠近調節と輻輳・開散運動状態との間の不整合に起因して、そのような従来のシステムを不快であると見出す、または奥行感を全く知覚しない場合がある。前述のように、多くの立体視または「３−Ｄ」ディスプレイシステムは、若干異なる画像を各眼に提供することによって、場面を表示する。そのようなシステムは、それらが、とりわけ、単に、場面の異なる提示を提供し、眼の輻輳・開散運動状態に変化を生じさせるが、それらの眼の遠近調節状態に対応する変化を伴わないため、多くの視認者にとって不快である。むしろ、画像は、眼が全ての画像情報を単一遠近調節状態において視認するように、ディスプレイによって眼から固定距離に示される。そのような配列は、遠近調節状態における整合する変化を伴わずに輻輳・開散運動状態に変化を生じさせることによって、「遠近調節−輻輳・開散運動反射」に逆らう。本不整合は、視認者不快感を生じさせると考えられる。遠近調節と輻輳・開散運動との間のより良好な整合を提供する、ディスプレイシステムは、３次元画像のより現実的かつ快適なシミュレーションを形成し得る。
【００６９】
理論によって限定されるわけではないが、ヒトの眼は、典型的には、有限数の深度平面を解釈し、深度知覚を提供することができると考えられる。その結果、知覚された深度の高度に真実味のあるシミュレーションが、眼にこれらの限定数の深度平面のそれぞれに対応する画像の異なる提示を提供することによって達成され得る。いくつかの実施形態では、異なる提示は、輻輳・開散運動のためのキューおよび遠近調節するための整合するキューの両方を提供し、それによって、生理学的に正しい遠近調節−輻輳・開散運動整合を提供してもよい。
【００７０】
図４Ｂを継続して参照すると、眼２１０ａ、２１０ｂからの空間内の異なる距離に対応する、２つの深度平面２４０が、図示される。所与の深度平面２４０に関して、輻輳・開散運動キューが、眼２１０ａ、２１０ｂ毎に適切に異なる視点の画像を表示することによって提供されてもよい。加えて、所与の深度平面２４０に関して、各眼２１０ａ、２１０ｂに提供される画像を形成する光は、その深度平面２４０の距離におけるある点によって生成されたライトフィールドに対応する波面発散を有してもよい。
【００７１】
図示される実施形態では、点２２１を含有する、深度平面２４０のｚ−軸に沿った距離は、１ｍである。本明細書で使用されるように、ｚ−軸に沿った距離または深度は、ユーザの眼の射出瞳に位置するゼロ点を用いて測定されてもよい。したがって、１ｍの深度に位置する深度平面２４０は、眼が光学無限遠に向かって指向された状態でそれらの眼の光学軸上のユーザの眼の射出瞳から１ｍ離れた距離に対応する。近似値として、ｚ−軸に沿った深度または距離は、ユーザの眼の正面のディスプレイ（例えば、導波管の表面）から測定され、デバイスとユーザの眼の射出瞳との間の距離に関する値が加えられてもよい。その値は、瞳距離と呼ばれ、ユーザの眼の射出瞳と眼の正面のユーザによって装着されるディスプレイとの間の距離に対応し得る。実際は、瞳距離に関する値は、概して、全ての視認者に関して使用される、正規化された値であってもよい。例えば、瞳距離は、２０ｍｍであると仮定され得、１ｍの深度における深度平面は、ディスプレイの正面の９８０ｍｍの距離にあり得る。
【００７２】
ここで図４Ｃおよび４Ｄを参照すると、整合遠近調節−輻輳・開散運動距離および不整合遠近調節−輻輳・開散運動距離の実施例が、それぞれ、図示される。図４Ｃに図示されるように、ディスプレイシステムは、仮想オブジェクトの画像を各眼２１０ａ、２１０ｂに提供してもよい。画像は、眼２１０ａ、２１０ｂに、眼が深度平面２４０上の点１５上に収束する、輻輳・開散運動状態をとらせ得る。加えて、画像は、その深度平面２４０における実オブジェクトに対応する波面曲率を有する光によって形成され得る。その結果、眼２１０ａ、２１０ｂは、画像がそれらの眼の網膜上に合焦する、遠近調節状態をとる。したがって、ユーザは、仮想オブジェクトを深度平面２４０上の点１５にあるように知覚し得る。
【００７３】
眼２１０ａ、２１０ｂの遠近調節および輻輳・開散運動状態はそれぞれ、ｚ−軸上の特定の距離と関連付けられることを理解されたい。例えば、眼２１０ａ、２１０ｂからの特定の距離におけるオブジェクトは、それらの眼に、オブジェクトの距離に基づいて、特定の遠近調節状態をとらせる。特定の遠近調節状態と関連付けられた距離は、遠近調節距離Ａｄと称され得る。同様に、特定の輻輳・開散運動状態における眼と関連付けられた特定の輻輳・開散運動距離Ｖｄまたは相互に対する位置が、存在する。遠近調節距離および輻輳・開散運動距離が整合する場合、遠近調節と輻輳・開散運動との間の関係は、生理学的に正しいと言える。これは、視認者に最も快適なシナリオであると見なされる。
【００７４】
しかしながら、立体視ディスプレイでは、遠近調節距離および輻輳・開散運動距離は、常時、整合しない場合がある。例えば、図４Ｄに図示されるように、眼２１０ａ、２１０ｂに表示される画像は、深度平面２４０に対応する波面発散を伴って表示され得、眼２１０ａ、２１０ｂは、その深度平面上の点１５ａ、１５ｂが合焦する、特定の遠近調節状態をとり得る。しかしながら、眼２１０ａ、２１０ｂに表示される画像は、眼２１０ａ、２１０ｂを深度平面２４０上に位置しない点１５上に収束させる、輻輳・開散運動のためのキューを提供し得る。その結果、遠近調節距離は、いくつかの実施形態では、眼２１０ａ、２１０ｂの射出瞳から深度平面２４０の距離に対応する一方、輻輳・開散運動距離は、眼２１０ａ、２１０ｂの射出瞳から点１５までのより大きい距離に対応する。遠近調節距離は、輻輳・開散運動距離と異なる。その結果、遠近調節−輻輳・開散運動不整合が存在する。そのような不整合は、望ましくないと見なされ、不快感をユーザに生じさせ得る。不整合は、距離（例えば、Ｖｄ−Ａｄ）に対応し、ジオプタを使用して特性評価され得ることを理解されたい。
【００７５】
いくつかの実施形態では、眼２１０ａ、２１０ｂの射出瞳以外の参照点も、同一参照点が遠近調節距離および輻輳・開散運動距離のために利用される限り、遠近調節−輻輳・開散運動不整合を決定するための距離を決定するために利用されてもよいことを理解されたい。例えば、距離は、角膜から深度平面、網膜から深度平面、接眼レンズ（例えば、ディスプレイデバイスの導波管）から深度平面等まで測定され得る。
【００７６】
理論によって限定されるわけではないが、ユーザは、不整合自体が有意な不快感を生じさせずに、依然として、最大約０．２５ジオプタ、最大約０．３３ジオプタ、および最大約０．５ジオプタの遠近調節−輻輳・開散運動不整合を生理学的に正しいと知覚し得ると考えられる。いくつかの実施形態では、本明細書に開示されるディスプレイシステム（例えば、ディスプレイシステム２５０、図６）は、約０．５ジオプタまたはそれ未満の遠近調節−輻輳・開散運動不整合を有する、画像を視認者に提示する。いくつかの他の実施形態では、ディスプレイシステムによって提供される画像の遠近調節−輻輳・開散運動不整合は、約０．３３ジオプタまたはそれ未満である。さらに他の実施形態では、ディスプレイシステムによって提供される画像の遠近調節−輻輳・開散運動不整合は、約０．１ジオプタまたはそれ未満を含む、約０．２５ジオプタまたはそれ未満である。
【００７７】
図５は、波面発散を修正することによって、３次元画像をシミュレートするためのアプローチの側面を図示する。ディスプレイシステムは、画像情報でエンコードされた光７７０を受信し、その光をユーザの眼２１０に出力するように構成される、導波管２７０を含む。導波管２７０は、所望の深度平面２４０上のある点によって生成されたライトフィールドの波面発散に対応する定義された波面発散量を伴って光６５０を出力してもよい。いくつかの実施形態では、同一量の波面発散が、その深度平面上に提示される全てのオブジェクトのために提供される。加えて、ユーザの他方の眼は、類似導波管からの画像情報を提供され得るように図示されるであろう。
【００７８】
いくつかの実施形態では、単一導波管が、単一または限定数の深度平面に対応する設定された波面発散量を伴う光を出力するように構成されてもよく、および／または導波管は、限定された範囲の波長の光を出力するように構成されてもよい。その結果、いくつかの実施形態では、導波管のスタックが、異なる深度平面のための異なる波面発散量を提供し、および／または異なる範囲の波長の光を出力するために利用されてもよい。本明細書で使用されるように、深度平面は、平面または湾曲表面の輪郭に追従してもよいことを理解されたい。いくつかの実施形態では、有利には、簡略化のために、深度平面は、平坦表面の輪郭に追従し得る。
【００７９】
図６は、画像情報をユーザに出力するための導波管スタックの実施例を図示する。ディスプレイシステム２５０は、導波管２７０、２８０、２９０、３００、３１０を使用して３次元知覚を眼／脳に提供するために利用され得る、導波管のスタックまたはスタックされた導波管アセンブリ２６０を含む。ディスプレイシステム２５０は、いくつかの実施形態では、ライトフィールドディスプレイと見なされてもよいことを理解されたい。加えて、導波管アセンブリ２６０はまた、接眼レンズとも称され得る。
【００８０】
いくつかの実施形態では、ディスプレイシステム２５０は、輻輳・開散運動するための実質的に連続キューおよび遠近調節するための複数の離散キューを提供するように構成されてもよい。輻輳・開散運動のためのキューは、異なる画像をユーザの眼のそれぞれに表示することによって提供されてもよく、遠近調節のためのキューは、選択可能な離散量の波面発散を伴う画像を形成する光を出力することによって提供されてもよい。換言すると、ディスプレイシステム２５０は、可変レベルの波面発散を伴う光を出力するように構成されてもよい。いくつかの実施形態では、波面発散の各離散レベルは、特定の深度平面に対応し、導波管２７０、２８０、２９０、３００、３１０のうちの特定の１つによって提供されてもよい。
【００８１】
図６を継続して参照すると、導波管アセンブリ２６０はまた、特徴３２０、３３０、３４０、３５０を導波管の間に含んでもよい。いくつかの実施形態では、特徴３２０、３３０、３４０、３５０は、１つ以上のレンズであってもよい。導波管２７０、２８０、２９０、３００、３１０および／または特徴（レンズ）３２０、３３０、３４０、３５０は、種々のレベルの波面曲率または光線発散を用いて画像情報を眼に送信するように構成されてもよい。各導波管レベルは、特定の深度平面と関連付けられてもよく、その深度平面に対応する画像情報を出力するように構成されてもよい。画像投入デバイス３６０、３７０、３８０、３９０、４００は、導波管のための光源として機能してもよく、画像情報を導波管２７０、２８０、２９０、３００、３１０の中に投入するために利用されてもよく、それぞれ、本明細書に説明されるように、眼２１０に向かって出力のために各個別の導波管を横断して入射光を分散させるように構成されてもよい。光は、画像投入デバイス３６０、３７０、３８０、３９０、４００の出力表面４１０、４２０、４３０、４４０、４５０から出射し、導波管２７０、２８０、２９０、３００、３１０の対応する入力表面４６０、４７０、４８０、４９０、５００の中に投入される。いくつかの実施形態では、入力表面４６０、４７０、４８０、４９０、５００はそれぞれ、対応する導波管の縁であってもよい、または対応する導波管の主要表面の一部（すなわち、世界５１０または視認者の眼２１０に直接面する導波管表面のうちの１つ）であってもよい。いくつかの実施形態では、光の単一ビーム（例えば、コリメートされたビーム）が、各導波管の中に投入され、クローン化されたコリメートビームの全体場を出力してもよく、これは、特定の導波管と関連付けられた深度平面に対応する特定の角度（および発散量）において眼２１０に向かって指向される。いくつかの実施形態では、画像投入デバイス３６０、３７０、３８０、３９０、４００のうちの単一の１つは、１つ以上の（例えば、３つ）の導波管２７０、２８０、２９０、３００、３１０と関連付けられ、その中に光を投入してもよい。
【００８２】
いくつかの実施形態では、画像投入デバイス３６０、３７０、３８０、３９０、４００はそれぞれ、それぞれ対応する導波管２７０、２８０、２９０、３００、３１０の中への投入のために画像情報を生成する、離散ディスプレイである。いくつかの他の実施形態では、画像投入デバイス３６０、３７０、３８０、３９０、４００は、例えば、画像情報を１つ以上の光学導管（光ファイバケーブル等）を介して画像投入デバイス３６０、３７０、３８０、３９０、４００のそれぞれに送り得る、単一の多重化されたディスプレイの出力端である。画像投入デバイス３６０、３７０、３８０、３９０、４００によって提供される画像情報は、異なる波長または色（例えば、本明細書に議論されるように、異なる原色）の光を含んでもよいことを理解されたい。
【００８３】
いくつかの実施形態では、導波管２７０、２８０、２９０、３００、３１０の中に投入される光は、光プロジェクタシステム５２０によって提供され、これは、光モジュール５３０を含み、これは、発光ダイオード（ＬＥＤ）等の光エミッタを含んでもよい。光モジュール５３０からの光は、ビームスプリッタ５５０を介して、光変調器５４０、例えば、空間光変調器によって指向および修正されてもよい。光変調器５４０は、導波管２７０、２８０、２９０、３００、３１０の中に投入される光の知覚される強度を変化させ、光を画像情報でエンコードするように構成されてもよい。空間光変調器の実施例は、液晶ディスプレイ（ＬＣＤ）を含み、シリコン上液晶（ＬＣＯＳ）ディスプレイを含む。画像投入デバイス３６０、３７０、３８０、３９０、４００は、図式的に図示され、いくつかの実施形態では、これらの画像投入デバイスは、光を導波管２７０、２８０、２９０、３００、３１０の関連付けられたものの中に出力するように構成される、共通投影システム内の異なる光経路および場所を表し得ることを理解されたい。いくつかの実施形態では、導波管アセンブリ２６０の導波管は、導波管の中に投入された光をユーザの眼に中継しながら、理想的レンズとして機能し得る。本概念では、オブジェクトは、空間光変調器５４０であってもよく、画像は、深度平面上の画像であってもよい。
【００８４】
いくつかの実施形態では、ディスプレイシステム２５０は、光を種々のパターン（例えば、ラスタ走査、螺旋走査、リサジューパターン等）で１つ以上の導波管２７０、２８０、２９０、３００、３１０の中に、最終的には、視認者の眼２１０に投影するように構成される、１つ以上の走査ファイバを備える、走査ファイバディスプレイであってもよい。いくつかの実施形態では、図示される画像投入デバイス３６０、３７０、３８０、３９０、４００は、光を１つ以上の導波管２７０、２８０、２９０、３００、３１０の中に投入するように構成される、単一走査ファイバまたは走査ファイバの束を図式的に表し得る。いくつかの他の実施形態では、図示される画像投入デバイス３６０、３７０、３８０、３９０、４００は、１つ以上の走査ファイバまたは走査ファイバの１つ以上の束を図式的に表し得、それぞれ、光を導波管２７０、２８０、２９０、３００、３１０のうちの関連付けられた１つの中に投入するように構成される。１つ以上の光ファイバは、光を光モジュール５３０から１つ以上の導波管２７０、２８０、２９０、３００、３１０に透過するように構成されてもよいことを理解されたい。１つ以上の介在光学構造が、走査ファイバまたは複数のファイバと、１つ以上の導波管２７０、２８０、２９０、３００、３１０との間に提供され、例えば、走査ファイバから出射する光を１つ以上の導波管２７０、２８０、２９０、３００、３１０の中に再指向してもよいことを理解されたい。
【００８５】
コントローラ５６０は、画像投入デバイス３６０、３７０、３８０、３９０、４００、光源５３０、および光変調器５４０の動作を含む、スタックされた導波管アセンブリ２６０のうちの１つ以上のものの動作を制御する。いくつかの実施形態では、コントローラ５６０は、ローカルデータ処理モジュール１４０の一部である。コントローラ５６０は、例えば、本明細書に開示される種々のスキームのいずれかに従って、導波管２７０、２８０、２９０、３００、３１０への画像情報のタイミングおよびプロビジョニングを調整する、プログラミング（例えば、非一過性媒体内の命令）を含む。いくつかの実施形態では、コントローラは、単一一体型デバイスまたは有線または無線通信チャネルによって接続される分散型システムであってもよい。コントローラ５６０は、いくつかの実施形態では、処理モジュール１４０または１５０（図９Ｄ）の一部であってもよい。
【００８６】
図６を継続して参照すると、導波管２７０、２８０、２９０、３００、３１０は、全内部反射（ＴＩＲ）によって各個別の導波管内で光を伝搬するように構成されてもよい。導波管２７０、２８０、２９０、３００、３１０はそれぞれ、主要上部表面および主要底部表面およびそれらの主要上部表面と主要底部表面との間に延在する縁を伴う、平面である、または別の形状（例えば、湾曲）を有してもよい。図示される構成では、導波管２７０、２８０、２９０、３００、３１０はそれぞれ、光を再指向させ、各個別の導波管内で伝搬させ、導波管から画像情報を眼２１０に出力することによって、光を導波管から抽出するように構成される、外部結合光学要素５７０、５８０、５９０、６００、６１０を含んでもよい。本明細書全体を通して「外部結合光学要素」と称されるが、外部結合光学要素は、光学要素である必要はなく、非光学要素であってもよい。抽出された光はまた、外部結合光と称され得、外部結合光学要素光はまた、光抽出光学要素と称され得る。抽出された光のビームは、導波管によって、導波管内を伝搬する光が光抽出光学要素に衝打する場所において出力され得る。外部結合光学要素５７０、５８０、５９０、６００、６１０は、例えば、本明細書にさらに議論されるような回折光学特徴を含む、格子であってもよい。説明を容易にし、図面を明確にするために、導波管２７０、２８０、２９０、３００、３１０の底部主要表面に配置されて図示されるが、いくつかの実施形態では、外部結合光学要素５７０、５８０、５９０、６００、６１０は、本明細書にさらに議論されるように、上部主要表面および／または底部主要表面に配置されてもよい、および／または導波管２７０、２８０、２９０、３００、３１０の容積内に直接配置されてもよい。いくつかの実施形態では、外部結合光学要素５７０、５８０、５９０、６００、６１０は、透明基板に取り付けられ、導波管２７０、２８０、２９０、３００、３１０を形成する、材料の層内に形成されてもよい。いくつかの他の実施形態では、導波管２７０、２８０、２９０、３００、３１０は、材料のモノリシック部品であってもよく、外部結合光学要素５７０、５８０、５９０、６００、６１０は、その材料部品の表面上および／または内部に形成されてもよい。
【００８７】
図６を継続して参照すると、本明細書に議論されるように、各導波管２７０、２８０、２９０、３００、３１０は、光を出力し、特定の深度平面に対応する画像を形成するように構成される。例えば、眼の最近傍の導波管２７０は、眼２１０にコリメートされた光（そのような導波管２７０の中に投入された）を送達するように構成されてもよい。コリメートされた光は、光学無限遠焦点面を表し得る。次の上方の導波管２８０は、眼２１０に到達し得る前に、第１のレンズ３５０（例えば、負のレンズ）を通して通過する、コリメートされた光を送出するように構成されてもよい。そのような第１のレンズ３５０は、眼／脳が、その次の上方の導波管２８０から生じる光を光学無限遠から眼２１０に向かって内向きにより近い第１の焦点面から生じるように解釈するように、若干の凸面波面曲率を生成するように構成されてもよい。同様に、第３の上方の導波管２９０は、眼２１０に到達する前に、その出力光を第１のレンズ３５０および第２のレンズ３４０の両方を通して通過させる。第１のレンズ３５０および第２のレンズ３４０の組み合わせられた屈折力は、眼／脳が、第３の導波管２９０から生じる光が次の上方の導波管２８０からの光であったよりも光学無限遠から人物に向かって内向きにさらに近い第２の焦点面から生じるように解釈するように、別の漸増量の波面曲率を生成するように構成されてもよい。
【００８８】
他の導波管層３００、３１０およびレンズ３３０、３２０も同様に構成され、スタック内の最高導波管３１０は、人物に最も近い焦点面を表す集約焦点力のために、その出力をそれと眼との間のレンズの全てを通して送出する。スタックされた導波管アセンブリ２６０の他側の世界５１０から生じる光を視認／解釈するとき、レンズ３２０、３３０、３４０、３５０のスタックを補償するために、補償レンズ層６２０が、スタックの上部に配置され、下方のレンズスタック３２０、３３０、３４０、３５０の集約力を補償してもよい。そのような構成は、利用可能な導波管／レンズ対と同じ数の知覚される焦点面を提供する。導波管の外部結合光学要素およびレンズの集束側面は両方とも、静的であってもよい（すなわち、動的ではないまたは電気活性ではない）。いくつかの代替実施形態では、一方または両方とも、電気活性特徴を使用して動的であってもよい。
【００８９】
いくつかの実施形態では、導波管２７０、２８０、２９０、３００、３１０のうちの２つ以上のものは、同一の関連付けられた深度平面を有してもよい。例えば、複数の導波管２７０、２８０、２９０、３００、３１０が、同一深度平面に設定される画像を出力するように構成されてもよい、または導波管２７０、２８０、２９０、３００、３１０の複数のサブセットが、深度平面毎に１つのセットを伴う、同一の１つ以上の深度平面に設定される画像を出力するように構成されてもよい。これは、それらの深度平面において拡張された視野を提供するようにタイル化された画像を形成する利点を提供し得る。
【００９０】
図６を継続して参照すると、外部結合光学要素５７０、５８０、５９０、６００、６１０は、導波管と関連付けられた特定の深度平面のために、光をその個別の導波管から再指向し、かつ本光を適切な量の発散またはコリメーションを伴って出力するように構成されてもよい。その結果、異なる関連付けられた深度平面を有する導波管は、外部結合光学要素５７０、５８０、５９０、６００、６１０の異なる構成を有してもよく、これは、関連付けられた深度平面に応じて、異なる量の発散を伴う光を出力する。いくつかの実施形態では、光抽出光学要素５７０、５８０、５９０、６００、６１０は、体積特徴または表面特徴であってもよく、これは、具体的角度で光を出力するように構成されてもよい。例えば、光抽出光学要素５７０、５８０、５９０、６００、６１０は、体積ホログラム、表面ホログラム、および／または回折格子であってもよい。いくつかの実施形態では、特徴３２０、３３０、３４０、３５０は、レンズではなくてもよい。むしろ、それらは、単に、スペーサ（例えば、クラッディング層および／または空隙を形成するための構造）であってもよい。
【００９１】
いくつかの実施形態では、外部結合光学要素５７０、５８０、５９０、６００、６１０は、回折パターンを形成する回折特徴または「回折光学要素」（また、本明細書では、「ＤＯＥ」とも称される）である。好ましくは、ＤＯＥは、ビームの光の一部のみがＤＯＥの各交差部で眼２１０に向かって偏向される一方、残りがＴＩＲを介して、導波管を通して移動し続けるように、十分に低回折効率を有する。画像情報を搬送する光は、したがって、様々な場所において導波管から出射する、いくつかの関連出射ビームに分割され、その結果、導波管内でバウンスする本特定のコリメートされたビームに関して、眼２１０に向かって非常に均一パターンの出射放出となる。
【００９２】
いくつかの実施形態では、１つ以上のＤＯＥは、能動的に回折する「オン」状態と有意に回折しない「オフ」状態との間で切替可能であってもよい。例えば、切替可能なＤＯＥは、ポリマー分散液晶の層を備えてもよく、その中で微小液滴は、ホスト媒体中に回折パターンを備え、微小液滴の屈折率は、ホスト材料の屈折率に実質的に整合するように切り替えられてもよい（その場合、パターンは、入射光を著しく回折させない）、または微小液滴は、ホスト媒体のものに整合しない屈折率に切り替えられてもよい（その場合、パターンは、入射光を能動的に回折させる）。
【００９３】
いくつかの実施形態では、カメラアセンブリ６３０（例えば、可視光および赤外線光カメラを含む、デジタルカメラ）が、眼２１０および／または眼２１０の周囲の組織の画像を捕捉し、例えば、ユーザ入力を検出する、および／またはユーザの生理学的状態を監視するために提供されてもよい。本明細書で使用されるように、カメラは、任意の画像捕捉デバイスであってもよい。いくつかの実施形態では、カメラアセンブリ６３０は、画像捕捉デバイスと、光（例えば、赤外線光）を眼に投影し、次いで、該光が眼によって反射され、画像捕捉デバイスによって検出され得る、光源とを含んでもよい。いくつかの実施形態では、カメラアセンブリ６３０は、フレーム８０（図９Ｄ）に取り付けられてもよく、カメラアセンブリ６３０からの画像情報を処理し得る、処理モジュール１４０および／または１５０と電気通信してもよい。いくつかの実施形態では、１つのカメラアセンブリ６３０が、眼毎に利用され、各眼を別個に監視してもよい。
【００９４】
ここで図７を参照すると、導波管によって出力された出射ビームの実施例が、示される。１つの導波管が図示されるが、導波管アセンブリ２６０（図６）内の他の導波管も同様に機能し得、導波管アセンブリ２６０は、複数の導波管を含むことを理解されたい。光６４０が、導波管２７０の入力表面４６０において導波管２７０の中に投入され、ＴＩＲによって導波管２７０内を伝搬する。光６４０がＤＯＥ５７０上に衝突する点では、光の一部は、導波管から出射ビーム６５０として出射する。出射ビーム６５０は、略平行として図示されるが、本明細書に議論されるように、また、導波管２７０と関連付けられた深度平面に応じて、ある角度（例えば、発散出射ビーム形成）において眼２１０に伝搬するように再指向されてもよい。略平行出射ビームは、眼２１０からの遠距離（例えば、光学無限遠）における深度平面に設定されるように現れる画像を形成するように光を外部結合する、外部結合光学要素を伴う導波管を示し得ることを理解されたい。他の導波管または他の外部結合光学要素のセットは、より発散する、出射ビームパターンを出力してもよく、これは、眼２１０がより近い距離に遠近調節し、網膜に合焦させることを要求し、光学無限遠より眼２１０に近い距離からの光として脳によって解釈されるであろう。
【００９５】
いくつかの実施形態では、フルカラー画像が、原色、例えば、３つ以上の原色のそれぞれに画像をオーバーレイすることによって、各深度平面において形成されてもよい。図８は、スタックされた導波管アセンブリの実施例を図示し、各深度平面は、複数の異なる原色を使用して形成される画像を含む。図示される実施形態は、深度平面２４０ａ−２４０ｆを示すが、より多いまたはより少ない深度もまた、検討される。各深度平面は、第１の色Ｇの第１の画像、第２の色Ｒの第２の画像、および第３の色Ｂの第３の画像を含む、それと関連付けられた３つ以上の原色画像を有してもよい。異なる深度平面は、文字Ｇ、Ｒ、およびＢに続くジオプタ（ｄｐｔ）に関する異なる数字によって図に示される。単なる実施例として、これらの文字のそれぞれに続く数字は、ジオプタ（１／ｍ）、すなわち、視認者からの深度平面の逆距離を示し、図中の各ボックスは、個々の原色画像を表す。いくつかの実施形態では、異なる波長の光の眼の集束における差異を考慮するために、異なる原色に関する深度平面の正確な場所は、変動してもよい。例えば、所与の深度平面に関する異なる原色画像は、ユーザからの異なる距離に対応する深度平面上に設置されてもよい。そのような配列は、視力およびユーザ快適性を増加させ得、および／または色収差を減少させ得る。
【００９６】
いくつかの実施形態では、各原色の光は、単一専用導波管によって出力されてもよく、その結果、各深度平面は、それと関連付けられた複数の導波管を有してもよい。そのような実施形態では、文字Ｇ、Ｒ、またはＢを含む、図中の各ボックスは、個々の導波管を表すものと理解され得、３つの導波管は、深度平面毎に提供されてもよく、３つの原色画像が、深度平面毎に提供される。各深度平面と関連付けられた導波管は、本図面では、説明を容易にするために相互に隣接して示されるが、物理的デバイスでは、導波管は全て、レベル毎に１つの導波管を伴うスタックで配列されてもよいことを理解されたい。いくつかの他の実施形態では、複数の原色が、例えば、単一導波管のみが深度平面毎に提供され得るように、同一導波管によって出力されてもよい。
【００９７】
図８を継続して参照すると、いくつかの実施形態では、Ｇは、緑色であって、Ｒは、赤色であって、Ｂは、青色である。いくつかの他の実施形態では、マゼンタ色およびシアン色を含む、光の他の波長と関連付けられた他の色も、赤色、緑色、または青色のうちの１つ以上のものに加えて使用されてもよい、またはそれらに取って代わってもよい。
【００９８】
本開示全体を通した所与の光の色の言及は、視認者によってその所与の色であるように知覚される、光の波長の範囲内の１つ以上の波長の光を包含するものと理解されるであろうことを理解されたい。例えば、赤色光は、約６２０〜７８０ｎｍの範囲内の１つ以上の波長の光を含んでもよく、緑色光は、約４９２〜５７７ｎｍの範囲内の１つ以上の波長の光を含んでもよく、青色光は、約４３５〜４９３ｎｍの範囲内の１つ以上の波長の光を含んでもよい。
【００９９】
いくつかの実施形態では、光源５３０（図６）は、視認者の視覚的知覚範囲外の１つ以上の波長、例えば、赤外線および／または紫外線波長の光を放出するように構成されてもよい。加えて、ディスプレイ２５０の導波管の内部結合、外部結合、および他の光再指向構造は、例えば、結像および／またはユーザ刺激用途のために、本光をディスプレイからユーザの眼２１０に向かって指向および放出するように構成されてもよい。
【０１００】
ここで図９Ａを参照すると、いくつかの実施形態では、導波管に衝突する光は、その光を導波管の中に内部結合するために再指向される必要があり得る。内部結合光学要素が、光をその対応する導波管の中に再指向および内部結合するために使用されてもよい。本明細書全体を通して「内部結合光学要素」が参照されるが、内部結合光学要素は、光学要素である必要はなく、非光学要素であってもよい。図９Ａは、それぞれ、内部結合光学要素を含む、スタックされた導波管のセット６６０の実施例の断面側面図を図示する。導波管はそれぞれ、１つまたはそれを上回る異なる波長または１つまたはそれを上回る異なる波長範囲の光を出力するように構成されてもよい。スタック６６０は、スタック２６０（図６）に対応してもよく、スタック６６０の図示される導波管は、導波管２７０、２８０、２９０、３００、３１０の一部に対応してもよいが、画像投入デバイス３６０、３７０、３８０、３９０、４００のうちの１つ以上のものからの光が、光が内部結合のために再指向されることを要求する位置から導波管の中に投入されることを理解されたい。
【０１０１】
スタックされた導波管の図示されるセット６６０は、導波管６７０、６８０、および６９０を含む。各導波管は、関連付けられた内部結合光学要素（導波管上の光入力面積とも称され得る）を含み、例えば、内部結合光学要素７００は、導波管６７０の主要表面（例えば、上側主要表面）上に配置され、内部結合光学要素７１０は、導波管６８０の主要表面（例えば、上側主要表面）上に配置され、内部結合光学要素７２０は、導波管６９０の主要表面（例えば、上側主要表面）上に配置される。いくつかの実施形態では、内部結合光学要素７００、７１０、７２０のうちの１つ以上のものは、個別の導波管６７０、６８０、６９０の底部主要表面上に配置されてもよい（特に、１つ以上の内部結合光学要素は、反射性偏向光学要素である）。図示されるように、内部結合光学要素７００、７１０、７２０は、その個別の導波管６７０、６８０、６９０の上側主要表面（または次の下側導波管の上部）上に配置されてもよく、特に、それらの内部結合光学要素は、透過性偏向光学要素である。いくつかの実施形態では、内部結合光学要素７００、７１０、７２０は、個別の導波管６７０、６８０、６９０の本体内に配置されてもよい。いくつかの実施形態では、本明細書に議論されるように、内部結合光学要素７００、７１０、７２０は、他の光の波長を透過しながら、１つ以上の光の波長を選択的に再指向するような波長選択的である。その個別の導波管６７０、６８０、６９０の片側または角に図示されるが、内部結合光学要素７００、７１０、７２０は、いくつかの実施形態では、その個別の導波管６７０、６８０、６９０の他の面積内に配置されてもよいことを理解されたい。
【０１０２】
図示されるように、内部結合光学要素７００、７１０、７２０は、相互から側方にオフセットされてもよい。いくつかの実施形態では、各内部結合光学要素は、その光が別の内部結合光学要素を通して通過せずに、光を受信するようにオフセットされてもよい。例えば、各内部結合光学要素７００、７１０、７２０は、図６に示されるように、光を異なる画像投入デバイス３６０、３７０、３８０、３９０、および４００から受信するように構成されてもよく、光を内部結合光学要素７００、７１０、７２０の他のものから実質的に受信しないように、他の内部結合光学要素７００、７１０、７２０から分離されてもよい（例えば、側方に離間される）。
【０１０３】
各導波管はまた、関連付けられた光分散要素を含み、例えば、光分散要素７３０は、導波管６７０の主要表面（例えば、上部主要表面）上に配置され、光分散要素７４０は、導波管６８０の主要表面（例えば、上部主要表面）上に配置され、光分散要素７５０は、導波管６９０の主要表面（例えば、上部主要表面）上に配置される。いくつかの他の実施形態では、光分散要素７３０、７４０、７５０は、それぞれ、関連付けられた導波管６７０、６８０、６９０の底部主要表面上に配置されてもよい。いくつかの他の実施形態では、光分散要素７３０、７４０、７５０は、それぞれ、関連付けられた導波管６７０、６８０、６９０の上部主要表面上および底部主要表面上の両方に配置されてもよい、または光分散要素７３０、７４０、７５０は、それぞれ、異なる関連付けられた導波管６７０、６８０、６９０内の上部主要表面および底部主要表面の異なるもの上に配置されてもよい。
【０１０４】
導波管６７０、６８０、６９０は、例えば、材料のガス、液体、および／または固体層によって離間および分離されてもよい。例えば、図示されるように、層７６０ａは、導波管６７０および６８０を分離してもよく、層７６０ｂは、導波管６８０および６９０を分離してもよい。いくつかの実施形態では、層７６０ａおよび７６０ｂは、低屈折率材料（すなわち、導波管６７０、６８０、６９０の直近のものを形成する材料より低い屈折率を有する材料）から形成される。好ましくは、層７６０ａ、７６０ｂを形成する材料の屈折率は、導波管６７０、６８０、６９０を形成する材料の屈折率に対して０．０５またはそれを上回る、または０．１０またはそれを下回る。有利には、より低い屈折率層７６０ａ、７６０ｂは、導波管６７０、６８０、６９０を通して光の全内部反射（ＴＩＲ）（例えば、各導波管の上部主要表面および底部主要表面の間のＴＩＲ）を促進する、クラッディング層として機能してもよい。いくつかの実施形態では、層７６０ａ、７６０ｂは、空気から形成される。図示されないが、導波管の図示されるセット６６０の上部および底部は、直近クラッディング層を含んでもよいことを理解されたい。
【０１０５】
好ましくは、製造および他の考慮点を容易にするために、導波管６７０、６８０、６９０を形成する材料は、類似または同一であって、層７６０ａ、７６０ｂを形成する材料は、類似または同一である。いくつかの実施形態では、導波管６７０、６８０、６９０を形成する材料は、１つ以上の導波管間で異なってもよい、および／または層７６０ａ、７６０ｂを形成する材料は、依然として、前述の種々の屈折率関係を保持しながら、異なってもよい。
【０１０６】
図９Ａを継続して参照すると、光線７７０、７８０、７９０が、導波管のセット６６０に入射する。光線７７０、７８０、７９０は、１つ以上の画像投入デバイス３６０、３７０、３８０、３９０、４００（図６）によって導波管６７０、６８０、６９０の中に投入されてもよいことを理解されたい。
【０１０７】
いくつかの実施形態では、光線７７０、７８０、７９０は、異なる色に対応し得る、異なる性質、例えば、異なる波長または異なる波長範囲を有する。内部結合光学要素７００、７１０、７２０はそれぞれ、光が、ＴＩＲによって、導波管６７０、６８０、６９０のうちの個別の１つを通して伝搬するように、入射光を偏向させる。いくつかの実施形態では、内部結合光学要素７００、７１０、７２０はそれぞれ、他の波長を下層導波管および関連付けられた内部結合光学要素に透過させながら、１つ以上の特定の光の波長を選択的に偏向させる。
【０１０８】
例えば、内部結合光学要素７００は、それぞれ、異なる第２および第３の波長または波長範囲を有する、光線７８０および７９０を透過させながら、第１の波長または波長範囲を有する、光線７７０を選択的に偏向させるように構成されてもよい。透過された光線７８０は、第２の波長または波長範囲の光を偏向させるように構成される、内部結合光学要素７１０に衝突し、それによって偏向される。光線７９０は、第３の波長または波長範囲の光を選択的に偏向させるように構成される、内部結合光学要素７２０によって偏向される。
【０１０９】
図９Ａを継続して参照すると、偏向された光線７７０、７８０、７９０は、対応する導波管６７０、６８０、６９０を通して伝搬するように偏向される。すなわち、各導波管の内部結合光学要素７００、７１０、７２０は、光をその対応する導波管６７０、６８０、６９０の中に偏向させ、光を対応する導波管の中に内部結合する。光線７７０、７８０、７９０は、光をＴＩＲによって個別の導波管６７０、６８０、６９０を通して伝搬させる角度で偏向される。光線７７０、７８０、７９０は、導波管の対応する光分散要素７３０、７４０、７５０に衝突するまで、ＴＩＲによって個別の導波管６７０、６８０、６９０を通して伝搬する。
【０１１０】
ここで図９Ｂを参照すると、図９Ａの複数のスタックされた導波管の実施例の斜視図が、図示される。前述のように、内部結合された光線７７０、７８０、７９０は、それぞれ、内部結合光学要素７００、７１０、７２０によって偏向され、次いで、それぞれ、導波管６７０、６８０、６９０内でＴＩＲによって伝搬する。光線７７０、７８０、７９０は、次いで、それぞれ、光分散要素７３０、７４０、７５０に衝突する。光分散要素７３０、７４０、７５０は、それぞれ、外部結合光学要素８００、８１０、８２０に向かって伝搬するように、光線７７０、７８０、７９０を偏向させる。
【０１１１】
いくつかの実施形態では、光分散要素７３０、７４０、７５０は、直交瞳エクスパンダ（ＯＰＥ）である。いくつかの実施形態では、ＯＰＥは、光を外部結合光学要素８００、８１０、８２０に偏向または分散し、いくつかの実施形態では、また、外部結合光学要素に伝搬するにつれて、本光のビームまたはスポットサイズを増加させ得る。いくつかの実施形態では、光分散要素７３０、７４０、７５０は、省略されてもよく、内部結合光学要素７００、７１０、７２０は、光を直接外部結合光学要素８００、８１０、８２０に偏向させるように構成されてもよい。例えば、図９Ａを参照すると、光分散要素７３０、７４０、７５０は、それぞれ、外部結合光学要素８００、８１０、８２０と置換されてもよい。いくつかの実施形態では、外部結合光学要素８００、８１０、８２０は、光を眼２１０（図７）に指向させる、射出瞳（ＥＰ）または射出瞳エクスパンダ（ＥＰＥ）である。ＯＰＥは、少なくとも１つの軸においてアイボックスの寸法を増加させるように構成されてもよく、ＥＰＥは、ＯＰＥの軸と交差する、例えば、直交する軸においてアイボックスを増加させてもよいことを理解されたい。例えば、各ＯＰＥは、光の残りの部分が導波管を辿って伝搬し続けることを可能にしながら、ＯＰＥに衝打する光の一部を同一導波管のＥＰＥに再指向するように構成されてもよい。ＯＰＥへの衝突に応じて、再び、残りの光の別の部分は、ＥＰＥに再指向され、その部分の残りの部分は、導波管等を辿ってさらに伝搬し続ける。同様に、ＥＰＥへの衝打に応じて、衝突光の一部は、導波管からユーザに向かって指向され、その光の残りの部分は、ＥＰに再び衝打するまで、導波管を通して伝搬し続け、その時点で、衝突する光の別の部分は、導波管から指向される等となる。その結果、内部結合された光の単一ビームは、その光の一部がＯＰＥまたはＥＰＥによって再指向される度に、「複製」され、それによって、図６に示されるように、クローン化された光のビーム野を形成し得る。いくつかの実施形態では、ＯＰＥおよび／またはＥＰＥは、光のビームのサイズを修正するように構成されてもよい。
【０１１２】
故に、図９Ａおよび９Ｂを参照すると、いくつかの実施形態では、導波管のセット６６０は、原色毎に、導波管６７０、６８０、６９０と、内部結合光学要素７００、７１０、７２０と、光分散要素（例えば、ＯＰＥ）７３０、７４０、７５０と、外部結合光学要素（例えば、ＥＰ）８００、８１０、８２０とを含む。導波管６７０、６８０、６９０は、各１つの間に空隙／クラッディング層を伴ってスタックされてもよい。内部結合光学要素７００、７１０、７２０は、（異なる波長の光を受信する異なる内部結合光学要素を用いて）入射光をその導波管の中に再指向または偏向させる。光は、次いで、個別の導波管６７０、６８０、６９０内にＴＩＲをもたらすであろう角度で伝搬する。示される実施例では、光線７７０（例えば、青色光）は、前述の様式において、第１の内部結合光学要素７００によって偏光され、次いで、導波管を辿ってバウンスし続け、光分散要素（例えば、ＯＰＥ）７３０、次いで、外部結合光学要素（例えば、ＥＰ）８００と相互作用する。光線７８０および７９０（例えば、それぞれ、緑色および赤色光）は、導波管６７０を通して通過し、光線７８０は、内部結合光学要素７１０上に衝突し、それによって偏向される。光線７８０は、次いで、ＴＩＲを介して、導波管６８０を辿ってバウンスし、その光分散要素（例えば、ＯＰＥ）７４０、次いで、外部結合光学要素（例えば、ＥＰ）８１０に進むであろう。最後に、光線７９０（例えば、赤色光）は、導波管６９０を通して通過し、導波管６９０の光内部結合光学要素７２０に衝突する。光内部結合光学要素７２０は、光線が、ＴＩＲによって、光分散要素（例えば、ＯＰＥ）７５０、次いで、ＴＩＲによって、外部結合光学要素（例えば、ＥＰ）８２０に伝搬するように、光線７９０を偏向させる。外部結合光学要素８２０は、次いで、最後に、光線７９０を視認者に外部結合し、視認者はまた、他の導波管６７０、６８０からの外部結合した光も受け取る。
【０１１３】
図９Ｃは、図９Ａおよび９Ｂの複数のスタックされた導波管の実施例の上下平面図を図示する。図示されるように、導波管６７０、６８０、６９０は、各導波管の関連付けられた光分散要素７３０、７４０、７５０および関連付けられた外部結合光学要素８００、８１０、８２０とともに、垂直に整合されてもよい。しかしながら、本明細書に議論されるように、内部結合光学要素７００、７１０、７２０は、垂直に整合されない。むしろ、内部結合光学要素は、好ましくは、非重複する（例えば、上下図に見られるように、側方に離間される）。本明細書でさらに議論されるように、本非重複空間配列は、１対１ベースで異なるリソースから異なる導波管の中への光の投入を促進し、それによって、具体的光源が具体的導波管に一意に結合されることを可能にする。いくつかの実施形態では、非重複の空間的に分離される内部結合光学要素を含む、配列は、偏移瞳システムと称され得、これらの配列内の内部結合光学要素は、サブ瞳に対応し得る。
【０１１４】
図９Ｄは、本明細書に開示される種々の導波管および関連システムが統合され得る、ウェアラブルディスプレイシステム６０の実施例を図示する。いくつかの実施形態では、ディスプレイシステム６０は、図６のシステム２５０であって、図６は、そのシステム６０のいくつかの部分をより詳細に図式的に示す。例えば、図６の導波管アセンブリ２６０は、ディスプレイ７０の一部であってもよい。
【０１１５】
図９Ｄを継続して参照すると、ディスプレイシステム６０は、ディスプレイ７０と、そのディスプレイ７０の機能をサポートするための種々の機械的および電子的モジュールおよびシステムとを含む。ディスプレイ７０は、フレーム８０に結合されてもよく、これは、ディスプレイシステムユーザまたは視認者９０によって装着可能であって、ディスプレイ７０をユーザ９０の眼の正面に位置付けるように構成される。ディスプレイ７０は、いくつかの実施形態では、接眼レンズと見なされ得る。いくつかの実施形態では、スピーカ１００が、フレーム８０に結合され、ユーザ９０の外耳道に隣接して位置付けられるように構成される（いくつかの実施形態では、示されない別のスピーカも、随意に、ユーザの他方の外耳道に隣接して位置付けられ、ステレオ／成形可能音制御を提供してもよい）。ディスプレイシステム６０はまた、１つ以上のマイクロホン１１０または他のデバイスを含み、音を検出してもよい。いくつかの実施形態では、マイクロホンは、ユーザが入力またはコマンドをシステム６０に提供することを可能にするように構成され（例えば、音声メニューコマンドの選択、自然言語質問等）、および／または他の人物（例えば、類似ディスプレイシステムの他のユーザ）とのオーディオ通信を可能にしてもよい。マイクロホンはさらに、周辺センサとして構成され、オーディオデータ（例えば、ユーザおよび／または環境からの音）を収集してもよい。いくつかの実施形態では、ディスプレイシステム６０はさらに、ユーザの周囲の世界のオブジェクト、刺激、人々、動物、場所、または他の側面を検出するように構成される、１つ以上の外向きに指向される環境センサ１１２を含んでもよい。例えば、環境センサ１１２は、例えば、ユーザ９０の通常の視野の少なくとも一部に類似する画像を捕捉するように、外向きに向いて位置し得る、１つ以上のカメラを含んでもよい。いくつかの実施形態では、ディスプレイシステムはまた、周辺センサ１２０ａを含んでもよく、これは、フレーム８０と別個であって、ユーザ９０の身体（例えば、ユーザ９０の頭部、胴体、四肢等）上に取り付けられてもよい。周辺センサ１２０ａは、いくつかの実施形態では、ユーザ９０の生理学的状態を特徴付けるデータを入手するように構成されてもよい。例えば、センサ１２０ａは、電極であってもよい。
【０１１６】
図９Ｄを継続して参照すると、ディスプレイ７０は、有線導線または無線コネクティビティ等の通信リンク１３０によって、ローカルデータ処理モジュール１４０に動作可能に結合され、これは、フレーム８０に固定して取り付けられる、ユーザによって装着されるヘルメットまたは帽子に固定して取り付けられる、ヘッドホン内に埋設される、または別様にユーザ９０に除去可能に取り付けられる（例えば、リュック式構成において、ベルト結合式構成において）等、種々の構成で搭載されてもよい。同様に、センサ１２０ａは、通信リンク１２０ｂ、例えば、有線導線または無線コネクティビティによって、ローカルプロセッサおよびデータモジュール１４０に動作可能に結合されてもよい。ローカル処理およびデータモジュール１４０は、ハードウェアプロセッサおよび不揮発性メモリ（例えば、フラッシュメモリまたはハードディスクドライブ）等のデジタルメモリを備えてもよく、両方とも、データの処理、キャッシュ、および記憶を補助するために利用されてもよい。随意に、ローカル処理およびデータモジュール１４０は、１つ以上の中央処理ユニット（ＣＰＵ）、グラフィック処理ユニット（ＧＰＵ）、専用処理ハードウェア等を含んでもよい。データは、ａ）センサ（画像捕捉デバイス（カメラ等）、マイクロホン、慣性測定ユニット、加速度計、コンパス、ＧＰＳユニット、無線デバイス、ジャイロスコープ、および／または本明細書に開示される他のセンサ（例えば、フレーム８０に動作可能に結合される、または別様にユーザ９０に取り付けられ得る））から捕捉されたデータ、および／またはｂ）可能性として処理または読出後にディスプレイ７０への通過のための遠隔処理モジュール１５０および／または遠隔データリポジトリ１６０（仮想コンテンツに関連するデータを含む）を使用して取得および／または処理されたデータを含んでもよい。ローカル処理およびデータモジュール１４０は、これらの遠隔モジュール１５０、１６０が相互に動作可能に結合され、ローカル処理およびデータモジュール１４０に対するリソースとして利用可能であるように、有線または無線通信リンクを介して等、通信リンク１７０、１８０によって、遠隔処理モジュール１５０および遠隔データリポジトリ１６０に動作可能に結合されてもよい。いくつかの実施形態では、ローカル処理およびデータモジュール１４０は、画像捕捉デバイス、マイクロホン、慣性測定ユニット、加速度計、コンパス、ＧＰＳユニット、無線デバイス、および／またはジャイロスコープのうちの１つ以上のものを含んでもよい。いくつかの他の実施形態では、これらのセンサのうちの１つまたはそれを上回るものは、フレーム８０に取り付けられてもよい、または有線または無線通信経路によってローカル処理およびデータモジュール１４０と通信する、独立構造であってもよい。
【０１１７】
図９Ｄを継続して参照すると、いくつかの実施形態では、遠隔処理モジュール１５０は、データおよび／または画像情報を分析および処理するように構成される、１つ以上のプロセッサを備えてもよく、例えば、１つ以上の中央処理ユニット（ＣＰＵ）、グラフィック処理ユニット（ＧＰＵ）、専用処理ハードウェア等を含んでもよい。いくつかの実施形態では、遠隔データリポジトリ１６０は、インターネットまたは「クラウド」リソース構成における他のネットワーキング構成を通して利用可能であり得る、デジタルデータ記憶設備を備えてもよい。いくつかの実施形態では、遠隔データリポジトリ１６０は、１つ以上の遠隔サーバを含んでもよく、これは、情報、例えば、拡張現実コンテンツをローカル処理およびデータモジュール１４０および／または遠隔処理モジュール１５０に生成するための情報を提供する。いくつかの実施形態では、全てのデータが、記憶され、全ての計算は、ローカル処理およびデータモジュール内で行われ、遠隔モジュールからの完全に自律的使用を可能にする。随意に、ＣＰＵ、ＧＰＵ等を含む、外部システム（例えば、１つ以上のプロセッサ、１つ以上のコンピュータのシステム）が、処理（例えば、画像情報を生成する、データを処理する）の少なくとも一部を実施し、例えば、無線または有線接続を介して、情報をモジュール１４０、１５０、１６０に提供し、情報をそこから受信してもよい。
【０１１８】
図１０は、偏光ビームスプリッタ（ＰＢＳ）１０２０を利用して、空間光変調器（ＳＬＭ）１０３０を照明し、ＳＬＭ１０３０からの光を投影光学系１０４０を通して接眼レンズ（図示せず）に再指向する、プロジェクタアセンブリ１０００を図示する、概略図である。プロジェクタアセンブリ１０００は、照明源１０１０を含み、これは、例えば、発光ダイオード（ＬＥＤ）、レーザ（例えば、レーザダイオード）、または他のタイプの光源を含むことができる。本光は、コリメート光学系によってコリメートされてもよい。照明源１０１０は、偏光された、非偏光された、または部分的に偏光された光を放出することができる。図示される設計では、照明源１０１０は、ｐ−偏光を有するように偏光された光１０１２を放出してもよい。第１の光学要素１０１５（例えば、前置偏光器）は、第１の偏光（例えば、ｐ−偏光）を伴う光を通過させるように整合される。
【０１１９】
本光は、偏光ビームスプリッタ１０２０に指向される。最初に、光は、第１の偏光（例えば、ｐ−偏光）の光を透過させるように構成される、ＰＢＳ１０２０の界面１０２２（例えば、偏光界面）を通して通過する。故に、光は、継続し、空間光変調器１０３０上に入射する。図示されるように、ＳＬＭ１０３０は、入射する光を再帰反射させ、光を選択的に変調させるように構成される、反射型ＳＬＭである。ＳＬＭ１０３０は、例えば、異なる状態を有し得る、１つ以上のピクセルを含む。個別のピクセル上に入射する光は、ピクセルの状態に基づいて変調され得る。故に、ＳＬＭ１０３０は、画像を提供するように、光を変調させるように駆動されることができる。本実施例では、ＳＬＭ１０３０は、その上に入射する光の偏光を変調させる、偏光ベースのＳＬＭであってもよい。例えば、オン状態では、ＳＬＭ１０３０のピクセルは、明状態（例えば、白色ピクセル）が示されるように、入力光を第１の偏光状態（例えば、ｐ−偏光状態）から第２の偏光状態（例えば、ｓ−偏光状態）に変化させる。第２の偏光状態は、９０°変調（例えば、回転）される、第１の偏光状態であってもよい。オン状態では、第２の偏光状態を有する光は、界面１０２２によって反射され、プロジェクタ光学１０４０の下流に伝搬する。オフ状態では、ＳＬＭ１０３０は、その上に入射する光の偏光状態を変化させず、例えば、第１の偏光状態からの入力光を回転させず、したがって、暗状態（例えば、黒色ピクセル）が示される。オフ状態では、第１の偏光状態を有する光は、界面１０２２を通して透過され、ユーザの眼にではなく、照明源１０１０に戻るように上流に伝搬する。
【０１２０】
ＳＬＭ１０３０から反射後、光１０１４（例えば、変調された光）の一部は、界面１０２２から反射され、ＰＢＳ１０２０から出射し、ユーザの眼に指向される。放出される光は、プロジェクタ光学１０４０を通して通過し、接眼レンズ（図示せず）の内部結合格子（ＩＣＧ）１０５０上に結像される。
【０１２１】
図１１Ａは、図１０に示されるものの代替構成を有する、画像をユーザの眼２１０に提示するため、かつ世界５１０を視認するためのシステム（例えば、拡張現実ディスプレイシステム）１１００Ａを図示する。システム１１００は、光源１１１０と、空間光変調器（ＳＬＭ）１１４０と、光源１１１０からの光が、ＳＬＭ１１４０を照明し、ＳＬＭ１１４０から反射された光が、眼２１０に指向されるように、導波管１１２０の中に結合されるように配列される、導波管１１２０とを含む。システム１１００Ａは、ＳＬＭ１１４０を照明することと、ＳＬＭ１１４０の画像を投影することとの両方を行うように配置される、光学系１１３０を含む。光源１１１０からの光は、例えば、第１の方向に、光学系１１３０を通して、ＳＬＭ１１４０上へと伝搬し、それによって、ＳＬＭ１１４０を照明する。ＳＬＭ１１４０から反射された光は、再び、光学系１１３０を通して、第１の方向と反対の第２の方向に、伝搬し、導波管１１２０に指向され、その中で結合される。
【０１２２】
光源１１１０は、発光ダイオード（ＬＥＤ）、レーザ（例えば、レーザダイオード）、または他のタイプの光源を含んでもよい。光源１１１０は、偏光源であってもよいが、しかしながら、光源１１１０は、そのように限定される必要はない。いくつかの実装では、偏光器１１１５は、光源１１１０とＳＬＭ１１４０との間に位置付けられてもよい。図示されるように、偏光器１１１５は、光源１１１０と導波管１１２０との間にある。本偏光器１１１５はまた、第１の偏光の光を透過させ、第２の偏光の光を光源１１１０に戻るように反射させる、光リサイクラであってもよい。そのような偏光器１１１５は、例えば、ワイヤグリッド偏光器であってもよい。非結像光学要素（例えば、コーン、複合放物面集光器（ＣＰＣ、レンズ））等の結合光学系１１０５が、光源１１１０に対して配置され、光源１１１０から出力された光を受け取ってもよい。結合光学系１１０５は、光源１１１０からの光を集光してもよく、ある場合には、光源１１１０から放出される光の発散を低減させてもよい。結合光学系１１０５は、例えば、光源１１１０から出力された光をコリメートしてもよい。結合光学系１１０５は、システム１１００Ａの角度スペクトル視野に合致する、光を集光してもよい。故に、結合光学系１１０５は、光源１１１０によって出力された光の角度スペクトルとシステム１１００Ａの視野を合致させ得る。結合光学系１１０５は、非対称プロファイルを有し、光源１１１０から放出される光に非対称的に作用してもよい。例えば、結合光学系１１０５は、直交方向（例えば、ｘおよびｚ方向）における発散を異なる量で低減させ得る。結合光学系１１０５におけるそのような非対称性は、光源１１１０から放出される光内の非対称性に対処し得、これは、例えば、直交方向（例えば、それぞれ、ｚまたはｘ）とは対照的に、１つの方向（例えば、ｘまたはｚ）において、より広範囲の角度の光を放出する、レーザダイオードを含んでもよい。
【０１２３】
上記に議論されるように、システム１１００Ａは、光源１１１０とＳＬＭ１１４０との間の光学経路内に配置される、ＳＬＭ１１４０を照明するように構成される、光学系１１３０を含む。光学系１１３０は、光源１１１０からの光をＳＬＭ１１４０に透過させる、透過性光学系を含んでもよい。光学系１１３０はまた、ＳＬＭ１１４０の画像を投影するように構成される、またはＳＬＭ１１４０によって導波管１１２０の中に形成されてもよい。画像は、眼２１０の眼の中に投影されてもよい。いくつかの設計では、光学系１１３０は、屈折力を有する、１つ以上のレンズまたは光学要素を含んでもよい。光学系１１３０は、例えば、正の屈折力を有してもよい。光学系１１３０は、屈折レンズ等の１つ以上の屈折光学要素を含んでもよい。他のタイプの光学要素もまた、可能性として、使用されてもよい。
【０１２４】
ＳＬＭ１１４０は、反射性であって、光を変調し、そこから反射させてもよい。ＳＬＭ１１４０は、偏光を変調させるように構成される、偏光ベースのＳＬＭであってもよい。ＳＬＭ１１４０は、例えば、液晶（ＬＣ）ＳＬＭ（例えば、シリコン上液晶（ＬＣＯＳ）ＳＬＭ）を含んでもよい。ＬＣ  ＳＬＭは、例えば、捻転ネマチック（ＴＮ）液晶を含んでもよい。ＳＬＭ１１４０は、図１０に参照されるＳＬＭ１０３０に実質的に類似してもよい。ＳＬＭ１１４０は、例えば、ピクセルの状態に応じて、ピクセル上に入射する光を選択的に変調させるように構成される、１つ以上のピクセルを含んでもよい。いくつかのタイプのＳＬＭ１１４０に関して、ピクセルは、例えば、偏光を回転させる（例えば、線形偏光の配向を回転させる）等、偏光状態を改変することによって、その上に入射するビームを変調させてもよい。
【０１２５】
上記に議論されるように、ＳＬＭ１１４０は、ＬＣＯＳ  ＳＬＭ１１４０であってもよい。交差偏光器構成では、ＬＣＯＳ  ＳＬＭ１１４０は、公称上、白色であってもよい。ピクセルが、オフ（例えば、０電圧）であるとき、明状態を有し、ピクセルが、オン（例えば、閾値オン電圧を上回る電圧）であるとき、暗状態を有する。本交差偏光構成では、漏出は、ピクセルが、オンであって、暗状態を有するとき、最小限にされる。
【０１２６】
平行偏光器構成では、ＬＣＯＳ  ＳＬＭ１１４０は、公称上、黒色である。ピクセルが、オフ（例えば、０電圧）であるとき、暗状態を有し、ピクセルが、オン（例えば、閾値オン電圧を上回る電圧）であるとき、明状態を有する。本平行偏光器構成では、漏出は、ピクセルが、オフであって、暗状態を有するとき、最小限にされる。暗状態は、擦過方向および補償器角度を使用して、（再）最適化されてもよい。補償器角度は、例えば、図２０Ｂに図示されるように、光学系１１３０とＳＬＭ１１４０との間であり得る、補償器の角度を指し得る。
【０１２７】
平行偏光器構成のためのダイナミックレンジおよびスループットは、交差偏光器構成のものと異なり得る。さらに、平行偏光器構成は、クロス偏光器構成と異なるようにコントラストのために最適化されてもよい。
【０１２８】
システム１１００Ａは、画像情報を眼２１０に出力するための導波管１１２０を含む。導波管１１２０は、上記に議論される導波管２７０、２８０、２９０、３００、３１０、６７０、６８０、および６９０に実質的に類似してもよい。導波管１１２０は、光をその中で誘導するために十分な屈折率を有する、実質的に透明材料を含んでもよい。図示されるように、導波管１１２０は、第１の側１１２１と、第１の側１１２１と反対の第２の側１１２３と、対応する上側主要表面および下側主要表面と、その周囲の縁とを含んでもよい。第１および第２の主要表面１１２１、１１２３は、画像情報が、ＳＬＭ１１４０によって形成される画像が眼の中に投入され得るように、ＳＬＭ１１４０からの光を眼２１０に伝搬することに応じて、留保され得るように、十分に平坦であってもよい。光学系１１３０およびＳＬＭ１１４０は、導波管１１２０の第１の側１１２１上に位置付けられてもよい。光源１１１０は、光源１１１０からの光が、導波管１１２０を通して、かつ光学系１１３０を通して、ＳＬＭ１１４０に通過することに先立って、第２の側１１２３上に入射するように、第２の側１１２３上に配置されてもよい。故に、導波管１１２０は、光源１１１０と光学系１１３０との間に配置されてもよい。加えて、導波管１１２０の少なくとも一部は、光源１１１０と光学系１１３０との間に延在し、それによって、光を導波管１１２０の一部を通して光学系１１３０に通過させてもよい。光源１１１０から放出される光は、したがって、導波管１１２０を通して、光学系１１３０の中におよびそれを通して指向され、ＳＬＭ１１４０上に入射し得る。ＳＬＭ１１４０は、光を、光学系１１３０を通して、導波管１１２０に戻るように反射させる。
【０１２９】
システム１１００Ａはまた、光学系１１３０からの光を導波管１１２０の中に結合するための内部結合光学要素１１６０を含む。内部結合光学要素１１６０は、導波管１１２０の主要表面（例えば、上側主要表面１１２３）上に配置されてもよい。いくつかの設計では、内部結合光学要素１１６０は、導波管１１２０の下側主要表面１１２１上に配置されてもよい。いくつかの設計では、内部結合光学要素１１６０は、導波管１１２０の本体内に配置されてもよい。導波管１１２０の片側または角上に図示されるが、内部結合光学要素１１６０は、導波管１１２０の他のエリア内／上に配置されてもよい。内部結合光学要素１１６０は、図９Ａ、９Ｂ、および９Ｃを参照して上記に説明される内部結合光学要素７００、７１０、７２０に実質的に類似してもよい。内部結合光学要素１１６０は、回折光学要素または反射体であってもよい。他の構造も、内部結合光学要素１１６０として使用されてもよい。内部結合光学要素１１６０は、全内部反射によってその中で誘導されるように、導波管１１２０の上側主要表面および下側主要表面１１２３、１１２１に対して十分に大きい視射角（例えば、臨界角を上回る）においてその上に入射する光を導波管１１２０の中に指向するように構成されてもよい。さらに、内部結合光学要素１１６０は、広範囲の波長に作用し、したがって、複数の色の光を導波管１１２０の中に結合するように構成されてもよい。例えば、内部結合光学要素１１６０は、赤色光、緑色光、および青色光を導波管１１２０の中に結合するように構成されてもよい。光源１１１０は、赤色、緑色、および青色光を異なる時間に放出してもよい。
【０１３０】
システム１１００Ａは、導波管１１２０上または内に配置される、光分散要素１１７０を含む。光分散要素１１７０は、図９Ｂに関して上記に説明される光分散要素７３０、７４０、および７５０に実質的に類似してもよい。例えば、光分散要素１１７０は、直交瞳エクスパンダ（ＯＰＥ）であってもよい。光分散要素１１７０は、ｘ方向に伝搬する光を、例えば、図１１Ｂの上面図に図示されるｚ方向に向かって、方向転換させることによって、光を導波管１１２０内で拡散させるように構成されてもよい。光分散要素１１７０は、したがって、アイボックスの寸法をｚ−軸に沿って増加させるように構成されてもよい（図１１Ｂ参照）。光分散要素１１７０は、回折光学要素に入射する導波管１１２０内を伝搬する光を、例えば、その光を、例えば、略直交方向に再指向するように、回折するように構成される、１つ以上の回折光学要素を含んでもよい。他の構成も、可能性として考えられる。
【０１３１】
図１１Ｂに示されるように、システム１１００Ａはまた、光を導波管１１２０から外へと眼２１０に結合するための外部結合光学要素１１８０を含んでもよい。外部結合光学要素１１８０は、光が導波管１１２０内で誘導されないように、導波管１１２０の上側主要表面および／または下側主要表面１１２３、１１２１に対してより直角に近い角度で、全内部反射（ＴＩＲ）によって、導波管１１２０内を伝搬する光を再指向するように構成されてもよい。代わりに、本光は、例えば、下側主要表面１１２１を通して、導波管１１２０から外に指向される。外部結合光学要素１１８０は、例えば、回折光学要素に入射する導波管１１２０内を伝搬する光を、その光を例えば導波管１１２０から外に再指向するように、回折するように構成される、１つ以上の回折光学要素を含んでもよい。他の構成も、可能性として考えられる。
【０１３２】
図１１Ｂはまた、光分散光学要素（例えば、直交瞳エクスパンダ）１１７０および外部結合光学要素１１８０に対して側方に配置される、内部結合光学要素１１６０の場所を示す。図１１Ｂはまた、内部結合光学要素１１６０、光分散光学要素（例えば、直交瞳エクスパンダ）１１７０、および外部結合光学要素１１８０に対して側方に配置される、光源１１１０の場所を示す。
【０１３３】
動作時、システム１１００Ａの光源１１１０は、光を、結合光学系１１０５の中に、偏光器１１１５を通して放出する。本光は、したがって、偏光される、例えば、第１の方向に線形偏光され得る。本偏光は、導波管１１２０を通して透過され、導波管１１２０の第２の主要表面に入射し、導波管１１２０の第１の主要表面から出射してもよい。本光は、光学系１１３０を通してＳＬＭ１１４０に伝搬してもよい。光学系１１３０は、光源１１１０からの光を準コリメートおよび／または選択し、それによって、ピクセルの状態に応じて、ピクセル毎に、変調器の配向を選択的に回転させること等によって、その上に入射する光の偏光を変調させる、偏光ベースの変調器を含み得る、ＳＬＭ１１４０を照明する。例えば、第１のピクセルは、第１の状態にあって、偏光を回転させてもよい一方、第２のピクセルは、第２の状態にあって、偏光を回転させなくてもよい。結合光学系１１０５と光学系１１３０との間の光は、ＳＬＭ１１４０を非常に均一に照明し得る。ＳＬＭ１１４０上に入射後、光は、光学系１１３０を通して、戻るように反射される。光学系１１３０は、ＳＬＭ１１４０からの画像を導波管１１２０の中に、最終的には、画像が眼２１０に可視であるように、眼２１０の中に投影するように構成されてもよい。いくつかの設計では、眼２１０の網膜は、ＳＬＭ１１４０および／またはＳＬＭ１１４０によって形成された画像および／またはＳＬＭ１１４０上に形成された画像に対する光学共役である。光学系１１３０の屈折力は、眼２１０の中および眼２１０の網膜上へのＳＬＭ１１４０上の画像の投影を促進し得る。いくつかの実装では、例えば、外部結合光学要素１１８０によって提供される、屈折力は、眼２１０内に最終的に形成される画像を補助し、および／またはそれに影響を及ぼし得る。光学系１１３０は、ＳＬＭ１１４０から反射された光が、光学系を通して、導波管１１２０に向かって進行するにつれて、投影レンズとして作用する。光学系は、概ね、内部結合光学要素１１６０の近傍の導波管１１２０内の平面に対するＳＬＭ１１４０上の画像のフーリエ変換として機能し得る。ともに、光学系１１３０を通した両通過（光源１１１０からＳＬＭ１１４０への第１の通過と、ＳＬＭ１１４０から導波管１１２０への第２の通過）は、概ね、結合光学系１１０５の瞳を結像するように作用し得る。光源１１１０（可能性として、また、結合光学系１１０５および／または偏光器１１１５）、光学系１１３０、ＳＬＭ１１４０の整合および配向は、ＳＬＭ１１４０から反射された光源１１１０からの光が、内部結合光学要素１１６０上に指向されるようになる。結合光学系１１０５と関連付けられた瞳は、内部結合光学要素１１６０と整合されてもよい。光は、ＳＬＭ１１４０と眼２１０との間の光学経路内の分析器１１５０（例えば、偏光器）を通して通過してもよい。図１１Ａに描写されるように、分析器（例えば、偏光器）１１５０が、光学系１１３０と内部結合光学要素１１６０との間の光学経路内に配置されてもよい。分析器１１５０は、例えば、第１の偏光（ｐ−偏光）の光を透過させ、第２の偏光（ｓ−偏光）の光を遮断する、またはその逆である、配向を有する、線形偏光器であってもよい。分析器１１５０は、クリーンアップ偏光器であって、ＳＬＭ１１４０と分析器１１５０との間またはＳＬＭ１１４０内の別の偏光器によって遮断される、偏光の光をさらに遮断してもよい。分析器１１５０は、例えば、アイソレータとして作用し、導波管１１２０、具体的には、内部結合光学要素１１６０から、ＳＬＭ１１４０に向かって戻るような反射を軽減させる、円偏光器であってもよい。分析器１１５０は、本明細書に開示される偏光器のいずれかであるような、吸光性ワイヤグリッド偏光器等のワイヤグリッド偏光器を含んでもよい。そのような偏光器は、望ましくない光の相当な吸光、したがって、増加されたコントラストをもたらし得る。いくつかのそのような偏光器は、１つ以上の誘電性層をワイヤおよび／または多層フィルムの上部に含むように作製されることができる。いくつかの実装では、ＳＬＭ１１４０は、シリコン上液晶（ＬＣＯＳ）ＳＬＭであってもよく、ＬＣセルおよびリターダ（例えば、補償器）を含んでもよい。いくつかの実装では、分析器１１５０は、異なる入射角および異なる波長のためにＳＬＭ１１４０の（例えば、９０°の）より一貫した偏光回転を提供するように意図される、補償器であってもよい。補償器は、様々な角度および波長を横断して入射する光線のための回転偏光を改良することによって、ディスプレイのコントラストを改良するために使用されてもよい。ＳＬＭ１１４０は、例えば、光が分析器１１５０を通して通過するにつれて、第１のピクセルのために、第１の偏光（例えば、ｓ−偏光）の入射光を第２の偏光（例えば、ｐ−偏光）に回転させ、明るいピクセル状態を生産するように構成される、ＴＮ  ＬＣＯＳを含んでもよい。逆に言えば、ＳＬＭ１１４０は、光が分析器１１５０によって減衰または遮断されるにつれて、反射された光が第１の偏光のままであって、暗いピクセル状態を生産するように、第２のピクセルのために、第１の偏光（例えば、ｓ−偏光）の入射光を第２の偏光（例えば、ｐ−偏光）に回転させないように構成されてもよい。そのような構成では、光学経路に沿って光源１１１０により近い偏光器１１１５は、光学経路に沿って光源１１１０からより遠い分析器１１５０に対して異なる（例えば、直交する）ように配向されてもよい。他の、例えば、反対の構成も、可能性として考えられる。
【０１３４】
光は、次いで、ＴＩＲによって伝搬する、導波管１１２０内で誘導されるように、内部結合光学要素１１６０によって、偏向される、例えば、方向転換される。光は、次いで、光分散要素１１７０上に衝突し、光を別の方向に（例えば、よりｚ方向に向かって）方向転換させ、図１１Ｂに示されるように、ｚ−軸の方向に沿ってアイボックスの寸法の増加を生じさせる。光は、したがって、外部結合光学要素１１８０に向かって偏向され、これは、光を導波管１１２０から外へと眼２１０（例えば、示されるように、ユーザの眼）に向かって指向させる。外部結合光学要素１１８０の異なる部分によってｚ方向に沿って外部結合されている光は、図１１Ｂに定義されるように、少なくともｚ−軸と平行方向に沿って、アイボックスの寸法の増加を生じさせる。着目すべきこととして、本構成では、光学系１１３０は、ＳＬＭ１１４０を照明することと、画像を内部結合光学要素１１６０上に投影させることとの両方のために使用される。故に、光学系１１３０は、光源１１１０からの光を（例えば、均一に）分散させる、投影光学系と、ＳＬＭ１１４０の画像および／またはＳＬＭ１１４０によって形成される画像を眼の中に提供する、結像光学系として作用し得る。図１１Ａ／Ｂにおけるシステム１１００Ａは、いくつかのインスタンスでは、図１０におけるシステム１０００よりコンパクトであってもよい。ある場合には、図１０に示されるＰＢＳ１０２０を採用しないことは、可能性として、本システムのコストおよび／またはサイズを低減させ得る。加えて、ＰＢＳ１０２０を用いないことで、本システムは、光学系１１３０の背面焦点距離を短縮することによって、より対称性となり、設計がより容易となり得る。
【０１３５】
上記に参照されるように、代替構成も、可能性として考えられる。図１１Ｃを参照すると、例えば、いくつかの設計では、システム１１００Ｃは、ＳＬＭ１１４０によって回転されない偏光を有する光を通過させるように構成されてもよい。一実装では、例えば、ＳＬＭ１１４０は、液晶（ＬＣ）ベースのＳＬＭであって、垂直に整合された（ＶＡ）シリコン上ＬＣ（ＬＣｏＳ）を含んでもよい。ＳＬＭ１１４０は、偏光を回転させない第１の状態にある、第１のピクセルと、偏光を回転させる第２の状態にある、第２のピクセルとを有してもよい。図１１Ｃに図示される構成では、単一共有分析器／偏光器１１５５が、利用される。本分析器１１５５は、第１の偏光（例えば、ｓ−偏光）の光を透過させ、第２の偏光（例えば、ｐ−偏光）の透過を減衰または低減させ得る。故に、偏光配向を回転させない第１の状態における、第１のピクセル上に入射する光（例えば、ｓ−偏光）は、ＳＬＭ１１４０から反射され、分析器１１５５を通して導波管１１２０に通過する。逆に言えば、偏光配向を回転させる第２の状態における、第２のピクセル上に入射する光（例えば、ｓ−偏光）は、ＳＬＭ１１４０から反射され、減衰される、低減される、または分析器１１５５を通して導波管１１２０に通過されない。本構成は、それによって、図１１Ａに示される偏光器１１１５および分析器１１５０が、共有光学要素、すなわち、図１１Ｃに示される分析器１１５５の中に組み込まれることを可能にし、それによって、光学コンポーネントの数を低減させることによって、可能性として、図１１Ａ／Ｂのシステム１１００を簡略化し得る。分析器１１５５は、導波管１１２０と光学系１１３０との間に配置されてもよい。他の実装では、別個の分析器／偏光器および分析器／偏光器は、図１１Ａ／Ｂのシステム１１００に示されるように使用されてもよい。図１１Ａおよび１１Ｂは、光源１１１０と導波管１１２０との間の偏光器１１１５と、光学系１１３０と導波管１１２０との間の分析器１１４０とを図示する。
【０１３６】
様々な他の構成が、ＳＬＭ１１４０の照明およびＳＬＭ１１４０によって形成される画像の結像の両方のために光学系１１３０を利用するように採用されてもよい。例えば、図１１Ａ−１１Ｃは、単一導波管１１２０を示すが、導波管のスタック（可能性として、異なる色の光のための異なる導波管）等の１つ以上の導波管が、使用されてもよい。図１２Ａは、例えば、それぞれ、内部結合光学要素１２６０、１２６２、１２６４を含む、導波管１１２０、１１２２、１１２４を含む、スタック１２０５を含む、例示的システム１２００Ａの断面側面図を図示する。導波管１１２０、１１２２、１１２４はそれぞれ、１つ以上の異なる波長または１つ以上の異なる波長の範囲の光を出力するように構成されてもよい。スタック１２０５は、スタック２６０および６６０（図６および９Ａ）に実質的に類似してもよく、スタック１２０５の図示される導波管１１２０、１１２２、１１２４は、導波管６７０、６８０、６９０の一部に対応してもよいが、しかしながら、スタック１２０５および導波管１１２０、１１２２、１１２４は、そのように限定される必要はない。図１２Ａに図示されるように、内部結合光学要素１２６０、１２６２、１２６４は、例えば、それぞれ、導波管１１２０、１１２２、１１２４と関連付けられ、その中または上に含まれてもよい。内部結合光学要素１２６０、１２６２、１２６４は、色選択的であってもよく、主に、その中で誘導されるように、ある波長を対応する導波管１１２０、１１２２、１１２４の中に迂回または再指向させてもよい。図示されるように、内部結合光学要素１２６０、１２６２、１２６４は、色選択的であるため、内部結合光学要素１２６０、１２６２、１２６４は、側方に変位される必要がなく、相互にわたってスタックされてもよい。波長多重化が、特定の色を対応する導波管の中に結合するために採用されてもよい。例えば、赤色内部結合光学要素は、赤色光を、赤色光を伝搬するために指定される導波管の中に内部結合してもよい一方、青色または緑色光を内部結合せず、これは、代わりに、それぞれ、他の青色および緑色選択的導波管によって、他の導波管の中に結合される。
【０１３７】
いくつかの実装では、光源１１１０は、異なる着色光を異なる時間に放出することが可能なマルチカラー光源であってもよい。例えば、光源１１１０は、赤色、緑色、および青色（ＲＧＢ）光を放出してもよく、第１の期間には、赤色と、無視可能な量以下の緑色および青色とを放出し、第２の期間には、緑色と、無視可能な量以下の赤色および青色とを放出し、第３の期間には、青色と、無視可能な量以下の赤色および緑色とを放出するように構成されてもよい。これらのサイクルは、繰り返されることができ、ＳＬＭ１１４０は、特定の色（赤色、緑色、または青色）のための好適なパターンのピクセル状態を生産し、所与の画像フレームのための適切な画像色成分を提供するように、協調されることができる。スタック１２０５の異なる導波管１１２０、１１２２、１１２４はそれぞれ、異なる個別の色を伴う光を出力するように構成されてもよい。例えば、図１２Ａに描写されるように、導波管１１２０、１１２２、１１２４は、それぞれ、青色、緑色、および赤色光を出力するように構成されてもよい。当然ながら、他の色も、可能性として考えられ、例えば、光源１１１０は、他の色を放出してもよく、色選択的内部結合光学要素１２６０、１２６２、１２６４、外部結合光学要素等は、そのような他の色のために構成されることができる。加えて、個々の赤色、緑色、および青色エミッタは、単一瞳光源として効果的に機能するために近接するように、十分に近くに位置し得る。赤色、緑色、および青色エミッタは、レンズおよびダイクロイックスプリッタと組み合わせられ、単一赤色、緑色、および青色瞳源を形成してもよい。単一瞳の多重化は、色選択性を超えて、またはそれに加え、拡張されてもよく、偏光依存格子および偏光切替の使用を含んでもよい。これらの色または偏光格子はまた、複数のディスプレイ瞳と組み合わせて、アドレス指定され得る層の数を増加させるために使用されることができる。
【０１３８】
異なる導波管１１２０、１１２２、１１２４内の異なる内部結合光学要素１２６０、１２６２、１２６４は、相互に対して側方に変位され、整合されない場合とは対照的に、相互にわたっておよび／またはその下に配置され、かつ側方に（例えば、図１２Ａに示されるｘおよびｚ方向に）整合され得る。故に、いくつかの実装では、例えば、異なる内部結合光学要素１２６０、１２６２、１２６４は、第１の色の光が、その中で誘導されるように、内部結合光学要素１２６０によって、導波管１１２０の中に結合され得、第１の色と異なる第２の色の光が、内部結合光学要素１２６０を通して次の内部結合光学要素１２６２に通過し得、その中で誘導されるように、内部結合光学要素１２６２によって、導波管１１２２の中に結合され得るように、そのように構成されることができる。第１の色および第２の色と異なる第３の色の光は、内部結合光学要素１２６０および１２６２を通して内部結合光学要素１２６４に通過し得、その中で誘導されるように、導波管１１２４の中に結合され得る。加えて、内部結合光学要素１２６０、１２６２、１２６４は、偏光選択的であってもよい。例えば、異なる内部結合光学要素１２６０、１２６２、１２６４は、ある偏光の光が、対応する偏光選択的内部結合光学要素１２６０、１２６２、１２６４によって、導波管の中に結合されるか、または内部結合光学要素１２６０、１２６２、１２６４を通して通過するかのいずれかであるように、そのように構成されることができる。
【０１３９】
構成に応じて、ＳＬＭ１１４０は、偏光を変調させる、偏光ベースのＳＬＭを含んでもよい。システム１２００Ａは、例えば、個別のピクセルの状態（例えば、ピクセルが偏光配向を回転させるかどうか）に応じて、ピクセル毎に、スタック１２０５の中に投入される光を変調させる、偏光器および／または分析器を含むことができる。偏光ベースのＳＬＭを採用する、そのようなシステムの種々の側面は、上記に議論され、そのような特徴のうちの任意の１つが、本明細書に説明される任意の他の特徴と組み合わせて採用されてもよい。しかしながら、他の設計も、依然として、可能性として考えられる。
【０１４０】
例えば、偏向ベースのＳＬＭ１１４０が、採用されてもよい。例えば、ＳＬＭ１１４０は、光学要素の状態に応じて、光を異なる方向に沿って反射および／または偏向させ得る、可動ミラー等の１つ以上の可動光学要素を含んでもよい。ＳＬＭ１１４０は、例えば、マイクロミラーまたは反射体等のそのような光学要素を含む、１つ以上のピクセルを含んでもよい。ＳＬＭ１１４０は、例えば、デジタル光処理（ＤＬＰ（ＴＭ））技術を組み込んでもよく、これは、デジタルマイクロミラーデバイス（ＤＭＤ）を使用する。そのような偏向ベースのＳＬＭ１１４０を使用する、システム１２００Ｂの実施例は、図１２Ｂに示される。システム１２００Ｂは、偏向ベースのＳＬＭ１１４０と、光ダンプ１２５０とを含む。光ダンプ１２５０は、吸光材料または光を吸光するように構成される構造を含んでもよい。偏向ベースのＳＬＭ１１４０は、選択的に傾斜され、光を異なる方向に偏向させ得る、１つ以上のマイクロ可動ミラーを含んでもよい。例えば、偏向ベースのＳＬＭ１１４０は、所与のピクセルが明状態にあるとき、その上に入射する光源１１１０からの光を内部結合光学要素１２６０、１２６２、１２６４に偏向させるように構成されてもよい。上記に議論されるように、本光は、したがって、例えば、光の色に応じて、内部結合光学要素１２６０、１２６２、１２６４のうちの１つによって、個別の導波管１１２０、１１２２、１１２４のうちの１つの中に結合され、眼２１０に指向されるであろう。逆に言えば、所与のピクセルが暗状態にあるとき、光源１１１０からの光は、光ダンプ１２５０に偏向され得、光は、内部結合光学要素１２６０、１２６２、１２６４のうちの１つによって、個別の導波管１１２０、１１２２、１１２４のうちの１つの中に結合され、眼２１０に指向されることはない。光は、代わりに、光ダンプ１２５０を構成する吸光材料によって吸光され得る。いくつかの実装では、分析器１１５０は、内部結合光学要素１２６０、１２６２、１２６４からの望ましくない反射を排除するために使用される、偏光器（例えば、「クリーンアップ」偏光器）であってもよい。本偏光器は、光学系１１３０が、複屈折を有し、偏光を改変し得る、プラスチック光学要素を含み得るため、有用であり得る。「クリーンアップ」偏光器は、望ましくない偏光を有する光（例えば、反射）が導波管１１２０、１１２２、１１２４上に指向されないように減衰または除去し得る。他のタイプの光調整要素も、光学系１１３０と導波管１１２０、１１２２、１１２４との間等、ＳＬＭ１１４０と導波管１１２０、１１２２、１１２４との間に配置されてもよい。例えば、そのような光調整要素はまた、円偏光器（すなわち、線形偏光および４分の１波長板等のリターダ）を含んでもよい。円偏光器は、再び、導波管１１２０、１１２２、１１２４上に入射し、その中で結合される、導波管１１２０、１１２２、１１２４または内部結合光学要素１２６０、１２６２、１２６４からの反射の量を低減させ得る。反射された光は、円偏光であり得、入射光のものと反対の円偏光を保有し得る（例えば、反射に応じて、右旋円形偏光器光は、左旋円偏光に変換される、またはその逆である）。円偏光器内のリターダは、円偏光を、円偏光器内の線形偏光器によって、減衰される、例えば、吸光される、偏光器の直交偏光等の線形偏光に変換してもよい。クリーンアップ偏光器は、ＤＭＤ等の偏光独立変調器と併用されてもよい。上記に述べられたように、クリーンアップ偏光器は、反射を抑制し、および／または最適偏光状態を伴う内部結合光学要素１２６０、１２６２、１２６４の中への光の結合を改良するために有用であり得る。
【０１４１】
図１２Ｂは、そのようなシステム１２００Ｂの側面または断面図を図示する一方、図１２Ｃは、内部結合光学要素１２６４、光ダンプ１２５０、および光源１１１０の側方配列の上面図を示す。ＳＬＭ１１４０は、特定のピクセルの状態に応じて、光源１１１０からの光を反射させ、偏向させ、および／または内部結合光学要素１２６４（および他の内部結合光学要素１２６０、１２６２）または光ダンプ１２５０の側方場所のいずれかに指向するように構成されるであろう。
【０１４２】
ある設計では、光ダンプ１２５０は、エネルギー回収システムを含んでもよい。光ダンプ１２５０は、例えば、光学エネルギーを電気エネルギーに変換するように構成される、光学エネルギー変換要素を含んでもよい。光学エネルギー変換要素は、例えば、太陽電池を含んでもよい。光学エネルギー変換要素は、例えば、光がその上に入射すると、電気出力を生産する、光起電検出器を含んでもよい。光学エネルギー変換要素は、電気コンポーネント、例えば、電力をシステム１２００Ｂに提供し、および／または可能性として、１つ以上のバッテリを充電するように、電気出力を指向するための伝導性電線に電気的に接続されてもよい。
【０１４３】
側方に変位された非色選択的またはブロードバンドまたはマルチカラー内部結合光学要素が、ある設計において使用されてもよい。図１３Ａは、例えば、導波管を含む、スタック１３０５を含む、システム１３００の斜視図である。スタック１３０５は、図１２Ａに参照される、スタック１２０５に実質的に類似してもよい。スタック１３０５内の各導波管は、内部結合光学要素１３６０、１３６２、１３６４を含んでもよいが、しかしながら、図１２Ａに示される設計と対照的に、内部結合光学要素１３６０、１３６２、１３６４は、相互に対して側方に変位される。図１３Ａ、１３Ｂ、および１３Ｃに図示されるように、光源１１１０、１１１２、１１１４もまた、相互に対して側方に変位され、光を光学系１１３０を通して通過させ、光をＳＬＭ１１４０から反射させ、反射された光を、再び、光学系１１３０を通して通過させることによって、光を個別の内部結合光学要素１３６０、１３６２、１３６４に指向するように配置されてもよい。図１３Ｂのシステム１３００は、光源１１１４が、光源１１１０の背後に位置し、したがって、図１３Ｂに図示されないように描写される。光源１１１０、１１１２、１１１４は、それぞれ、内部結合光学要素１３６０、１３６２、１６３４に対応してもよい。１つの設計では、例えば、光源１１１０、１１１２、１１１４および対応する内部結合光学要素１３６０、１３６２、１３６４は、概ね、光学系１１３０の中心から共通（光学）軸に沿って等距離（それを中心として対称的に）に配置される。共通（光学）軸は、光学系１１３０の中心と交差し得る。１つの設計では、例えば、光源１１１０、１１１２、１１１４および対応する内部結合光学要素１３６０、１３６２、１３６４は、光学系１１３０の中心から共通（光学）軸に沿って等距離（それを中心として対称的に）に配置されない。
【０１４４】
内部結合光学要素１３６０、１３６２、１３６４は、複数の色の光をその個別の導波管の中に結合するように構成されてもよい。故に、これらの内部結合光学要素１３６０、１３６２、１３６４は、本明細書では、ブロードバンド、マルチカラー、または非色選択的内部結合光学要素１３６０、１３６２、１３６４と称され得る。例えば、ある場合には、これらの内部結合光学要素１３６０、１３６２、１３６４のそれぞれ１つは、赤色、緑色、および青色光をその中に内部結合光学要素１３６０、１３６２、１３６４が含まれる、関連付けられた導波管の中に内部結合するように、およびそのような着色光が、ＴＩＲによって、導波管内で誘導されるように構成される。そのようなブロードバンド内部結合光学要素１３６０、１３６２、１３６４は、例えば、可視範囲内の、例えば、広範囲の波長を横断して動作する、または、例えば、可視範囲を横断して、波長または波長領域幅を選択し得る。故に、そのようなブロードバンドまたはマルチカラーまたは非色選択的内部結合光学要素１３６０、１３６２、１３６４は、種々の異なる色（例えば、赤色、緑色、および青色）の光を、ＴＩＲによってその中で誘導されるように、導波管の中に方向転換させるように構成されてもよい。赤色、緑色、青色（ＲＧＢ）は、本明細書では、例えば光源、内部結合光学要素、導波管等と関連して参照されるが、他の色または色系も、加えて、または代替として、使用され得、例えば、限定ではないが、マゼンタ色、シアン色、黄色（ＣＭＹ）等である。
【０１４５】
図１３Ａに図示されるように、光源１１１０、１１１２、１１１４は、最上導波管の上方に示され、相互に対して変位される（例えば、ｘおよびｚ方向に）。同様に、３つの内部結合光学要素１３６０、１３６２、１３６４は、３つの個別の導波管上に示され、相互に対して変位される（例えば、ｘ、ｙ、およびｚ方向に）。図１３Ｂは、相互に対して側方に空間的に変位された（例えば、ｘおよびｚ方向に）内部結合光学要素１３６０、１３６２、１３６４と、相互に対して側方に変位された（例えば、ｘおよびｚ方向に）光源１１１０、１１１２、１１１４のうちのいくつかとを示す、図１３Ａに図示されるシステム１３００の側面図である。図１３Ｂはまた、光学系１１３０と、ＳＬＭ１１４０とを示す。
【０１４６】
図１３Ｃは、内部結合光学要素１３６０、１３６２、１３６４と、関連付けられた光源１１１０、１１１２、１１１４とを示す、図１３Ａおよび１３Ｂに図示される拡張現実ディスプレイシステムの上面図である。本設計では、内部結合光学要素１３６０、１３６２、１３６４および関連付けられた光源１１１０、１１１２、１１１４は、共通（光学）軸の中心点を中心としてリング状パターンで配置される。図示されるように、光源１１１０、１１１２、１１１４および対応する内部結合光学要素１３６０、１３６２、１３６４は、概ね、共通（光学）軸の中心点を中心として等距離に配置されるが、しかしながら、これは、該当する必要はない。いくつかの設計では、本中心点は、光学系１１３０の中心と交差する、共通（光学）軸に沿った光学系１１３０の中心および／または光学系１１３０の光学軸に沿ったある場所に対応してもよい。また、その結果、非色選択的内部結合光学要素１３６０、１３６２、１３６４および光源１１１０、１１１２、１１１４は、相互に対して側方に変位される（例えば、ｘおよびｚ方向に）。
【０１４７】
側方設置の他の配列も、可能性として考えられる。図１４Ａ−１４Ｃは、導波管を含む、スタック１４０５を含む、システム１４００の代替構成を図示し、内部結合光学要素１３６０、１３６２、１３６４および光源１１１０、１１１２、１１１４は、相互に対して側方に変位される。図１４Ａは、側方に変位された内部結合光学要素１３６０、１３６２、１３６４と、光源１１１０、１１１２、１１１４とを示す、図１４Ａに図示されるシステム１４００の側面図である一方、図１４Ｂは、上面図である。図１４Ｃは、図１４Ａおよび１４Ｂに図示されるシステム１４００の直交側面図である。
【０１４８】
図１４Ａおよび１４Ｃの側面図は、光が、個別の側方に変位された内部結合光学要素１３６０、１３６２、１３６４によって対応する導波管の中に結合され得るように、内部結合光学要素１３６０、１３６２、１３６４がスタック１４０５内の別個の導波管上に配置される方法を示す。内部結合光学要素１３６０、１３６２、１３６４は、図１４Ａおよび１４Ｃでは、導波管の上側主要表面内に配置されるように示される。しかしながら、内部結合光学要素１３６０、１３６２、１３６４は、代替として、個別の導波管の下側主要表面上または導波管の容積内に配置されることができる。様々な構成も、可能性として考えられる。
【０１４９】
図１４Ｂの上面図に示されるように、内部結合光学要素１３６０、１３６２、１３６４は、ｘ方向に沿ってではなく、ｚ方向に沿って、相互に対してとともに側方に変位された列内に配置される。同様に、光源１１１０、１１１２、１１１４もまた、ｘ方向に沿ってではなく、ｚ方向に沿って、相互に対して側方に変位された列内に配置される。内部結合光学要素１３６０、１３６２、１３６４は、光源１１１０、１１１２、１１１４に対してｘ方向に側方に変位される。
【０１５０】
さらに他の構成も、可能性として考えられる。図１５は、光源１１１０、１１１２、１１１４および内部結合光学要素１３６０、１３６２、１３６４の代替構成を示す、システム１５００の上面図である。図１３Ｃにおけるように、全ての光源１１１０、１１１２、１１１４を、概して、（例えば、リング状パターンの）片側に、全ての内部結合光学要素１３６０、１３６２、１３６４を、概して、片側（すなわち、反対側）に有するのとは対照的に、光源１１１０、１１１２、１１１４および内部結合光学要素１３６０、１３６２、１３６４は、リング状パターンの円周に沿って散在または交互する。
【０１５１】
しかしながら、いくつかの実装では、内部結合光学要素１３６０、１３６２、１３６４および関連付けられた１つ以上の光源１１１０、１１１２、１１１４はまた、中心点を中心としてリング状パターンで配置される。その結果、光源１１１０、１１１２、１１１４および対応する内部結合光学要素１３６０、１３６２、１３６４は、概ね、中心からほぼ等距離で配置されてもよい。いくつかの設計では、本中心は、光学系１１３０の中心と交差する共通中心軸に沿った光学系１１３０の中心および／または光学系の光学軸に沿ったある場所に対応してもよい。故に、第１の光源１１１０からの光は、光学系１１３０を介して、内部結合光学要素１３６０の中に、光学系１１３０の中心または中心軸または光学軸を横断して結合されてもよい（図１５の上面図から見られるように）。同様に、第２の光源１１１２からの光は、光学系１１３０を介して、内部結合光学要素１３６２の中に、光学系１１３０の中心または中心軸または光学軸を横断して結合されてもよい。同様に、第３の光源１１１４からの光は、光学系１１３０を介して、内部結合光学要素１３６４の中に、光学系１１３０の中心または中心軸または光学軸を横断して結合されてもよい。また、その結果、非色選択的内部結合光学要素１３６０、１３６２、１３６４および光源１１１０、１１１２、１１１４は、相互に対して側方に変位される（例えば、ｘおよびｚ方向に）。光学系１１３０は、サブ瞳の場所および内部結合光学要素１３６０、１３６２、１３６４がｙ−方向により近いように、焦点がよりスタック１４０５の中にあるように設計されてもよい。本構成では、内部結合光学要素１３６０、１３６２、１３６４は、それらが光学系１１３０の焦点により近いため、より小さくてもよい。光源１１１０は、スタック１４０５のユーザ側にあって（例えば、図１７および１８に類似する）、したがって、光源１１１０と光学系１１３０との間の距離または光学経路を減少させ得る。
【０１５２】
上記の図１２Ａ−１５に示されるような種々の実装では、複数の導波管を含むスタック（例えば、スタック１２０５、１３０５、１４０５）（例えば、導波管１１２０、１１２２、１１２４を含む、スタック１２０５、導波管（標識されない）を含む、スタック１３０５）、および導波管（標識されない）を含む、スタック１４０５）が、異なる色（例えば、赤色、緑色、および青色）をハンドリングするために含まれてもよい。異なる導波管は、異なる色のためのものであってもよい。同様に、複数のスタックが、異なる光学性質を個別のスタックから外部結合される光に提供するために含まれることができる。例えば、図１２Ａ−１２Ｂのスタック１２０５の導波管１１２０、１１２２、１１２４は、可能性として、そこから光が発出するように現れる、見掛け深度と関連付けられる、光学性質（例えば、特定の波面形状を提供するための屈折力）を有する光を出力するように構成されてもよい。例えば、異なる量の発散、収束、またはコリメーションを有する、波面は、眼２１０からの異なる距離から投影されるかのように現れ得る。故に、複数のスタックが、含まれてもよく、異なるスタックは、外部結合光学要素によって外部結合される光が、異なる量の収束、発散、またはコリメーションを有し、したがって、異なる深度から生じるように現れるように構成される。いくつかの設計では、異なるスタックは、回折レンズまたは他の回折光学要素等の異なるレンズを含み、異なる量の屈折力を異なるスタックに提供してもよい。その結果、異なるスタックは、異なる量の収束、発散、またはコリメーションを生産し、したがって、異なるスタックからの光は、眼２１０から異なる距離における異なる深度平面またはオブジェクトと関連付けられるかのように現れるであろう。
【０１５３】
図１６Ａは、スタック１６０５、１６１０、１６２０を含む、システム１６００の側面図である。図１６Ａに図示されるように、システム１６００は、３つのスタック１６０５、１６１０、１６２０を含むが、しかしながら、これは、該当する必要はない。本システムは、より少ないまたはより多いスタックで考案されてもよい。スタック１６０５、１６１０、および１６２０はそれぞれ、１つ以上の（例えば、３つの）導波管を含む。図１６Ａはまた、内部結合光学要素の群１６３０、１６４０、１６５０を示す。第１の群１６３０は、第１のスタック１６０５と関連付けられ、第２の群１６４０は、第２のスタック１６１０と関連付けられ、第３の群１６５０は、第３のスタック１６２０と関連付けられる。群１６３０、１６４０、１６５０は、相互に対して側方に変位される。群１６３０、１６４０、１６５０はそれぞれ、図１２Ａの内部結合光学要素１２６０、１２６２、１２６４に実質的に類似する、異なる個別の色を内部結合するように構成される、色選択的内部結合光学要素を含む。図１６Ａに図示されるように、群１６３０、１６４０、１６５０のそれぞれ内の内部結合光学要素は、相互に対して側方に変位されないが、しかしながら、これは、該当する必要はない。本システムは、その中で群内の内部結合光学要素が相互に対して側方に変位されるように考案されてもよい。システム１６００は、スタック１６０５、１６１０、１６２０のそれぞれから外部結合される光が、異なる量の屈折力を有するように構成されてもよい。例えば、スタック内の導波管は、所与の屈折力を有する、外部結合光学要素または回折レンズを有してもよい。異なるスタック１６０５、１６１０、１６１５のための屈折力は、１つのスタックからの光が別のスタックの光と異なる深度において生じるように現れ得るように異なり得る。１つのスタックの屈折力は、例えば、そのスタックからの光がコリメートされるように生じさせ得る一方、別のスタックの屈折力は、そこからの光を発散するように生じさせ得る。発散光は、眼２１０から近距離のオブジェクトから生じ得るように現れる一方、コリメートされた光は、遠距離におけるオブジェクトから生じ得るように現れる。故に、第１のスタック１６０５、第２のスタック１６１０、および第３のスタック１６２０から外部結合される光は、異なる量の収束、発散、およびコリメーションのうちの少なくとも１つを有し、したがって、異なる深度から生じるように現れ得る。いくつかの実装では、スタックのうちの１つから外部結合される光は、コリメートされ得る一方、異なるスタックによって外部結合される光は、発散し得る。他のスタックのうちの１つから外部結合される光もまた、発散するが、異なる量を発散させ得る。
【０１５４】
図１６Ａに図示されるように、光源１１１０は、光学系１１３０およびＳＬＭ１１４０に対して配置され、光を内部結合光学要素の群１６３０の中に指向してもよく、光源１１１２は、光学系１１３０およびＳＬＭ１１４０に対して配置され、光を内部結合光学要素の群１６４０の中に指向してもよく、光源１１１４は、光学系１１３０およびＳＬＭ１１４０に対して配置され、光を内部結合光学要素の群１６５０の中に指向してもよい。光源１１１０、１１１２、１１１４は、異なる色の光を異なる時間に放出するように構成されてもよい。同様に、異なる個別の色の光は、上記に説明される様式において、色選択的内部結合光学要素の結果、スタック内の異なる導波管の中に結合されてもよい。例えば、青色光が、第２の光源１１１２から放出される場合、光学系１１３０およびＳＬＭ１１４０は、青色光を内部結合光学要素の第２の群１６４０に指向するであろう。光は、第２の群１６４０内の第１の赤色内部結合光学要素および第２の緑色内部結合光学要素を通して通過し、第２の群１６４０内の第３の青色内部結合光学要素によって、第２のスタック１６１０内の第３の導波管の中に方向転換されてもよい。第２のスタック１６１０内の導波管は、第２のスタック１６１０と関連付けられた特定の深度平面またはオブジェクト距離と関連付けられたビームを眼２１０に提供するような屈折力（例えば、回折レンズ）を有する、外部結合光学要素または他の光学要素を含んでもよい。
【０１５５】
図１６Ｂは、図１６Ａにおけるシステム１６００の上面図である。内部結合光学要素の異なる群１６３０、１６４０、１６５０は、相互に対して側方に変位されるように示される（例えば、ｘ方向に）。同様に、光源１１１０、１１１２、１１１４は、相互に対して側方に変位されるように示される（例えば、ｘ方向に）。
【０１５６】
前述のシステムにおける様々な異なる変形例も、可能性として考えられる。例えば、導波管および光学系１１３０に対する光源１１１０の場所は、異なり得る。図１７は、例えば、光源１１１０を図１１−１６Ｂに示されるものと異なる導波管１７２０および光学系１１３０に対する場所に有する、システム１７００の側面図である。加えて、図１７は、第１の部分１７２０ａと、第２の部分１７２０ｂとに分割される、導波管１７２０を伴う、設計を示す。導波管１７２０はさらに、光源１１１０の近位の第１の部分１７２０ａ内で誘導される光を、第１の部分１７２０ａから外へと、光学系１１３０の中に、ＳＬＭ１１４０に向かって結合するように構成される、反射体１７３０を含んでもよい。加えて、または代替として、システム１７００は、導波管１７２０の第１の部分１７２０ａ内の光を、光学系１１３０の中に、ＳＬＭ１１４０に向かって外部結合するための回折外部結合光学要素を含んでもよい。本反射体１７３０は、不透明であって、第１の部分１７２０ａと第２の部分１７２０ｂとの間のクロストークを低減させる、アイソレータを含んでもよい。導波管１７２０は、第１の側１７２１と、第１の側１７２１と反対の第２の側１７２３とを有し、光学系１１３０およびＳＬＭ１１４０は、ＳＬＭ１１４０からの光が第１の側１７２１上に指向されるように、第１の側１７２１上に配置される。本実施例では、光源１１１０は、光学系１１３０を通してＳＬＭ１１４０に通過することに先立って、光源１１１０からの光が第１の側１７２１上に入射するように、導波管１７２０の第１の側１７２１上に配置される。システム１７００はさらに、第１の部分１７２０ａ上または内に配置される、内部結合光学要素１７１０を含んでもよい。内部結合光学要素１７１０は、光源１１１０からの光を受け取り、光を第１の部分１７２０ａの中に結合するように構成されてもよい。内部結合光学要素１７１０は、ＴＩＲによってその中で誘導されるような角度で、その上に入射する光を第１の部分１７２０ａの中に方向転換させるように構成される、回折光学要素または反射体を含んでもよい。
【０１５７】
反射体１７３０は、第１の部分１７２０ａ内で誘導される光を、第１の部分１７２０ａから外に、光学系１１３０およびＳＬＭ１１４０に向かって指向するように構成されてもよい。（上記に議論されるように、いくつかの実装では、回折光学要素は、加えて、または代替として、第１の部分１７２０ａ内の光を、第１の部分１７２０ａから外に、光学系１１３０およびＳＬＭ１１４０に向かって指向するために使用されてもよい。）故に、反射体１７３０は、導波管１７２０の光をＳＬＭ１１４０に向かって反射させる、ミラー、反射性格子、１つ以上のコーティングであってもよい。反射体１７３０によって、第１の部分１７２０ａから射出される光は、光学系１１３０を通して通過し、ＳＬＭ１１４０上に入射し、再び、光学系１１３０を通して通過し、第２の部分１７２０ｂ上に入射する。上記に説明されるように、光学系１１３０を通して透過される、ＳＬＭ１１４０から反射された光は、内部結合光学要素１１６０上に入射し、第２の部分１７２０ｂ内で誘導される光を方向転換させてもよい。第２の部分１７２０ｂ内で誘導される光は、外部結合光学要素１１８０（図示せず）によって、そこから外部結合され、眼２１０に指向されてもよい。
【０１５８】
上記に議論されるように、反射体１７３０は、第１の部分１７２０ａと第２の部分１７２０ｂとの間のクロストークを低減させる、アイソレータであってもよい。反射体１７３０は、不透明および／または反射性表面を含んでもよい。反射体１７３０は、導波管１７２０内に配置されてもよく、ある場合には、第１の部分１７２０ａおよび第２の部分１７２０ｂの側を定義してもよい。
【０１５９】
導波管１７２０の第１および第２の部分１７２０ａ、１７２０ｂを有する代わりに、別個の導波管が、使用されてもよい。図１８は、光源１１１０からの光を受け取り、その中で誘導される光を光学系１１３０へと、ＳＬＭ１１４０に向かって指向する、第１の導波管１８２２を含む、システム１８００の側面図である。システム１８００は、加えて、光が、再び、光学系１１３０を通して通過した後、ＳＬＭ１１４０からの光を受け取る、第２の導波管１８２０を含む。第１の導波管１８２２は、それぞれ、内部結合および外部結合光学要素１７３０ａ、１７３０ｂを含む。これらの内部結合および外部結合光学要素１７３０ａ、１７３０ｂは、光を導波管１８２２内外に内部結合および外部結合するように配向される、反射性表面を含んでもよい。内部結合光学要素１７３０ａは、例えば、光源１１１０からの光を受け取るように配置され、光をＴＩＲによってその中で誘導されるような角度で導波管１８２２の中に指向するように配向（例えば、傾斜）される、反射性表面を含んでもよい。外部結合光学要素１７３０ｂは、例えば、導波管１８２２内で誘導される光を導波管１８２２から射出されるような角度で指向するように配向（例えば、傾斜）される、反射性表面を含んでもよい。外部結合光学要素１７３０ｂは、導波管１８２２から外に方向転換された光が、光学系１１３０の中に指向され、ＳＬＭ１１４０から反射され、再び、光学系１１３０を通して通過し、第２の導波管１８２０の内部結合光学要素１７３０ｃ上に入射するように位置してもよい。
【０１６０】
第２の導波管１８２０内の内部結合光学要素１７３０ｃは、ＳＬＭ１１４０からその上に入射する光を受け取り、ＴＩＲによって第２の導波管１８２０内で誘導されるように方向転換させるように、位置し、配向（例えば、傾斜）され得る、反射性表面を含んでもよい。図１８は、導波管１８２０、１８２２の同一側上に配置される、光学系１１３０と、光源１１１０とを図示する。システム１８００はさらに、導波管１８２２と導波管１８２０との間のクロストークを低減させる、アイソレータを含んでもよい。アイソレータは、不透明および／または反射性表面を含んでもよい。アイソレータは、導波管１８２０、１８２２のうちの少なくとも１つ内または上に配置されてもよい。
【０１６１】
上記に議論される設計等の種々の設計は、付加的特徴またはコンポーネントを含むことができる。図１９は、例えば、可変焦点光学要素（または適応光学要素）１９１０、１９２０を含む、システム１９００の側面図を示す。可変焦点光学要素１９１０、１９２０は、可変屈折力を提供するために改変されるように構成される、光学要素を含んでもよい。可変焦点光学要素１９１０、１９２０は、第１の状態および第２の状態等の複数の状態を含んでもよく、第１の状態では、可変焦点光学要素１９１０、１９２０は、第２の状態にあるときと異なる屈折力を有する。例えば、可変焦点光学要素１９１０、１９２０は、第１の状態では、負の屈折力、第２の状態では、ゼロ屈折力を有してもよい。いくつかの実装では、可変焦点光学要素１９１０、１９２０は、第１の状態では、正の屈折力、第２の状態では、ゼロ屈折力を有する。いくつかの実装では、可変焦点光学要素１９１０、１９２０は、第１の状態では、第１の負または正の屈折力、第２の状態では、第２の異なる負または正の屈折力を有する。いくつかの適応光学要素または可変焦点光学要素１９１０、１９２０は、２つを上回る状態を有してもよく、可能性として、屈折力の連続分布を提供してもよい。
【０１６２】
可変焦点光学要素１９１０、１９２０は、レンズ（例えば、可変レンズ）を含み、透過性であってもよい。透過性または透明適応光学要素または可変焦点光学要素１９１０、１９２０は、図７に示される。可変焦点光学要素１９１０、１９２０は、液体レンズ（例えば、可動な膜および／またはエレクトロウェッティング）を含んでもよい。可変焦点レンズはまた、切替可能な液晶偏光レンズ等の切替可能な液晶レンズ等の液晶レンズを含んでもよく、これは、例えば、回折レンズを備えてもよい。Ａｌｖｅｒｅｚレンズもまた、使用されてもよい。他のタイプの可変焦点光学要素１９１０、１９２０も、可能性として、採用されてもよい。可変焦点光学要素の実施例は、２０１７年６月１２日に出願され、「ＡＵＧＭＥＮＴＥＤ  ＲＥＡＬＩＴＹ  ＤＩＳＰＬＹ  ＨＡＶＩＮＧ  ＭＵＬＴＩ−ＥＬＥＭＥＮＴ  ＡＤＡＰＴＩＶＥ  ＬＥＮＳ  ＦＯＲ  ＣＨＡＮＧＩＮＧ  ＤＥＰＴＨ  ＰＬＡＮＥＳ」と題された、米国特許出願第６２／５１８５３９号（参照することによってその全体として本明細書に組み込まれる）に見出され得る。可変焦点光学要素１９１０、１９２０は、可変焦点光学要素１９１０、１９２０によって呈される屈折力の量を制御する、電気信号を受信する、電気入力を有してもよい。可変焦点光学要素１９１０、１９２０は、正および／または負の屈折力を有してもよい。可変焦点要素（例えば、偏光スイッチ、幾何学的位相（ＧＰ）レンズ、流体レンズ、および同等物）に加え、可変焦点要素１９１０、１９２０は、固定レンズ（例えば、回折レンズ、屈折レンズ、および同等物）を含み、ライトフィールド内で所望の深度平面を生成してもよい。
【０１６３】
第１の可変焦点光学要素１９１０は、スタック１９０５と眼２１０との間に配置されてもよい。スタック１９０５は、上記に議論されるように、異なる色のための異なる導波管を含んでもよい。第１の可変光学要素１９１０は、異なる量の屈折力、負および／または正の屈折力を導入するように構成されてもよい。可変屈折力は、スタック１９０５から外に結合される光の発散および／またはコリメーションを変動させ、システム１９００によって眼２１０の中に投影された仮想オブジェクトが位置するように現れる、深度を変動させるために使用されてもよい。故に、４次元（４Ｄ）ライトフィールドが、作成されてもよい。
【０１６４】
第２の可変焦点光学要素１９２０は、スタック１９０５の第１の可変焦点光学要素１９２０と反対側にある。第２の可変焦点光学要素１９２０は、したがって、システム１９００および眼２１０の正面の世界５１０から受け取られた光に及ぼされる第１の光学要素１９１０の影響を補償することができる。したがって、世界ビューは、所望に応じて、効果的に、改変されない、または改変されてもよい。
【０１６５】
システム１９００はさらに、静的または可変処方箋または補正レンズ１９３０を含むことができる。そのようなレンズ１９３０は、眼２１０の屈折補正を提供してもよい。加えて、処方箋レンズ１９３０が、可変レンズである場合、複数のユーザのための異なる屈折補正を提供してもよい。可変焦点レンズが、上記に議論される。眼２１０は、例えば、近視、遠視、および／または非点収差を有し得る。レンズ１９３０は、眼２１０の屈折誤差を低減させるための処方箋（例えば、屈折力）を有してもよい。レンズ１９３０は、球状および／または円筒形であってもよく、正または負であってもよい。レンズ１９３０は、世界５１０からと、スタック１９０５からとの両方の光が、レンズ１９３０によって提供される補正を受けるように、スタック１９０５と眼２１０との間に配置されてもよい。いくつかの実装では、レンズ１９３０は、眼２１０と第１の可変焦点光学要素１９１０との間に配置されてもよい。レンズ１９３０のための他の場所も、可能性として考えられる。いくつかの実施形態では、処方箋レンズは、可変であって、複数のユーザ処方箋が実装されることを可能にしてもよい。
【０１６６】
いくつかの設計では、システム１９００は、調節可能調光器１９４０を含んでもよい。いくつかの実装では、本調節可能調光器１９４０は、導波管１９００のスタックの眼２１０と反対の側（例えば、世界側）上に配置されてもよい。故に、本調節可能調光器１９４０は、導波管１９００のスタックと世界５１０との間に配置されてもよい。調節可能調光器１９４０は、それを通して透過される光の可変減衰を提供する、光学要素を含んでもよい。調節可能調光器１９４０は、減衰のレベルを制御するための電気入力を含んでもよい。ある場合には、調節可能調光器１９４０は、ユーザが屋外に出るとき等、眼２１０が明るい光に暴露されるとき、減衰を増加させるように構成される。故に、システム１９００は、周囲光の明度を感知するための光センサと、調節可能調光器１９４０を駆動し、光センサによって感知される光レベルに基づいて、減衰を変動させるための制御電子機器とを含んでもよい。
【０１６７】
異なるタイプの調節可能調光器１９４０が、採用されてもよい。そのような調節可能調光器１９４０は、偏光器、エレクトロクロミック材料、フォトクロミック材料、および同等物を伴う、可変液晶スイッチを含んでもよい。調節可能調光器１９４０は、スタック１９０５を通して世界５１０から入射するおよび／または透過される光の量を調整するように構成されてもよい。調節可能調光器１９４０は、ある場合には、導波管スタック１９００を通して眼２１０に通過する、周囲からの光の量を低減させるために使用されることができ、これは、そうでなければ、グレアを提供し、眼２１０の中にスタック１９０５から投入される仮想オブジェクト／画像を知覚するユーザの能力を減少させ得る。そのような調節可能調光器１９４０は、眼２１０の中に投影される画像をウォッシュアウトさせないように、入射する明るい周囲光を低減させ得る。眼２１０に提示される仮想オブジェクト／画像のコントラストは、したがって、調節可能調光器１９４０を用いて増加され得る。対照的に、周囲光が、低い場合、調節可能調光器１９４０は、眼２１０にユーザの正面の世界５１０内のオブジェクトがより容易に見え得るように、減衰を低減させるように調節されてもよい。暗化または減衰は、本システムを横断して存在してもよい、または本システムの１つ以上の部分に局在化してもよい。例えば、複数の局在化部分は、ユーザ２１０の正面の世界５１０からの光を減衰させるように暗化または設定されてもよい。これらの局在化部分は、そのような増加された暗化または減衰を伴わない部分によって、相互から分離され得る。ある場合には、１つのみの部分が、接眼レンズの他の部分に対する増加された減衰を提供するように暗化される、または生じる。他のコンポーネントも、異なる設計では、追加されてもよい。また、コンポーネントの配列は、異なることができる。同様に、１つ以上のコンポーネントは、本システムから除外されてもよい。
【０１６８】
別の構成の実施例は、図２０Ａに示される。図２０Ａは、異なる導波管上の側方に変位された内部結合光学要素１３６０、１３６２、１３６４と、個別の内部結合光学要素１３６０、１３６２、１３６４と整合される側方に変位されたカラーフィルタ２０４０、２０４２、２０４４を含む、カラーフィルタアレイ２０３０とを含む、システム２０００の側面図を示す。カラーフィルタアレイ２０３０は、スタック２００５の眼２１０および光学系１１３０に近接する側上に配置されてもよい。カラーフィルタアレイ２０３０は、スタック２００５と光学系１１３０との間にあってもよい。カラーフィルタアレイ２０３０は、スタック２００５と光学系１１３０との間に位置する、カバーガラス２０５０内または上に配置されてもよい。カラーフィルタアレイ２０３０は、相互に対して側方に配置される、赤色カラーフィルタ、緑色カラーフィルタ、および青色カラーフィルタ等の１つ以上の異なるカラーフィルタ２０４０、２０４２、２０４４を含んでもよい。システム２０００は、相互に対して側方に変位される、光源１１１０、１１１２、１１１４を含む。これらの光源１１１０、１１１２、１１１４は、赤色、緑色、および青色の光源等の異なる色の光源を含んでもよい。カラーフィルタ２０４０、２０４２、２０４４は、透過性または透明フィルタであってもよい。いくつかの実装では、カラーフィルタ２０４０、２０４２、２０４４は、吸光フィルタを含むが、しかしながら、カラーフィルタ２０４０、２０４２、２０４４はまた、反射性フィルタを含んでもよい。カラーフィルタアレイ２０３０内のカラーフィルタ２０４０、２０４２、２０４４は、迷光の伝搬を低減させるであろう、不透明マスク等のマスクによって分離および／または囲繞されてもよい。カラーフィルタアレイ２０３０内のフィルタは、異なる色のための内部結合光学要素１３６０、１３６２、１３６４を通して、異なる色のために使用される導波管に再入射しないように、導波管および／または内部結合光学要素１３６０、１３６２、１３６４から等のシステム内の望ましくない反射を低減または排除するために使用されてもよい。カラーフィルタアレイの実施例は、２０１７年８月２２日に出願され、「ＰＲＯＪＥＣＴＯＲ  ＡＲＣＨＩＴＥＣＴＵＲＥ  ＩＮＣＯＲＰＯＲＡＴＩＮＧ  ＡＲＴＩＦＡＣＴ  ＭＩＴＩＧＡＴＩＯＮ」と題された、米国特許出願第１５／６８３４１２号（参照することによってその全体として本明細書に組み込まれる）、および２０１７年１１月３０日に出願され、「ＰＲＯＪＥＣＴＯＲ  ＡＲＣＨＩＴＥＣＴＵＲＥ  ＩＮＣＯＲＰＯＲＡＴＩＮＧ  ＡＲＴＩＦＡＣＴ  ＭＩＴＩＧＡＴＩＯＮ」と題された、米国特許出願第６２／５９２６０７号（参照することによってその全体として本明細書に組み込まれる）に見出され得る。マスクは、黒色マスクであってもよく、迷光の伝搬および反射を低減させるための吸光材料を含んでもよい。光源１１１０、１１１２、１１１４は、光学系１１３０およびＳＬＭ１１４０に対して配置され、光をカラーフィルタアレイ２０３０内の対応するカラーフィルタ２０４０、２０４２、２０４４に内部結合してもよい。例えば、カラーフィルタアレイ２０３０は、それぞれ、第１、第��、および第３の光源１１１０、１１１２、１１１４からの光を受け取るように配置される、第１、第２、および第３（例えば、赤色、緑色、および青色）のカラーフィルタ２０４０、２０４２、２０４４を含んでもよい。第１、第２、および第３（例えば、赤色、緑色、および青色）のカラーフィルタ２０４０、２０４２、２０４４は、個別の内部結合光学要素１３６０、１３６２、１３６４と整合されてもよい（例えば、ｘおよびｚ方向に）。故に、第１の光源１１１０からの光は、第１のカラーフィルタ２０４０を通して、第１の内部結合光学要素１３６０に指向され、第２の光源１１１２からの光は、第２のカラーフィルタ２０４２を通して、第２の内部結合光学要素１３６２に指向され、第３の光源１１１４からの光は、第３のカラーフィルタ２０４４を通して、第３の内部結合光学要素１３６４に指向されるであろう。いくつかの実装では、内部結合光学要素１３６０、１３６２、１３６４は、色特有であってもよい。例えば、第１および第２の内部結合光学要素１３６０、１３６２は、個別の第１および第２の色の光を、それぞれ、第１および第２の導波管の中に結合するように構成されてもよい。同様に、第１、第２、および第３の内部結合光学要素１３６０、１３６２、１３６４は、個別の第１、第２、および第３の色の光を、それぞれ、第１、第２、および第３の導波管の中に結合するように構成されてもよい。第１の内部結合光学要素１３６０は、第２の色（または第３の色）より第１の色の光を第１の導波管の中に結合するように構成されてもよい。第２の内部結合光学要素１３６２は、第１の色（または第３の色）より第２の色の光を第２の導波管の中に結合するように構成されてもよい。第３の内部結合光学要素１３６４は、第１の色または第２の色より第３の色の光を第２の導波管の中に結合するように構成されてもよい。他の構成では、内部結合光学要素１３６０、１３６２、１３６４は、広帯域であってもよい。例えば、第１の内部結合光学要素１３６０は、第１、第２、および第３の色の光を第１の導波管の中に結合するように構成されてもよい。第２の内部結合光学要素１３６２は、第１、第２、および第３の色の光を第２の導波管の中に結合するように構成されてもよい。第３の内部結合光学要素１３６４は、第１、第２、および第３の色の光を第３の導波管の中に結合するように構成されてもよい。しかしながら、複数のカラーフィルタ２０４０、２０４２、２０４４が、特定の色の光を選択的を透過させるように色特有であってもよい。例えば、第１のカラーフィルタ２０４０は、第２の色（および第３の色）より第１の色を透過させてもよい。第２のカラーフィルタ２０４２は、第１の色（および第３の色）より第２の色を透過させてもよい。第３のカラーフィルタ２０４４は、第１の色および第２の色より第３の色を透過させてもよい。同様に、第１、第２、および第３のカラーフィルタ２０４０、２０４２、２０４４は、それぞれ、第１、第２、および第３の色を選択的を透過させる、カラーフィルタであってもよい。故に、第１、第２、および第３のカラーフィルタ２０４０、２０４２、２０４４は、それぞれ、第１、第２、および第３の色を選択的に通過させる、帯域通過フ��ルタであってもよい。いくつかの実装では、第１、第２、および第３の光源１１１０、１１１２、１１１４は、それぞれ、第１、第２、および第３の色を選択的に放出してもよい。例えば、第１の光源１１１０は、第２の色（および第３の色）より第１の色を放出してもよい。第２の光源２０４２は、第１の色（および第３の色）より第２の色を放出してもよい。第３の光源２０４４は、第１の色および第２の色より第３の色を透過させてもよい。カラーフィルタ２０４０、２０４２、２０４４は、特定の内部結合光学要素に不注意に指向される、迷光の量を低減させ得る。他の実装では、光源１１１０、１１１２、１１１４のうちの１つ以上のものは、広帯域光源である。例えば、第１の光源１１１０は、第１および第２の（および可能性として、第３の）色を放出してもよい。第２の光源１１１２はまた、第１および第２の（および可能性として、第３の）色を放出し得る。第３の光源１１１４はまた、第１および第２の（および可能性として、第３の）色を放出し得る。３つのフィルタが、図２０Ａ−２０Ｇに示されるが、より多いまたはより少ないフィルタが、含まれてもよい。例えば、いくつかの実装では、（３つではなく）２つのフィルタが、使用されてもよい。故に、２つのカラーフィルタに対応する２つの色が、フィルタによって、その中に選択的に透過され得る。いくつかのそのような実装では、２つの対応する内部結合光学要素が、使用され、２つのフィルタと整合されてもよい。いくつかの実装では、２つの内部結合光学要素は、それぞれ、２つの色を２つの個別の導波管の中に選択的に結合する。いくつかの実装では、２つの光源が、３つの代わりに使用されてもよい。コンポーネントの他の変形例および他の数も、使用されてもよい。また、カラーフィルタ２０４０、２０４２、２０４４は、単一アレイ内にともに統合される場合とそうではない場合がある。
【０１６９】
上記に議論されるように、コンポーネントおよびその場所および配列は、変動し得る。例えば、図２０Ａは、光学系１１３０とスタック１９０５との間に配置される、分析器１１５０を示すが、分析器１１５０は、異なる位置に位置してもよい。図２０Ｂは、光学系１１３０とＳＬＭ１１４０との間に位置する、分析器１１５０を示す。いくつかの設計では、分析器（例えば、偏光器）１１５０は、直接、ＳＬＭ１１４０に取り付けられてもよい。例えば、分析器１１５０は、ＳＬＭ１１４０に接着または機械的に結合されてもよい。例えば、分析器１１５０は、接着剤を使用して、ＳＬＭ１１４０（例えば、ＳＬＭウィンドウ）に糊着、固結されてもよい。故に、図２０Ｂは、分析器１１５０とＳＬＭ１１４０との間の間隙を示すが、いくつかの設計では、分析器１１５０とＳＬＭ１１４０との間の間隙は、存在しない。分析器１１５０は、ＳＬＭ１１４０に機械的に（例えば、機械的固定具を使用して）添着されてもよく、そのような場合、分析器１１５０とＳＬＭ１１４０との間の間隙を含む場合とそうではない場合がある。光学系１１３０からの複屈折は、上記に説明されるように、直接、ＳＬＭ１１４０上に偏光器を位置付けることによって、一掃され得る。いくつかの実装では、光学系１１３０と内部結合光学要素１３６０、１３６２、１３６４との間に配置される、分析器１１５０もまた、光学系１１３０から外向きの光の偏光を一掃するために含まれてもよい（例えば、図２０Ｂにおける破線に図示されるように）。加えて、４分の１波長板等のリターダ（図示せず）が、ＳＬＭ１１４０の近位、例えば、光学系１１３０とＳＬＭ１１４０との間に含まれてもよい。本明細書で使用されるように、４分の１波長板は、４分の１波リターダが、４分の１波の位相差を提供するためのプレート、フィルム、または他の構造を備えるかどうかにかかわらず、４分の１波リターダを指し得る。図２０Ｂでは、例えば、リターダ（例えば、４分の１波長板）は、分析器１１５０とＳＬＭ１１４０との間に配置されてもよい。リターダ（例えば、４分の１波長板）は、歪んだ光線管理のために使用されてもよい。例えば、リターダ（例えば、４分の１波長板）は、例えば、ＳＬＭ１１４０上の波長および入射角の差異によって生じる変動を補償し得る。上記に議論されるように、補償器が、含まれてもよく、異なる入射角および異なる波長のためのＳＬＭ１１４０の（例えば、９０°の）より一貫した偏光回転を提供してもよい。補償器は、より一貫した直交回転を提供することによって、ディスプレイのコントラストを増加させるために使用されてもよい。補償器は、上記に説明されるようなＳＬＭ１１４０に取り付けられる、または添着されてもよい。例えば、糊、セメント、または他の接着剤が、使用されてもよい。補償器はまた、機械的固定具を使用して、ＳＬＭ１１４０に取り付けられてもよい。間隙または無間隙が、補償器またはＳＬＭ１１４０間に含まれてもよい。他の光調整光学系もまた、加えて、または代替として、含まれてもよく、分析器１１５０および／または補償器に関して上記に説明されるように、ＳＬＭ１１４０に添着されてもよい。
【０１７０】
いくつかの実施形態では、大角度幅（例えば、約７０度）が、使用されてもよい。角度幅は、例えば、光源１１１０、１１１２、１１１４から光学系１１３０の中に入射する光の角度、および／または光学系１１３０から内部結合光学要素１３６０、１３６２、１３６４の中に出射する光の角度を指し得る。これらの実施形態では、より薄いＳＬＭ１１４０が、使用されてもよい。例えば、ＳＬＭ１１４０が、液晶（ＬＣ）ＳＬＭ（例えば、シリコン上液晶（ＬＣＯＳ）ＳＬＭ）である場合、ＬＣ層は、大角度幅に適応するようにより薄く作製されてもよい。
【０１７１】
偏光器および分析器１１５０を通した複光路位相差は、半波である必要があり得る。偏光器は、光学系１１３０と分析器１１５０との間にあってもよい。複光路位相差は、ＬＣＯＳ  ＳＬＭ１１４０の屈折率とＬＣＯＳ  ＳＬＭ１１４０の厚さの比の関数であり得る。ＬＣＯＳ  ＳＬＭ１１４０の所与の屈折率およびＬＣＯＳ  ＳＬＭ１１４０の所与の厚さに関して、大角度におけるＬＣＯＳ  ＳＬＭ１１４０の内外への往来は、小角度におけるＬＣＯＳ  ＳＬＭ１１４０の内外への往来より長い光の経路長を作製する。経路長は、ＬＣＯＳ  ＳＬＭ１１４０の厚さに関係する。一実施例では、ＬＣＯＳ  ＳＬＭは、第１の屈折率と、第１の厚さとを有し得る。小角度に関して、第１の屈折率と、第１の厚さとを有する、ＬＣＯＳ  ＳＬＭの複光路位相差は、半波であり得る。大角度に関して、第１の屈折率と、第１の厚さとを有する、ＬＣＯＳ  ＳＬＭの複光路位相差は、半波ではあり得ない（例えば、半波を上回り得る）。ＬＣＯＳ  ＳＬＭの厚さは、第１の厚さから第２の厚さに変化し得、第２の厚さは、第１の厚さ未満である。小角度に関して、第１の屈折率と、第２の厚さとを有する、ＬＣＯＳ  ＳＬＭの複光路位相差は、半波ではあり得ない（例えば、半波未満であり得る）。大角度に関して、第１の屈折率と、第２の厚さとを有する、ＬＣＯＳ  ＳＬＭの複光路位相差は、半波であり得る。
【０１７２】
また、図２０Ａおよび２０Ｂは、偏光ベースのＳＬＭ１１４０の使用を図示するが、他のタイプのＳＬＭも、利用されてもよい。図２０Ｃは、例えば、可動なマイクロミラーベースのＳＬＭ等の偏向ベースのＳＬＭ１１４０の使用を図示する。上記に議論されるように、そのようなＳＬＭ１１４０は、デジタル光処理（ＤＬＰ（ＴＭ））およびデジタルマイクロミラーデバイス（ＤＭＤ）技術を含んでもよい。上記に議論されるように、偏向ベースのＳＬＭ１１４０は、ＳＬＭ１１４０のピクセルの状態に応じて、光源１１１０、１１１２、１１１４のうちの１つからの光を個別の内部結合光学要素１３６０、１３６２、１３６４の中に結合することができる。１つの状態では、光源１１１０、１１１２、１１１４からの光は、図２０Ｄに図示されるように、個別の内部結合光学要素１３６０、１３６２、１３６４に指向されるであろう。別の状態では、光源１１１０、１１１２、１１１４からの光は、図２０Ｅに図示されるように、内部結合光学要素１３６０、１３６２、１３６４から離れるように指向されるであろう。いくつかの実装では、オフ状態の間では、カラーフィルタアレイ２０３０内のカラーフィルタ２０４０、２０４２、２０４４間の黒色吸光マスクは、光ダンプとしての役割を果たし得る。上記に説明されるように、カラーフィルタ２０４０、２０４２、２０４４は、吸光マスク（例えば、黒色マスク）等のマスクによって囲繞および／または分離されてもよい。本マスクは、入射光がそこから反射されたものより吸光されるような吸光材料を含んでもよい。本マスクはまた、不透明であってもよい。
【０１７３】
他の変形例も、可能性として考えられる。光源は、非結像光学結合要素（例えば、複合放物面集光器（ＣＰＣ）またはコーン）等の結合光学系１１０５に結合される、エミッタ１１１０、１１１２、１１１４（例えば、ＬＥＤ、レーザダイオード）として示されるが、他の構成も、可能性として考えられる。例えば、結合光学系１１０５（例えば、ＣＰＣ）は、導波管のスタックに対して傾斜されてもよい。ある場合には、プロジェクタ（すなわち、光学系１１３０およびＳＬＭ１１４０）は、接眼レンズ（例えば、導波管のスタック）に対して傾斜されてもよい。いくつかの実装では、レンズ光学系１１３０は、ＳＬＭ１１４０に対して傾斜され、キートーン歪曲等の歪曲を低減される。Ｓｃｈｅｉｍｐｌｕｇ構成が、そのような歪曲を低減させるために採用されてもよい。コンポーネントは、例えば、頭部および／または顔を中心としてより共形的に適合するために、必要に応じて、傾斜されてもよい（例えば、光学系１１３０および／または空間光変調器１１４０）。上記に説明されるように、光エミッタおよび／または結合光学系１１０５は、傾斜されてもよい。いくつかの構成では、導波管を含む、アセンブリは、眼２１０の側により近い側（例えば、こめかみ側）が眼２１０により近い状態で傾斜され、全体としての双眼システムの知覚される視野を増加させてもよい（双眼重複を犠牲にして）。
【０１７４】
上記に議論されるように、コンポーネントおよびその場所および配列は、変動し得る。例えば、図２０Ｆは、スタック２００５と光学系１１３０との間に配置される、カバーガラス２０５０を含む、システム２０００Ｆの側面図である。いくつかの設計では、光源１１１０、１１１２、１１１４は、カバーガラス２０５０の世界側上に配置され、光をカバーガラス２０５０を通して光学系１１３０およびＳＬＭ１１４０に伝搬するように構成されてもよい。図示されるように、カバーガラス２０５０は、光源１１１０、１１１２、１１１４によって放出される光が、スタック２００５内の導波管を通して通過せずに、光学系１１３０に入射するように、スタック２００５を越えて側方（例えば、ｘ軸と平行）に延在してもよい。システム２０００Ｆは、偏向ベースのＳＬＭ１１４０を描写するが、光源の類似構成はまた、非偏向ベースのＳＬＭと併用される、または本明細書に開示される任意の他の構成または特徴と併用またはその中で使用されてもよい。
【０１７５】
図２０Ｇは、スタック２００５の世界側（すなわち、光学系１１３０の近位のスタック２００５の側の反対）上に配置される、カバーガラス２０６０を含む、システム２０００Ｇの側面図である。いくつかの設計では、光源１１１０、１１１２、１１１４は、カバーガラス２０５０の世界側上に配置され、光をカバーガラス２０５０を通して光学系１１３０およびＳＬＭ１１４０に伝搬するように構成されてもよい。図示されるように、カバーガラス２０６０は、光源１１１０、１１１２、１１１４によって放出される光が、スタック２００５内の導波管を通して通過せずに、光学系１１３０に入射するように、スタック２００５を越えて側方（例えば、ｘ軸と平行）に延在してもよい。システム２０００Ｇは、偏向ベースのＳＬＭ１１４０を描写するが、光源の類似構成はまた、非偏向ベースのＳＬＭと併用される、または本明細書に開示される任意の他の構成または特徴と併用またはその中で使用されてもよい。
【０１７６】
加えて、上記に議論されるように、光再利用を促進する、構成が、採用されてもよい。図２１は、例えば、光源１１１０からの光の光再利用を提供する構成を装備されている、システム２１００の部分的側面図である。光源１１１０は、望ましくない偏光を有する光を再利用するように構成される、偏光器１１１５に対して配置されてもよい。偏光器１１１５は、例えば、第１の偏光の光を透過させ、第２の反対偏光の光を再帰反射させる、ワイヤグリッド偏光器を含んでもよい。故に、光２１１０は、光源１１１０から放出され、偏光器１１１５上に衝突し得る。偏光器１１１５は、そのためにプロジェクタ（図示せず）が使用するように構成する、第１の偏光の光を透過させてもよい。例えば、ＳＬＭは、本第１の偏光の光を用いて適切に動作し得る。第２の偏光２１２０の光は、光源１１１０に向かって戻るように反射され、再利用され得る。光２１２０の偏光は、種々の角度において複合放物面集光器（ＣＰＣ）のような非結像光学系等の結合光学系（図示せず）の部分（例えば、側壁）から反射後、回転される偏光に関して、改変され得る。偏光器１１１５によって通過され得る、好適な偏光（例えば、偏光配向）を有する一部の光が、結果として生じ得る。複数回の反射は、光の偏光を変化させ得、光を所望の偏光を伴って出射させ得る。本再利用される光２１３０は、次いで、偏光器１１１５に向かって戻るように放出される。そのような構成は、より所望の偏光が生産されるため、効率、例えば、エネルギー効率を改良し得る。また、加えて、または代替として、リターダは、反射された偏光状態を変化させ、光を回収するために使用されてもよい。
【０１７７】
図２２は、光源１１１０、１１１２、１１１４と、対応する光集光光学系２２１０、２２１２、２２１４とを含む、別の構成を示す。光集光光学系２２１０、２２１２、２２１４は、レンズまたは他の光学を含み、光源１１１０、１１１２、１１１４からの光を集光してもよい。光源１１１０、１１１２、１１１４は、光を広範囲の角度にわたって放出する、レーザダイオードまたは他のエミッタであってもよい。光集光光学系２２１０、２２１２、２２１４は、その光の多くを集光するために使用されてもよい。光源１１１０、１１１２、１１１４は、光を非対称的に放出してもよい。例えば、光は、より広範囲の角度で、直交方向（例えば、ｚまたはｘ方向）ではなく、１つの方向（例えば、ｘまたはｚ方向）に放出されてもよい。故に、光集光光学系２２１０、２２１２、２２１４は、非対称であってもよい。例えば、光集光光学系２２１０、２２１２、２２１４は、異なる屈折力を異なる可能性として考えられる直交方向に有してもよい。光集光光学系２２１０、２２１２、２２１４は、例えば、アナモルフィックレンズ等のレンズを含んでもよい。光集光光学系２２１０、２２１２、２２１４はまた、可能性として、非結像光学系を含んでもよい。開口２２２０、２２２２、２２２４が、含まれてもよい。拡散器２２３０もまた、例えば、光源１１１０、１１１２、１１１４がレーザダイオード等のレーザであるとき、開口２２２０、２２２２、２２２４の近位に含まれてもよい。開口２２２０、２２２２、２２２４の近位の拡散器を用いることで、開口は、側方に変位された光源の場所にあるように現れ得る。開口２２２０、２２２２、２２２４は、上記に議論されるように、光学系およびＳＬＭを介して、導波管上の内部結合光学要素または導波管と合致されてもよい。例えば、各開口２２２０、２２２２、２２２４は、個別の内部結合光学要素と合致されてもよい。同様に、図１６Ａに示されるようなある実装では、各開口２２２０、２２２２、２２２４は、個別の群の（例えば、色選択的）内部結合光学要素と合致されてもよい。
【０１７８】
広範囲のシステム変形例および構成も、可能性として考えられる。例えば、線形偏光は、光学系１１３０を通して、ＳＬＭ１１４０に、かつ光学系を通して、導波管スタックに戻るように伝搬されるように説明されるが、いくつかの設計では、円偏光が、代わりに、使用されてもよい。例えば、円偏光は、光学系１１３０の中に指向されてもよい。４分の１波長板等のリターダが、ＳＬＭ上に入射することに先立って、本光がリターダを通して通過するように配置されてもよい。リターダ（例えば、４分の１波長板）は、光学系１１３０とＳＬＭ１１４０との間に配置されてもよい。ある場合には、上記に説明されるように、リターダ（例えば、４分の１波長板）は、例えば、接着剤または機械的固定具を使用して等、ＳＬＭ１１４０に添着されてもよい。リターダ（例えば、４分の１波長板）は、ＳＬＭ１１４０からの反射後、線形偏光を円偏光に変換してもよい。故に、いくつかの実装では、円偏光は、再び、光学系１１３０を通して、スタックに向かって通過してもよい。例えば、分析器１１５０の近位の別のリターダ（例えば、４分の１波長板）は、円偏光を、線形偏光（例えば、配向）に応じて、分析器を通して通過する場合とそうではない場合がある、線形偏光に変換してもよい。ＳＬＭ１１４０のピクセルは、偏光を回転させる、または回転させないように変動され得る、状態を有してもよい。さらに他の構成も、可能性として考えられる。
【０１７９】
図２３Ａは、光源２３０５と、偏光回転子２３０７と、屈折力を有する光学（例えば、レンズ）２３２０と、線形偏光器（例えば、水平または垂直偏光器）等の偏光器２３１２、２３３５と、４分の１波リターダ（例えば、４分の１波長板）等のリターダ２３１５、２３３０、２３４０と、画像情報をユーザに出力するための少なくとも１つの導波管２３４８とを含む、拡張現実ディスプレイシステム２３００の側面図である。そのような構成は、光源２３０５から放出される光が、空間光変調器から反射され、ユーザの眼に指向されるように、少なくとも１つの導波管２３４８の中に結合されるように、反射型空間光変調器（図示せず）を照明するために使用されることができる。これらの要素、特に、偏光器およびリターダの構成および設置は、光学系２３２０からの表面等のシステム内の光学表面からの反射を低減または排除し得、これは、そうでなければ、残影画像がユーザに可視となる結果をもたらし得る。例えば、偏光選択的である、および／または位相差を有する、光学要素（例えば、偏光器２３１２、２３３５およびリターダ２３１５、２３３０、２３４０）が、線形偏光を、光学表面からの反射に応じて、左旋から右旋または右旋から左旋に変化させる、円偏光に変換するように配列および構成されることができる。同様に、偏光選択的である、および／または位相差を有する、そのような光学要素（例えば、偏光器２３１２、２３３５およびリターダ２３１５、２３３０、２３４０）は、円偏光を、偏光器（例えば、線形偏光器）によって減衰またはフィルタリング除去され得る、線形偏光に変換するように配列および構成されることができる。線形偏光を円偏光に変換する、その逆も同様である、円偏光器は、偏光選択的であって、位相差を有する、そのような光学要素（例えば、偏光器２３１２、２３３５およびリターダ２３１５、２３３０、２３４０）とともに加工されてもよい。例えば、円偏光器は、線形偏光器と、４分の１波リターダとを備えてもよい。円偏光器は、線形偏光を第１の状態（例えば、掌性）を有する円偏光に変換し、異なる第１の状態の第２の状態（例えば、掌性）を有する円偏光をフィルタリング除去するために使用されることができる。例えば、円偏光器は、ある配向を有する線形偏光を左旋円偏光に変換し、右旋円偏光である、円偏光をフィルタリング除去するために使用されることができる。円偏光器はまた、ある配向を有する線形偏光を右旋円偏光に変換し、左旋円偏光である、円偏光をフィルタリング除去するために使用されることができる。線形偏光を円偏光器光に変換および逆変換するために使用され得、かつ線形偏光を選択的にフィルタリングし得る、位相差を含む、円偏光器または光学要素の他の構成は、図２３Ａおよび２３Ｂに関連して下記に議論されるように、光学表面からの逆反射を低減させるために使用されることができる。
【０１８０】
左旋および右旋円偏光は、それぞれ、図２３Ａおよび２３Ｂにおける時計回りおよび反時計回り矢印を用いて図示されることに留意されたい。さらに、水平および垂直線形偏光は、それぞれ、水平矢印および円形ドットを使用して描写される。
【０１８１】
上記に議論されるように、図２３Ａは、拡張現実ディスプレイシステム２３００の構成を図示し、線形偏光器（例えば、水平偏光器）等の偏光器２３１２、２３３５および４分の１波リターダ（例えば、４分の１波長板）等のリターダ２３１５、２３３０、２３４０は、空間光変調器（図示せず）を照明し、そこから反射させる、光の経路内の光学系２３２０の表面等の光学表面からの逆反射を低減させるように配列される。第１の偏光器２３１２および第１のリターダ２３１５は、光源２３０５と光学系２３２０との間に配置される。第１の偏光器２３１２は、光源２３０５と第１のリターダ２３１５との間に配置される。同様に、第１のリターダ２３１５は、第１の偏光器２３１２と光学系２３２０との間に配置される。
【０１８２】
図示されるように、光源２３０５は、光線２３１０によって表されるように、光を放出する。いくつかの実装では、光線２３１０は、偏光回転子２３０７を通して通過し得る。回転子２３０７は、随意であって、光源２３０５からの光、例えば、光線２３１０の偏光を回転させるために使用されることができる。種々の実装では、回転子２３０７は、（例えば、線形偏光の）偏光の角度を回転させることができる。例えば、回転子２３０７は、それを通して透過されるように、光線２３１０の線形偏光を第１の偏光器２３１２と整合される配向に回転させることができる。いくつかの実装では、偏光回転２３０７は、ある場合には、リターダ、例えば、半波リターダを備えてもよい。半波リターダの光学軸は、光源２３０５からの光の偏光を垂直から水平またはその逆に回転させるように配向されてもよい。代替として、偏光回転子２３０７は、光源２３０５から放出される線形偏光の偏光の角度を異なる量だけ回転させるように構成されてもよい。偏光回転子２３０７は、システム内に含まれる必要はない。例えば、光源２３０５が、第１の偏光器２３１２と同一偏光を有する光を放出する実装では、偏光回転子２３０７は、除外されてもよい。図示されるように、光、例えば、光線２３１０は、ここでは、水平偏光器として示される、偏光器２３１２を通して通過する。光源２３０５からの光が偏光されないインスタンスでは、水平偏光器２３１２を通して透過され、光線２３１０として示される光は、偏光器２３１２を通して通過後、線形偏光される（例えば、水平に偏光される）。水平線形偏光器が、本実施例では使用されるが、教示される原理は、垂直線形偏光器の使用にも適用されることができることを理解されたい。代替として、垂直または線形以外の異なる配向を有する、線形偏光器もまた、使用されてもよい。
【０１８３】
水平偏光線２３１０は、ここでは、４分の１波リターダとして示される、リターダ２３１５を通して進行する。本リターダ２３１５は、十分な位相差を含み、線形偏光を円偏光に変換し得る。例えば、水平偏光は、湾曲（例えば、時計回りに指向される）矢印によって図示されるように、左旋円偏光に変換されてもよい。本実施例では、偏光器２３１２およびリターダ２３１５（例えば、４分の１波）の組み合わせは、特定の線形偏光の光（例えば、水平または垂直偏光）を特定の円偏光（例えば、左または右旋円偏光またはその逆）に変換し得る、本明細書では、第１の円偏光器と称される、円偏光器を形成する。円偏光器はまた、構成に応じて、特定の円偏光の光（例えば、右または左旋円偏光）を遮断し得る。
【０１８４】
いくつかの実装では、種々の光学要素は、複屈折を有する。あるそのような場合では、リターダ２３１５は、線形偏光を円偏光に変換するために十分な位相差の量を含み得、４分の１波長板である必要はない。４分の１波より多いまたはより少ない位相差が、位相差が他の光学要素によって寄与され得るため、リターダ２３１５内に含まれてもよい。同様に、位相差は、いくつかの光学要素内に分散されることができる。別の実施例として、複数のリターダが、適切な量の位相差を提供するために採用されてもよい。
【０１８５】
円偏光線２３１０（ここでは、左旋円偏光）は、次いで、光学系２３２０を通して通過する。望ましくない反射が、例えば、空気／材料界面等の異なる屈折率を有する媒体との本システム内の任意の界面で生じ得る。これらの反射は、本反射された光が、ユーザの眼の中に指向され、ユーザの眼内に可視の「残影」画像を形成し得るため、少なくとも１つの導波管２３４８に入射することを可能にされる場合、問題となり得る。例えば、ディスプレイが、少なくとも１つの導波管２３４８を用いて、第１の画像を視認者の眼の中に投影するインスタンスでは、第１の画像に対して変位された（例えば、側方に変位された）第２の微かな複製画像もまた、ユーザによって見られ得る。ユーザの眼の中に指向される、光学表面からの反射によって形成される、そのような「残影」画像は、注意を逸らす、または別様に、視認体験を劣化させ得る。例えば、図２３Ａに図示されるように、反射された光線２３２５等の光は、光学系２３２０内のレンズから反射され得る。本光は、画像をそこに提示するために、光をユーザの眼の中に指向するように構成される、少なくとも１つの導波管２３４８に向かって指向され得る。しかしながら、この場合、円偏光は、掌性を逆転させる。例えば、レンズからの反射に応じて、円偏光の方向は、変化される（例えば、左旋から右旋に）。右旋反射された光線２３２５は、次いで、リターダ２３１５を通して進行し、偏光器２３１２によって透過されるものと異なる（例えば、直交）線形偏光を有する、線形偏光に変換される。この場合、例えば、レンズの光学表面から反射された光は、リターダ２３１５によって、垂直線形偏光に変換され、これは、水平線形偏光器２３１２によって透過される偏光に直交する。水平線形偏光器２３１２は、水平偏光を選択的に通過させ、垂直偏光をフィルタリング除去する。したがって、反射された光線２３２５は、水平線形偏光器２３１２によって減衰され、および／または透過されず、少なくとも１つの導波管２３４８に到達することを防止される、または少なくとも低減されたそのような反射された光の量が、例えば、内部結合光学要素（例えば、１つ以上の内部結合格子）を通して、少なくとも１つの導波管２３４８に到達する、またはその中で結合される。結果は、光学系２３２０の異なる光学表面または異なる光学要素上の他の光学表面から反射された左旋円偏光線に類似するであろう。
【０１８６】
図示されるように、ディスプレイシステム２３００はさらに、光学系２３２０と空間光変調器（図示せず）との間に配置される、第２のリターダ２３３０（例えば、４分の１波リターダまたは４分の１波長板）と、第２の偏光器２３３５（例えば、線形偏光器）とを含む。本第２のリターダ２３３０および本第２の線形偏光器２３３５は、ある実装では、第２の円偏光器を形成してもよい。第２のリターダ２３３０は、光学系２３２０と第２の偏光器２３３５との間に配置される。同様に、第２の偏光器２３３５は、第２のリターダ２３３０と空間光変調器との間に配置される。故に、光学系２３２０を通して通過後、光線２３１０は、第２のリターダ２３３０（例えば、４分の１波リターダ）を通して通過し得る。第２のリターダ２３３０は、光線２３１０が、左旋円偏光から水平線形偏光に変換されるように構成される（例えば、光学軸が適切に配向される）。同様に、第２のリターダ２３３０は、円偏光を第１の偏光器２３１２によって出力されたオリジナル線形偏光状態に戻るように変換する。下記に議論されるように、本第２のリターダ２３３０および第２の偏光器２３１２は、光が少なくとも１つの光導波路２３４８に進行するにつれて、（例えば、屈折力光学系またはレンズ２３２０上の）光学表面を通して通過する、空間光変調器から反射された光によって生じる、「残影」画像を低減させる際に有用であり得る。
【０１８７】
第３のリターダ２３４０（例えば、４分の１波リターダまたは４分の１波長板）は、第２の偏光器２３３５と空間光変調器との間に配置される。故に、第３のリターダ２３４０は、第２のリターダ２３３０と空間光変調器との間に配置される。また、種々の実装では、示されるように、第２の偏光器２３３５は、第２および第３のリターダ２３３０、２３４０間にある。図示されるように、光線２３１０は、第２の偏光器２３３５を通して通過することに応じて、線形に偏光され、いくつかの実装では、第２のリターダ２３３０／第２の偏光器２３３５は、光を第１の偏光器２３１２のオリジナル線形偏光に変換してもよい（例えば、水平に偏光される）。本線形偏光は、第３のリターダ２３４０上に入射する。第３のリターダ２３４０は、光線が、円偏光に戻るように、いくつかの実装では、第１のリターダ２３１５によって出力されたものと同一偏光（例えば、本実施例では、左旋円偏光）に変換されるように構成される。ある実装では、空間光変調器は、円偏光に作用するように構成される。いくつかの実装では、空間光変調器は、入射円偏光を円偏光として戻るように反射させる、反射型空間光変調器である。いくつかの実施形態では、空間光変調器から反射された円偏光は、可能性として、空間光変調器ピクセルが「オン」または「オフ」状態にあるかどうかに応じて、その上に入射するものと同一掌性（例えば、左旋円偏光）を有してもよい。いくつかの実施形態では、空間光変調器は、可能性として、空間光変調器ピクセルが「オン」または「オフ」状態にあるかどうかに応じて、その上に入射するものと異なる掌性の円偏光（例えば、右旋円偏光）を反射させてもよい。しかしながら、他のタイプの空間光変調器も、使用されてもよい。
【０１８８】
図２３Ａは、光線２３４２として図示され、空間光変調器から反射され、導波管２３８５に向かって進行する、光を示す。反射された光線２３４２は、左旋円偏光として描写される。光線２３４２は、第３のリターダ２３４０を通して通過する。第３のリターダ２３４０は、円偏光を線形偏光に変換する。本実施例では、左旋円偏光は、水平偏光に変換される。線形偏光は、第２の偏光器２３３５を通して透過される。本実施例では、水平偏光は、第２の偏光器２３３５を通して通過する。線形偏光は、第２のリターダ２３３０上に入射し、円偏光に変換される。本実施例では、水平偏光は、左旋偏光に変換され、光学系２３２０に透過される。ここでは再び、屈折力を有する光学系２３２０の表面等の光学表面からの反射は、空間光変調器から、少なくとも１つの導波管２３４８の中に、ユーザの眼へと戻るように反射させることによって、残影画像を作成し得る。上記に説明されるように、望ましくない反射は、空気／材料界面等の異なる屈折率を有する媒体を伴う任意の界面において生じ得る。上記に参照されるように、第２のリターダおよび偏光器２３３０、２３３５の含有は、これらの反射を減衰させ、残影反射の尤度を低下させ得る。図２３Ａは、例えば、光線２３４６として図示され、光学系２３２０の光学表面から反射される、光を描写する。表面から反射される作用は、反射された光線２３４６を生じさせ、これは、掌性を切り替える、本実施例では、左旋円偏光から右旋円偏光に切り替えるように円偏光される。切り替えられた円偏光は、第２のリターダおよび偏光器２３３０、２３３５によって形成される、第２の円偏光器によって減衰される。図２３Ａに図示されるように、例えば、反射された円偏光２３４６は、第２のリターダ２３３０上に入射し、第２のリターダによって、第２の線形偏光器２３３５によって選択的に透過されるものと異なる、例えば、直交線形偏光を有する、線形偏光に変換される。この場合、例えば、光学系２３２０の光学表面から反射された右旋円偏光は、リターダ２３３０によって、垂直線形偏光に変換され、これは、偏光器２３３５によって選択的に透過される偏光に直交する。第２の偏光器２３３５は、本線形偏光の透過を減衰または防止する。本実施例では、光２３４６は、垂直に偏光される一方、第２の偏光器２３３５は、水平偏光を選択的に通過させ、垂直偏光をフィルタリング除去する、水平偏光器である。
【０１８９】
対照的に、光学系２３２０を通して通過し、第１のリターダ２３１５上に入射する、光２３４２は、円偏光であって、光学系２３２０の光学表面から反射された光と異なる掌性を有する。少なくとも１つの導波管２３４８に向かって指向される、本光２３４２は、第１のリターダ２３１５によって、第１の偏光器２３１２によって選択的に透過される、線形偏光（例えば、水平線形偏光）に変換される、偏光を有する（例えば、左旋偏光される）。このように、光２３４２は、少なくとも１つの導波管２３４８に到達し、その中に結合され、ユーザの眼に指向されることができる。
【０１９０】
図２３Ａに示される実施例では、第１の偏光器２３１２および第１のリターダ２３１５によって形成される第１の円偏光器と、第２のリターダ２３３０および第２の偏光器２３３５によって形成される、第２の円偏光器とは、光学系２３２０の反対側にあって、一方が、光源２３０５により近く、一方が、空間光変調器により近く、「残影画像」をもたらし得る、反射を低減させるために使用される。付加的リターダ２３４０が、第２の円偏光器（例えば、第２の偏光器２３３５）と空間光変調器との間に含まれ、光を円偏光に変換する。しかしながら、広範囲の変形例が、可能性として考えられる。例えば、１つのみの円偏光器が、含まれてもよい。代替として、付加的円偏光器または他のタイプの偏光光学が、含まれてもよい。
【０１９１】
図２３Ｂは、図２３Ａに示されるような拡張現実システム２３００に追加され得る、第３の円偏光器を図示する。特に、図２３Ｂは、上記に導入されるように、第２の偏光器２３３５および第２のリターダ２３３０および第３のリターダ２３４０を含む、第２の円偏光器を描写し、さらに、空間光変調器２３７５を描写する。本空間光変調器（ＳＬＭ）２３７５は、液晶空間光変調器（例えば、シリコン上液晶またはＬＣＯＳ）を含んでもよい。いくつかの実装では、ＳＬＭ２３７５は、カバーガラス２３７０で被覆されることができる。
【０１９２】
図２３Ｂはまた、第２の偏光器２３３５および第２のリターダ２３３０を含む、第２の円偏光器と、空間光変調器２３７５との間に配置される、４分の１波リターダ（例えば、４分の１波長板）等の第４のリターダ２３４５と、線形偏光器等の第３の偏光器２３５５とを含む、第３の円偏光器を示す。第３の偏光器２３５５は、第４のリターダ２３４５と空間光変調器２３７５との間にある。４分の１波リターダ（例えば、４分の１波長板）等の付加的な第５のリターダ２３６０および補償器２３６５は、第４のリターダ２３４５および第３の偏光器２３５５を含む、第３の円偏光器と、空間光変調器２３７５、より具体的には、図２３Ｂに示されるカバーガラス２３７０との間に配置される。第５のリターダ２３６０は、第３の偏光器２３５５と補償器２３６５との間にある。補償器２３６５は、第５のリターダ２３６０と、空間光変調器２３７５、より具体的には、カバーガラス２３７０との間にある。
【０１９３】
図２３Ｂは、光源２３０５（図２３Ａに示される）からの光、例えば、光線２３１０が、リターダ２３３０と、第２の偏光器２３３５とを含む、第２の円偏光器および第３のリターダ２３４０を通して、第４のリターダ２３４５と、第３の偏光器２３５５とを含む、第３の円偏光器に伝搬する方法を示す。第２のリターダ２３３０と、第２の偏光器２３３５とを含む、第２の円偏光器を通して通過後、光源２３０５からの光線２３１０は、第３の円偏光器上、特に、第４のリターダ２３４５上に入射する。第４のリターダ２３４５は、光線２３１０の円偏光を線形偏光に変換し得る。図２３Ｂに示される実施例では、光線２３１０は、円偏光（例えば、左旋円偏光）であって、第４のリターダ２３４５によって、線形偏光（例えば、水平に偏光）に変換される。本線形偏光は、第３の偏光器２３５５を通して進み、これは、図２３Ｂでは、水平偏光を選択的に透過させる、水平偏光器を含む。本線形偏光は、線形偏光を円偏光に変換する、４分の１波リターダを含み得る、第５のリターダ２３６０を通して伝搬する。図２３Ｂに示される実施例では、第５のリターダ２３６０上に入射する水平線形偏光２３１０は、左旋円偏光に変換される。本円偏光は、補償器２３６５上に入射し、それを通して通過する。補償器２３６５は、偏光を所望の偏光に調節する、偏光要素を含んでもよい。補償器２３６５は、システム内の種々の光学要素の複屈折を相殺するために使用されてもよい。例えば、光は、１つ以上の光学要素の位相差寄与に起因して、若干楕円偏光であり得る。種々の実装では、補償器２３６５から出力される光は、円偏光である。図２３Ｂに示される実施例では、補償器２３６５から出力される光は、左旋円偏光である。種々の実装では、補償器２３６５は、例えば、液晶（例えば、ＬＣＯＳ）ＳＬＭセルを備え得る、ＳＬＭ内の残留位相差を相殺するために使用されてもよい。補償器は、面内位相差および／または平面外位相差を導入し得る。いくつかの実装では、補償器２３６５は、組み合わせられると、ＳＬＭ（例えば、ＬＣＯＳパネル）からの残留位相差を潜在的に相殺し得る、位相差を生産する、光学リターダの組み合わせを含んでもよい。
【０１９４】
図２３Ｂでは、光は、補償器２３６５を通して通過後、カバーガラス２３７０およびＳＬＭ２３７５上に入射する。カバーガラス２３７０およびＳＬＭ２３７５上に入射する本光は、左旋円偏光として描写される。空間変調器のタイプおよび状態に応じて、ＳＬＭ２３７５は、同一掌性の円偏光を反射させ得る。例えば、ＳＬＭ２３７５のピクセルが、「オン」状態にあるとき（但し、本状態は、いくつかの実装では、非駆動状態であってもよい）、ＳＬＭ２３７５は、４分の１波の位相差をＳＬＭ２３７５を通した通過毎に導入し得る。故に、反射に応じて、入射円偏光は、反射に応じて、円偏光されたままであり得る。種々の構成では、掌性はまた、同一のままであってもよい。例えば、図２３Ｂに示されるように、入射左旋円偏光は、反射に応じて、左旋円偏光されたままであってもよい。ＳＬＭ２３７５から反射された本円偏光は、光線２３４２によって表され、カバーガラス２３７０および補償器２３６５を通して通過し、第５のリターダ２３６０上に入射し得、これは、円偏光を線形偏光に変換する。図２３Ｂに示される実施例では、第５のリターダ２３６０上に入射する円偏光は、左旋され、第５のリターダ２３６０は、本円偏光を水平偏光に変換する。第３の偏光器２３５５は、第５のリターダ２３６０によって出力された光の偏光を選択的に透過させるように構成されてもよい。故に、第５のリターダ２３６０から出力された光が水平に偏光される、図２３Ｂに示される実施例では、第３の偏光器２３５５は、水平偏光を選択的に透過させる。偏光器２３５５によって透過される本線形偏光は、第４のリターダ２３４５上に入射し、円偏光に変換される。図２３Ｂに示される実施例では、本円偏光は、左旋円偏光である。本光は、図２３Ａに関連して上記に議論されるように、第２のリターダ２３３０および第２の偏光器２３３５を備える、第２の円偏光器と、光学系２３２０と、第１の偏光器２３１２および第１のリターダ２３１５を備える、第１の円偏光器とを通して、少なくとも１つの導波管２３４８上へと、ユーザの眼の中に進行することができる。
【０１９５】
しかしながら、光学表面から反射された光は、第３の円偏光器によって減衰され、それによって、そのような反射が、少なくとも１つの導波管２３４８に到達し、ユーザの眼に指向され、残影画像を生産するであろう、尤度を低減させ得る。例証するために、図２３Ｂは、第３のリターダ２３４０の光学表面から、例えば、空気と第３のリターダ２３４０との間の界面から反射された例示的光線２３４３を示す。上記に議論されるように、反射は、空気／材料界面等の異なる屈折率を有する媒体間の任意の界面または異なる誘電性層間の界面において生じ得る。しかしながら、円偏光は、反射に応じて、掌性を逆転させる。例えば、第３のリターダ２３４０の表面から反射することに応じて、円偏光の方向は、変化される（例えば、左旋から右旋に）。右旋反射された光線２３４３は、次いで、第４のリターダ２３４５を通して進行し、第３の偏光器２３５５によって選択的に透過されるものと異なる、例えば、直交線形偏光を有する、線形偏光に変換される。この場合、例えば、第３のリターダ２３４０の光学表面から反射された光は、第４のリターダ２３４５によって、垂直線形偏光に変換され、これは、第３の偏光器２３５５によって選択的に透過される偏光に直交する。第３の偏光器２３５５は、水平偏光を選択的に通過させ、垂直偏光をフィルタリング除去する。したがって、反射された光線２３４３は、第３の偏光器２３５５によって減衰され、および／または透過されず、少なくとも１つの導波管２３４８に到達することを防止される（例えば、別の表面から反射することによって）、または少なくとも低減された量のそのような反射された光が、少なくとも１つの導波管２３４８に到達する、またはその中で結合される。
【０１９６】
結果は、異なる光学表面から反射された円偏光線に類似し得る。図２３Ｂは、例えば、第４のリターダ２３４５の光学表面からの入射光線２３１０の反射を示す。第４のリターダ２３４５からの反射２３５０は、偏光の掌性を切り替える。例えば、左旋円偏光として描写される入射光線２３１０は、反射に応じて、右旋円形偏光を有するように示される、光線２３５０に変換される。反射された光線２３５０は、第３のリターダ２３４０を通して通過し、垂直偏光に変換される。本垂直偏光は、第２の偏光器２３３５によって、選択的に減衰またはフィルタリング除去される。
【０１９７】
上記に説明されるように、ＳＬＭ２３７５のピクセルは、例えば、「オン」状態（但し、いくつかの実装では、非駆動状態）にあり得、ＳＬＭ２３７５の本ピクセル上に入射する光は、そこから反射され、少なくとも１つの導波管２３４８の中に結合され、ユーザの眼に指向される。しかしながら、ＳＬＭ２３７５のピクセルは、「オフ」状態にあり得（いくつかの実装では、駆動状態であり得る）、その場合、ＳＬＭ２３７５のピクセル上に入射する光は、少なくとも１つの導波管２３４８の中に結合されず、ユーザの眼の中に結合されない。本「オフ」状態では、例えば、ＳＬＭ２３７５の種々の実装は、そこからの反射に応じて、位相差を導入し得ない。故に、図２３Ｂに示される実施例では、ＳＬＭ２３７５上に入射する円偏光は、ＳＬＭ２３７５からの反射に応じて、円偏光のままであり得る。しかしながら、円偏光の本掌性は、ＳＬＭ２３７５からの反射に応じて、変化してもよい。例えば、ＳＬＭ２３７５上に入射する左旋円偏光である、図２３Ｂに示される光線２３１０は、ＳＬＭ２３７５からの反射に応じて、右旋円偏光に変換され得る。しかしながら、本反射された光は、第３の偏光器２３５５によって、選択的に減衰され得る。例えば、ＳＬＭ２３７５から反射された右円偏光は、カバーガラス２３７０、補償器２３６５、および第５のリターダ２３６０を通して通過し得る。第５のリターダ２３６０は、右旋円偏光を垂直偏光に変換し得、これは、水平偏光器を含み得る、第３の偏光器２３５５によって、選択的に減衰される。故に、種々の実装では、第５のリターダ２３６０は、ＳＬＭのピクセルが「オフ」状態にあるとき、ＳＬＭ２３７５のピクセルから反射された光を、第３の偏光器２３５５によって選択的に透過される線形偏光に直交する、線形偏光に変換してもよい。本第３の偏光器２３５５は、したがって、本線形偏光を選択的に減衰させ、それによって、少なくとも１つの導波管２３４８に到達し、眼の中に指向されないように、ＳＬＭ２３７５のそのピクセルからの光を低減または遮断し得る。
【０１９８】
偏光光学要素における変形例等、構成における変形例も、可能性として考えられる。例えば、より多いまたはより少ない円偏光器が、含まれてもよい。種々の実装では、例えば、第４のリターダ２３４５と、第３の偏光器２３５５とを含む、第３の円偏光器は、図２３Ｃに示されるように除外される。本特定の実装では、第４のリターダ２３４５、第３の偏光器２３５５、および第５のリターダ２３６０は、システム内に含まれない。図２３Ｃは、第４のリターダ２３４５、第３の偏光器２３５５、および第５のリターダ２３６０を除き、図２３Ａおよび２３Ｂに図示されるコンポーネントを含む、拡張現実システム２３００の設計を図示する。なお、第３の円偏光器を除外しても、拡張現実ディスプレイシステムは、依然として、残影画像を低減させるように構成される。第２の円偏光器は、例えば、そうでなければ、残影画像に寄与するであろう、反射を低減させる。例証するために、図２３Ｃは、光線２３８０として図示される、第３のリターダ２３４０から反射された光を描写する。第３のリターダ２３４０の表面から反射される作用は、反射された光線２３８０を生じさせ、これは、掌性を切り替えるように円偏光される。本実施例では、偏光は、左旋円偏光から右旋円偏光に切り替えられる。切り替えられた円偏光２３８０は、次いで、補償器２３６５を通して通過し、カバーガラス２３７０およびＳＬＭ２３７５上に入射する。上記に議論されるように、ＳＬＭ２３７５は、同一掌性の円偏光を反射させ得る。故に、入射右旋円偏光は、反射に応じて、右旋円偏光のままであり得る。ＳＬＭ２３７５から反射された本円偏光は、光線２３８２によって表され、次いで、カバーガラス２３７０および補償器２３６５を通して通過し、第３のリターダ２３４０上に入射し得る。切り替えられた円偏光２３８２は、第２の円偏光器によって、特に、第３のリターダ２３４０および偏光器２３３５によって、減衰される。図２３Ｃに図示されるように、例えばＳＬＭ２３７５から反射された、円偏光２３８２は、第３のリターダ２３４０上に入射し、第３のリターダ２３４０によって、第２の線形偏光器２３３５によって選択的に透過されるものと異なる、例えば、直交線形偏光を有する、線形偏光に変換される。この場合、例えば、右旋円偏光２３８２は、第３のリターダ２３４０によって、垂直線形偏光に変換され、これは、第２の偏光器２３３５によって選択的に透過される偏光に直交する。第２の偏光器２３３５は、本線形偏光の透過を減衰または防止する。
【０１９９】
残影反射に寄与し得る、反射はまた、潜在的に、本システム内の光学表面を傾斜させることによって、低減され得る。図２４は、残影反射を生産し得る、反射を低減させるための傾斜された光学表面を有する、例示的構成を図示する。図２４は、光が空間光変調器（ＳＬＭ）２３７５に向かって進行するにつれて、任意の数の偏光器、リターダ、レンズ、および／または他の光学コンポーネントを通して通過する、光線２３１０によって表される、光を放出する、光源２３０５を含む、拡張現実ディスプレイシステム２４００を示す。可能性として、第１の円偏光器を形成する、第１の偏光器２３１２および第１のリターダ２３１５およびレンズ２３２０が、例証的目的のために図２４に示される。しかしながら、付加的コンポーネントが、含まれてもよい、またはコンポーネントは、除外される、または異なるように配列または構成されてもよい。図示される実施例では、ＳＬＭ２３７５は、それとともに、カバーガラス２３７０を含む。カバーガラス２３７０は、残影画像を生産する、反射への寄与因子であり得る。したがって、いくつかの実装では、カバーガラス２３７０は、残影画像をもたらし得る反射をユーザの眼の中に指向されないように離れるように指向するように、成形されることができる。図示されるように、カバーガラス２３７０は、表面が、本システムの他のコンポーネントまたは光学表面（例えば、ＳＬＭ２３７５、第１のリターダ２３１５、第１の偏光器２３１２、少なくとも１つの導波管２３４８等、またはその光学表面）と平行ではないように傾斜され得る、表面を有する。カバーガラス２３７０の主要表面は、例えば、拡張現実ディスプレイシステム２４００または光学系２３２０等のその中の光学コンポーネントの光学軸と整合されない、または平行ではないように傾斜される、法線を有し得る。傾斜されることによって、カバーガラス２３７０の光学表面からの反射は、光を少なくとも１つの導波管２３４８の中に内部結合し、カバーガラス２３７０からの反射が少なくとも１つの導波管２３４８に入射する尤度を低減させるために、少なくとも１つの導波管２３４８または内部結合光学要素（例えば、内部結合格子または回折光学要素）から離れるように指向されることができる。描写されるように、反射された光２４０５は、光源２３０５に向かって戻るように、かつそのような光が最終的にユーザの眼に到達し得る、少なくとも１つの導波管２３４８から離れるように指向される。いくつかの実装では、反射された光２４０５は、光源に戻るように指向され、少なくとも一部は、光源２３０５において再利用されることができる。
【０２００】
図２４は、傾斜された表面を有する、カバーガラス２３７０を描写するが、反射を少なくとも１つの導波管２３４８の中に結合されないように離れるように迂回させるために傾斜される、光学表面は、望ましくない反射が可能性として考えられる、本システム内の任意のコンポーネント上に含まれることができる。故に、偏光器、リターダ等の他のコンポーネント上の光学表面は、少なくとも１つの導波管２３４８の中およびユーザの眼に結合される反射を低減させるように傾斜されてもよい。カバーガラス２３７０または他の光学コンポーネントの形状およびサイズの変形例も、可能性として考えられる。カバーガラス２３７０または他の光学コンポーネントは、例えば、より薄くてもよい。同様に、カバーガラス２３７０または他の光学コンポーネントは、図２４に示されるものと異なるアスペクト比（長さ対厚さ）を有してもよい。いくつかの実装では、カバーガラス２３７０または他の光学コンポーネントは、楔形状である。しかしながら、他の形状も、可能性として考えられる。
【０２０１】
さらに他の配列も、可能性として考えられる。図２５は、例えば、図２４に示されるシステム２４００に類似するが、そこに指向される光を吸光するための光ダンプ２５０５をさらに含む、拡張現実ディスプレイシステム２５００の実装を図示する。システム２５００は、光源２３０５に戻るように指向される代わりに、反射２５１０をカバーガラス２３７０から光ダンプ２５０５に指向するように傾斜されたカバーガラス２３７０を含む。光ダンプ２５０５は、光を吸光するように構成される、吸光材料または構造を含んでもよい。光ダンプ２５０５の場所は、実装に応じて、例えば、傾斜されたカバーガラス２３７０の角度に応じて、変化することができる。上記に議論されるように、本アプローチは、本システム内の他の光学表面にも適用されることができる。加えて、光学要素の形状およびサイズは、異なってもよい。
【０２０２】
拡張現実ディスプレイにおける広範囲の変形例も、可能性として考えられる。偏光光学要素における変形例も、可能性として考えられる。例えば、水平偏光器が、使用されるが、いくつかの実装では、垂直偏光器または水平および垂直偏光器の組み合わせが、採用される。加えて、垂直または水平以外の偏光によって特徴付けられる、偏光器が、使用されてもよい。同様に、図に示される光は、水平に偏光される必要はなく、垂直に偏光されてもよい。同様に、垂直に偏光されるように示される光は、異なる実装では、水平に偏光される、またはその逆であってもよい。垂直または水平以外の偏光を有する線形偏光もまた、使用されてもよい。
【０２０３】
加えて、リターダは、異なるように構成されてもよい。例えば、図における偏光は、左旋円偏光である必要はなく、右旋円偏光であってもよく、および／または右旋偏光は、左旋円偏光であってもよい。さらに他の変形例も、可能性として考えられる。異なるリターダ構成が、示されるものと異なる左旋および／または右旋偏光の組み合わせを生産するために採用されることができる。また、いくつかの実装では、楕円偏光が、可能性として、円偏光の代わりに、使用されてもよい。リターダが、例えば、楕円偏光を線形偏光およびその逆に変換するために採用されてもよい。線形偏光器は、光をフィルタリングするために使用されることができ、本明細書に説明されるような残影反射を低減させるために使用されてもよい。
【０２０４】
いくつかの実装では、他のタイプの偏光要素およびその構成が、採用される。例えば、リターダは、４分の１波リターダまたは４分の１波長板に限定されない。例えば、いくつかの実装では、種々の光学要素は、複屈折を有する。あるそのような場合では、リターダ２３１５、２３３０、２３４０のうちの任意の１つ以上のものは、線形偏光を円偏光に変換するために十分な位相差の量を含み得、４分の１波リターダである必要はない。４分の１波より多いまたはより少ない位相差が、位相差が他の光学要素によって寄与され得るため、リターダ２３１５、２３３０、２３４０のうちの任意の１つ以上のもの内に含まれてもよい。同様に、位相差は、いくつかの光学要素内に分散されることができる。別の実施例として、複数のリターダが適切な量の位相差を提供するために採用されてもよい。また、上記に説明されるように、いくつかの実装では、楕円偏光が、可能性として、円偏光の代わりに使用されてもよい。リターダが、例えば、楕円偏光を線形偏光およびその逆に変換するために採用されてもよい。線形偏光器は、光をフィルタリングするために使用されることができ、本明細書に説明されるような残影反射を低減させるために使用されてもよい。
【０２０５】
加えて、光学コンポーネントは、光学層、シート、および／またはフィルムおよびスタックまたは１つ以上の層、シート、および／またはフィルムの形態であってもよい。故に、異なる偏光要素、異なる量、場所、および配列が、使用されてもよい。例えば、リターダおよび／または偏光器のうちの１つ以上のものは、フィルムを備えてもよい。
【０２０６】
いくつかの実装では、空間光変調器は、異なるように動作してもよい。例えば、空間光変調器は、円偏光以外の光に作用してもよく、および／または円偏光以外の光を出力してもよい。
【０２０７】
前述の明細書では、本開示は、その具体的実施形態を参照して説明された。しかしながら、種々の修正および変更が、本開示のより広義の精神および範囲から逸脱することなく、そこに行われ得ることが明白となるであろう。明細書および図面は、故に、限定的意味ではなく、例証と見なされるべきである。
【０２０８】
実際、本開示のシステムおよび方法は、それぞれ、いくつかの革新的側面を有し、そのうちのいかなるものも、本明細書に開示される望ましい属性に単独で関与しない、またはそのために要求されないことを理解されたい。上記に説明される種々の特徴およびプロセスは、相互に独立して使用され得る、または種々の方法で組み合わせられ得る。全ての可能な組み合わせおよび副次的組み合わせが、本開示の範囲内に該当することが意図される。
【０２０９】
別個の実施形態の文脈において本明細書に説明されるある特徴はまた、単一の実施形態における組み合わせにおいて実装されてもよい。逆に、単一の実施形態の文脈において説明される種々の特徴もまた、複数の実施形態において別個に、または任意の好適な副次的組み合わせにおいて実装されてもよい。さらに、特徴がある組み合わせにおいて作用するものとして上記に説明され、さらに、そのようなものとして最初に請求され得るが、請求される組み合わせからの１つ以上の特徴は、いくつかの場合では、組み合わせから削除されてもよく、請求される組み合わせは、副次的組み合わせまたは副次的組み合わせの変形例を対象とし得る。いかなる単一の特徴または特徴のグループも、あらゆる実施形態に必要または必須ではない。
【０２１０】
とりわけ、「〜できる（ｃａｎ）」、「〜し得る（ｃｏｕｌｄ）」、「〜し得る（ｍｉｇｈｔ）」、「〜し得る（ｍａｙ）」、「例えば（ｅ．ｇ．）」、および同等物等、本明細書で使用される条件文は、別様に具体的に記載されない限り、または使用されるような文脈内で別様に理解されない限り、概して、ある実施形態がある特徴、要素、および／またはステップを含む一方、他の実施形態がそれらを含まないことを伝えることが意図されることを理解されたい。したがって、そのような条件文は、概して、特徴、要素、および／またはステップが、１つまたはそれを上回る実施形態に対していかようにも要求されること、または１つまたはそれを上回る実施形態が、著者の入力または促しの有無を問わず、これらの特徴、要素、および／またはステップが任意の特定の実施形態において含まれる、または実施されるべきかどうかを決定するための論理を必然的に含むことを示唆することを意図されない。用語「〜を備える」、「〜を含む」、「〜を有する」、および同等物は、同義語であり、非限定的方式で包括的に使用され、付加的要素、特徴、行為、動作等を除外しない。また、用語「または」は、その包括的意味において使用され（およびその排他的意味において使用されず）、したがって、例えば、要素のリストを接続するために使用されると、用語「または」は、リスト内の要素のうちの１つ、いくつか、または全てを意味する。加えて、本願および添付される請求項で使用されるような冠詞「ａ」、「ａｎ」、および「ｔｈｅ」は、別様に規定されない限り、「１つ以上の」または「少なくとも１つ」を意味するように解釈されるべきである。同様に、動作は、特定の順序で図面に描写され得るが、これは、望ましい結果を達成するために、そのような動作が示される特定の順序で、または連続的順序で実施される、または全ての図示される動作が実施される必要はないと認識されるべきである。さらに、図面は、フローチャートの形態で１つ以上の例示的プロセスを図式的に描写し得る。しかしながら、描写されない他の動作も、図式的に図示される例示的方法およびプロセス内に組み込まれ得る。例えば、１つ以上の付加的動作が、図示される動作のいずれかの前に、その後に、それと同時に、またはその間に実施され得る。加えて、動作は、他の実施形態において再配列される、または再順序付けられ得る。ある状況では、マルチタスクおよび並列処理が、有利であり得る。さらに、上記に説明される実施形態における種々のシステムコンポーネントの分離は、全ての実施形態におけるそのような分離を要求するものとして理解されるべきではなく、説明されるプログラムコンポーネントおよびシステムは、概して、単一のソフトウェア製品においてともに統合される、または複数のソフトウェア製品にパッケージ化され得ることを理解されたい。加えて、他の実装も、以下の請求項の範囲内である。いくつかの場合では、請求項に列挙されるアクションは、異なる順序で実施され、依然として、望ましい結果を達成することができる。
【０２１１】
故に、請求項は、本明細書に示される実施形態に限定されることを意図されず、本明細書に開示される本開示、原理、および新規の特徴と一貫する最も広い範囲を与えられるべきである。
【図１】
2021505935.tif 000003
【図２】
2021505935.tif 000004
【図３Ａ】
2021505935.tif 000005
【図３Ｂ】
2021505935.tif 000006
【図３Ｃ】
2021505935.tif 000007
【図４Ａ】
2021505935.tif 000008
【図４Ｂ】
2021505935.tif 000009
【図４Ｃ】
2021505935.tif 000010
【図４Ｄ】
2021505935.tif 000011
【図５】
2021505935.tif 000012
【図６】
2021505935.tif 000013
【図７】
2021505935.tif 000014
【図８】
2021505935.tif 000015
【図９Ａ】
2021505935.tif 000016
【図９Ｂ】
2021505935.tif 000017
【図９Ｃ】
2021505935.tif 000018
【図９Ｄ】
2021505935.tif 000019
【図１０】
2021505935.tif 000020
【図１１Ａ】
2021505935.tif 000021
【図１１Ｂ】
2021505935.tif 000022
【図１１Ｃ】
2021505935.tif 000023
【図１２Ａ】
2021505935.tif 000024
【図１２Ｂ】
2021505935.tif 000025
【図１２Ｃ】
2021505935.tif 000026
【図１３Ａ】
2021505935.tif 000027
【図１３Ｂ】
2021505935.tif 000028
【図１３Ｃ】
2021505935.tif 000029
【図１４Ａ】
2021505935.tif 000030
【図１４Ｂ】
2021505935.tif 000031
【図１４Ｃ】
2021505935.tif 000032
【図１５】
2021505935.tif 000033
【図１６Ａ】
2021505935.tif 000034
【図１６Ｂ】
2021505935.tif 000035
【図１７】
2021505935.tif 000036
【図１８】
2021505935.tif 000037
【図１９】
2021505935.tif 000038
【図２０Ａ】
2021505935.tif 000039
【図２０Ｂ】
2021505935.tif 000040
【図２０Ｃ】
2021505935.tif 000041
【図２０Ｄ】
2021505935.tif 000042
【図２０Ｅ】
2021505935.tif 000043
【図２０Ｆ】
2021505935.tif 000044
【図２０Ｇ】
2021505935.tif 000045
【図２１】
2021505935.tif 000046
【図２２】
2021505935.tif 000047
【図２３Ａ】
2021505935.tif 000048
【図２３Ｂ】
2021505935.tif 000049
【図２３Ｃ】
2021505935.tif 000050
【図２４】
2021505935.tif 000051
【図２５】
2021505935.tif 000052
【国際調査報告】
2021505935.tif 000053
2021505935.tif 000054